(57)【要約】香りを提供するためのシステムは、香り媒体を担持する香りキャリアを交換可能に受容する香りレシーバーと、香りを制御可能に放出するように動作可能な香りアクチュエータと、構成可能な循環サブシステムとを含む。ペルチェデバイスは、規定された香りシーケンス情報又は香りトラックに従って香り媒体の能動的な加熱及び能動的な冷却を誘発させるために用いられ得る。システムは、香りを含む空気を周囲環境から収集し、このようなものをユーザによるサンプリングのために一時的に保持するようにも、動作可能である。香りトラックが規定され、ユーザ及び他のエンティティ間において共有され得る。【選択図】図９Ｅ
2016518165.tif 000002
【特許請求の範囲】
【請求項１】
携帯可能な香り送達システムであって、
少なくとも使用時において香り媒体を保持する少なくとも香り生成チャンバを有するハウジングと、
前記香り生成チャンバ中の前記香り媒体からの１つ以上の香りの放出を引き起こすように制御可能に動作可能な香りアクチュエータと、
必要な場合に少なくとも１つのエンドユーザ入力に応答して香りを前記香りチャンバから対流を介して選択的に放出するように動作可能な香りポートと、
１つ以上の組の音声及び／又は画像情報も含む遠隔的に生成された香り経験パッケージの一部である１組の香り起動情報に応答して前記香りアクチュエータを制御するように通信可能に連結された制御サブシステムと、
を含む、携帯可能な香り送達システム。
【請求項２】
前記香りポートに香りを対流を介して選択的に放出させるように前記少なくとも１つのエンドユーザ入力を提供するように通信可能に連結された、ユーザが起動可能な制御、
をさらに含む、携帯可能な香り送達システム。
【請求項３】
前記ユーザが起動可能な制御は、前記ハウジングへ連結される、請求項２の携帯可能な香り送達システム。
【請求項４】
前記制御サブシステムは、前記香り起動情報を携帯型の通信デバイス又はメディアコンテンツプレーヤから受信するように通信可能に連結され、前記音声及び／又は画像情報によって指定された音声及び／又は画像と同期して前記香りの放出を引き起こさせる、請求項１の携帯可能な香り送達システム。
【請求項５】
前記制御サブシステムは、前記香り起動情報を携帯型の通信デバイス又はメディアコンテンツプレーヤから受信するように通信可能に連結され、前記音声及び／又は画像情報によって指定されかつ前記携帯型の通信デバイス又はメディアコンテンツプレーヤによって提示される音声及び／又は画像と同期して前記香りの放出を引き起こさせる、請求項１の携帯可能な香り送達システム。
【請求項６】
前記香りアクチュエータは、１つ以上の香りを高精度に制御された量で高精度に制御された時間に放出するように、制御可能に動作可能である、請求項１の携帯可能な香り送達システム。
【請求項７】
前記香りポートは、１つ以上の香りを高精度に制御された量で高精度に制御された時間に放出するように、動作可能である、請求項１の携帯可能な香り送達システム。
【請求項８】
前記１組の香り起動情報は、前記１つ以上の組の音声及び／又は画像情報も含む前記遠隔的に生成された香り経験パッケージの一体部分であり、前記遠隔的に生成された香り経験パッケージと共に期限切れになる、請求項１の携帯可能な香り送達システム。
【請求項９】
香りを送達するように動作可能なシステムであって、前記システムは、
ハウジングと、
前記ハウジング内に少なくとも部分的に収容されたレシーバーであって、前記レシーバーは、複数の消費可能な香り媒体を担持する香り媒体キャリアを取り外し可能に受容するようなサイズ及び寸法にされる、レシーバーと、
前記レシーバーに少なくとも近接するように配置される少なくとも１つのペルチェデバイスであって、前記少なくとも１つのペルチェデバイスは、前記香り媒体キャリアが前記レシーバーによって受容されている間に前記香り媒体キャリアの前記消費可能な香り媒体を能動的に加熱するかあるいは能動的に冷却するように、選択的に動作可能である、少なくとも１つのペルチェデバイスと、
を含む、システム。
【請求項１０】
前記ハウジングは、少なくとも第１の区画、第２の区画及び第３の区画を含み、前記レシーバーは前記第１の区画内に設置され、前記システムは、
少なくとも１つのフィルターであって、前記少なくとも１つのフィルターは、前記第１の区画内に設置された前記レシーバーと別個に前記第２の区画内に設置される、少なくとも１つのフィルターと、
前記第３の区画内に設置された制御サブシステムと、
をさらに含む、請求項９のシステム。
【請求項１１】
前記ハウジング内に配置されかつ香りを前記ハウジングの外方に移動させるように選択的に動作可能な第１のファン、
をさらに含む、請求項９のシステム。
【請求項１２】
前記ハウジング内に配置されかつ前記ハウジングへ香りを内方に引き戻すように選択的に動作可能な第２のファン、
をさらに含む、請求項１１のシステム。
【請求項１３】
前記ハウジングは香り混合チャンバ及びフィルターチャンバを含み、前記フィルターチャンバは、前記香り混合チャンバと別個であり、フィルター媒体を保持するようなサイズ及び寸法にされ、前記システムは、
前記ハウジング内に配置され、前記香り混合チャンバから構成可能な流体連絡可能な導管経路への香りの移動を制御するように選択的に動作可能な第１の弁と、
前記ハウジング内に配置され、前記構成可能な流体連絡可能な導管経路から前記フィルターチャンバへの香りの移動を制御するように選択的に動作可能な第２の弁と、
をさらに含む、請求項１２のシステム。
【請求項１４】
香り送達導管であって、前記香りチャンバと、使用時において香りを前記香り送達導管からユーザへ放出する前記香りポートとの間に流体連絡を提供する、香り送達導管、
を少なくともさらに含む、請求項９のシステム。
【請求項１５】
少なくとも前記香りポートと前記フィルターチャンバとの間に流体連絡を提供する香り返送導管、
をさらに含む、請求項１４のシステム。
【請求項１６】
前記香り送達及び前記香り返送導管はそれぞれ、内径がおよそ１．５ミリメートルの延伸ネオプレン管材のピースである、
請求項１５のシステム。
【請求項１７】
前記香り送達及び前記香り返送導管は香り循環ループを形成し、
前記香り循環ループ内の香りポート弁をさらに含み、前記香りポート弁は、前記香りポートを介した香りの移動を制御するように、選択的に動作可能である、
請求項１５のシステム。
【請求項１８】
香りポートを有するペンダント、
をさらに含む、請求項９のシステム。
【請求項１９】
前記ハウジングから前記香りポートへ走る第１のケーブルをさらに含み、前記第１のケーブルは、前記香りチャンバと、使用時において香りを前記香り送達導管からユーザへ放出する前記香りポートとの間に流体連絡を提供する香り送達導管を少なくとも含む、
請求項１８のシステム。
【請求項２０】
前記第１のケーブルは、前記香りポートと前記フィルターチャンバとの間に流体連絡を提供する香り返送導管を少なくともさらに含む、
請求項１９のシステム。
【請求項２１】
制御サブシステムと、
携帯型の通信デバイス又はメディアプレーヤと前記システムの前記制御サブシステムとの間で信号を送るように前記携帯型の通信デバイス又は前記メディアプレーヤのうち少なくとも１つへ通信可能に連結可能な第２のケーブルと、
をさらに含む、請求項２０のシステム。
【請求項２２】
制御サブシステムと、
音声源と前記システムの前記制御サブシステムとの間で信号を送るように前記音声源へ通信可能に連結可能な第２のケーブルと、
をさらに含む、請求項２０のシステム。
【請求項２３】
前記第１のケーブルは、前記携帯型の通信デバイス又は前記メディアプレーヤから信号を前記システムを通じて複数のスピーカーへ送るための複数のワイヤを含む、
請求項２１又は２２のシステム。
【請求項２４】
前記ペンダントは、少なくとも第１の部位及び第２の部位を含み、前記第２の部位は、前記第１の部位に対して回転するように前記第１の部位に枢動可能に取り付けられ、
制御サブシステムであって、前記制御サブシステムは、前記少なくとも１つのペルチェデバイスを制御するように通信可能に連結され、前記制御サブシステムは、前記ペンダントの前記第１の部位に対する前記ペンダントの前記第２の部位の方位に対して少なくとも部分的に応答性である、制御サブシステム、
をさらに含む、請求項１０のシステム。
【請求項２５】
前記制御サブシステムは、前記ペンダントの前記第１の部位に対する前記ペンダントの前記第２の部位の方位に応答して、少なくとも１つのファンを起動させる、
請求項２４のシステム。
【請求項２６】
少なくとも前記ペンダントの一部へのヒトのタッチを感知するタッチセンサーと、
制御サブシステムであって、前記制御サブシステムは、前記少なくとも１つのペルチェデバイスを制御するように通信可能に連結され、前記制御サブシステムは、前記ペンダントへのヒトのタッチに対して少なくとも部分的に応答性である、制御サブシステムと、
をさらに含む、請求項１８のシステム。
【請求項２７】
少なくとも前記ペンダントの一部の動きを感知するモーションセンサーと、
制御サブシステムであって、前記制御サブシステムは、前記少なくとも１つのペルチェデバイスを制御するように通信可能に連結され、前記制御サブシステムは、前記ペンダントの動きに対して少なくとも部分的に応答性である、制御サブシステムと、
をさらに含む、請求項１８のシステム。
【請求項２８】
制御サブシステムであって、前記制御サブシステムは、前記少なくとも１つのペルチェデバイスを制御するように、通信可能に連結される、制御サブシステム、
をさらに含む、請求項９のシステム。
【請求項２９】
制御サブシステムであって、前記制御サブシステムは、前記少なくとも１つのペルチェデバイスを制御するように、通信可能に連結され、前記制御サブシステムは、前記ハウジングの前記少なくとも一部の方位に対して少なくとも部分的に応答性である、制御サブシステム、
をさらに含む、請求項９のシステム。
【請求項３０】
前記制御サブシステムは、前記ハウジングの少なくとも一部の方位に応答して少なくとも１つのファンを起動させる、
請求項２９のシステム。
【請求項３１】
前記ハウジングの少なくとも一部へのヒトのタッチを感知するタッチセンサーと、
制御サブシステムであって、前記制御サブシステムは、前記少なくとも１つのペルチェデバイスを制御するように通信可能に連結され、前記制御サブシステムは、前記ハウジングの前記少なくとも一部へのヒトのタッチに対して少なくとも部分的に応答性である、制御サブシステムと、
をさらに含む、請求項９のシステム。
【請求項３２】
前記ハウジングの少なくとも一部の動きを感知するモーションセンサーと、
制御サブシステムであって、前記制御サブシステムは、前記少なくとも１つのペルチェデバイスを制御するように通信可能に連結され、前記制御サブシステムは、前記ハウジングの前記少なくとも一部の動きに対して少なくとも部分的に応答性である、制御サブシステムと、
をさらに含む、請求項９のシステム。
【請求項３３】
制御サブシステムであって、前記制御サブシステムは、前記システムが通信可能に連結された携帯型の通信デバイスのディスプレイ又はメディアプレーヤ上に表示された画像又は情報のうち少なくとも１つに基づいて前記少なくとも１つのペルチェデバイスを制御するように少なくとも部分的に応答性である、制御サブシステム、
をさらに含む、請求項９のシステム。
【請求項３４】
制御サブシステムであって、前記制御サブシステムは、前記少なくとも１つのペルチェデバイスを制御するように通信可能に連結され、前記制御サブシステムは、前記システムが通信可能に連結された携帯型の通信デバイスのディスプレイ又はメディアプレーヤ上に表示されたユーザが選択可能なアイコン又は情報のユーザの選択に基づいて前記少なくとも１つのペルチェデバイスを制御するように、少なくとも部分的に応答性である、制御サブシステム、
をさらに含む、請求項９のシステム。
【請求項３５】
制御サブシステムであって、前記制御サブシステムは、前記少なくとも１つのペルチェデバイスを制御するように通信可能に連結され、前記制御サブシステムは、前記システムが通信可能に連結された携帯型の通信デバイスの画像センサー又はメディアプレーヤによって取得された画像に基づいて前記少なくとも１つのペルチェデバイスを制御するように、少なくとも部分的に応答性である、制御サブシステム、
をさらに含む、請求項９のシステム。
【請求項３６】
それぞれ親油性の香りを有するワックス基板の形態の少なくとも２つの消費可能な香り媒体を担持する前記香り媒体キャリアのうち少なくとも１つ、
をさらに含む、請求項９のシステム。
【請求項３７】
ヒートシンクをさらに含み、前記ヒートシンクから複数の熱伝達突起が延び、前記ヒートシンクは、前記少なくとも１つのペルチェデバイスへ熱伝導的に連結される、
請求項９のシステム。
【請求項３８】
前記ハウジングによって収容されたマイクロコントローラと、
電流を第１の電圧で前記マイクロコントローラへ供給するように連結された第１の段及び電流を前記第１の電圧と異なる第２の電圧で前記少なくとも１つのペルチェデバイスへ供給するように連結された第２の段を含む電源サブシステムと、
をさらに含む、請求項９のシステム。
【請求項３９】
前記ハウジングによって収容され、携帯型の通信デバイス又はメディアプレーヤのうち少なくとも１つとの通信を提供するように動作可能なであるトランシーバ、
をさらに含む、請求項９のシステム。
【請求項４０】
前記ハウジング又はペンダントのうち少なくとも１つによって収容されかつ複数のスピーカーとの通信を提供するように動作可能であるトランスミッタ、
をさらに含む、請求項９のシステム。
【請求項４１】
香りを送達させるようにシステムを動作させる方法であって、
複数の消費可能な香り媒体を担持する香り媒体キャリアを取り外し可能に受容するレシーバーに少なくとも近接して配置された少なくとも１つのペルチェデバイスを制御サブシステムにより選択的に起動させて、前記香り媒体キャリアが前記レシーバーによって受容されている間に前記香り媒体キャリアの前記消費可能な香り媒体のうち選択されたものを能動的に加熱することと、
前記複数の消費可能な香り媒体を担持する香り媒体キャリアを取り外し可能に受容する前記レシーバーに少なくとも近接するように配置される少なくとも１つのペルチェデバイスを前記制御サブシステムにより選択的に起動させて、前記香り媒体キャリアが前記レシーバーによって受容されている間に前記香り媒体キャリアの前記消費可能な香り媒体を能動的に冷却することと、
を含む、方法。
【請求項４２】
少なくとも前記少なくとも１つのペルチェデバイスを収容するハウジングの外方に香りを移動させるように第１のファンを前記制御サブシステムにより動作させること、
をさらに含む、請求項４１の方法。
【請求項４３】
前記ハウジングへ香りを内方に引き戻すように第２のファンを前記制御サブシステムにより動作させること、
をさらに含む、請求項４２の方法。
【請求項４４】
香り混合チャンバから構成可能な流体連絡可能な導管経路への香りの移動を制御するように動作可能な第１の弁を前記制御サブシステムにより選択的に動作させることと、
前記構成可能な流体連絡可能な導管経路からフィルターチャンバへの香りの移動を制御するように動作可能な第２の弁を前記制御サブシステムにより選択的に動作させることと、
をさらに含む、請求項４３の方法。
【請求項４５】
香り混合チャンバと使用時に香りを香り送達導管からユーザへ放出する香りポートとの間の流体連絡を提供する前記香り送達導管を介して前記ハウジングの前記香り混合チャンバを前記香りポートへ流体連絡可能に連結すること、
をさらに含む、請求項４１の方法。
【請求項４６】
前記香りポートとフィルターチャンバとの間に流体連絡を提供する香り返送導管を介して前記香りポートを前記ハウジングの前記フィルターチャンバへ流体連絡可能に連結すること、
をさらに含む、請求項４５の方法。
【請求項４７】
前記香り送達及び前記香り返送導管は、香り循環ループの少なくとも一部を形成し、
前記香りポートを介した香りの移動を制御するように前記香り循環ループ内の香りポート弁を制御サブシステムにより選択的に制御すること、
をさらに含む、請求項４６の方法。
【請求項４８】
携帯型の通信デバイス又はメディアプレーヤと前記システムの前記制御サブシステムとの間で信号を送るように、前記システムの前記制御サブシステムを前記携帯型の通信デバイス又は前記メディアプレーヤのうち少なくとも１つへ通信可能に連結すること、
をさらに含む、請求項４１の方法。
【請求項４９】
携帯型の通信デバイス又はメディアプレーヤと前記システムの前記制御サブシステムとの間に音声的信号を送るように、前記システムの前記制御サブシステムを前記携帯型の通信デバイス又は前記メディアプレーヤのうち少なくとも１つへ有線又は無線で通信可能に連結すること、
をさらに含む、請求項４１の方法。
【請求項５０】
前記システムの駆動ユニットの少なくとも一部の位置又は方位のうち少なくとも１つに少なくとも部分的に応答して前記少なくとも１つのペルチェデバイスの動作を前記制御サブシステムにより制御すること、
をさらに含む、請求項４１の方法。
【請求項５１】
前記システムの駆動ユニットの少なくとも一部へのヒトのタッチを感知することと、
ヒトのタッチに少なくとも部分的に応答して前記少なくとも１つのペルチェデバイス又は少なくとも１つのファンのうち少なくとも１つを前記制御サブシステムにより制御すること、
をさらに含む、請求項４１の方法。
【請求項５２】
前記システムの駆動ユニットの少なくとも一部の動きを感知することと、
前記駆動ユニットの前記少なくとも一部の前記感知された動きに少なくとも部分的に応答して前記少なくとも１つのペルチェデバイス又は少なくとも１つのファンのうち少なくとも１つを前記制御サブシステムにより制御することと、
をさらに含む、請求項４１の方法。
【請求項５３】
ペンダントの第２の部位の前記ペンダントの第１の部位に対する位置又は方位のうち少なくとも１つに少なくとも部分的に応答して前記少なくとも１つのペルチェデバイスの動作を前記制御サブシステムにより制御すること、
をさらに含む、請求項４１の方法。
【請求項５４】
ペンダントの第２の部位の前記ペンダントの第１の部位に対する位置又は方位のうち少なくとも１つに少なくとも部分的に応答して前記少なくとも１つのファンの動作を前記制御サブシステムにより制御すること、
をさらに含む、請求項４１の方法。
【請求項５５】
ペンダントの少なくとも一部へのヒトのタッチを感知することと、
前記ペンダントへのヒトのタッチに少なくとも部分的に応答して前記少なくとも１つのペルチェデバイス又は少なくとも１つのファンのうち少なくとも１つを前記制御サブシステムにより制御すること、
をさらに含む、請求項５１の方法。
【請求項５６】
ペンダントの動きを感知することと、
前記ペンダントの前記動きに少なくとも部分的に応答して前記少なくとも１つのペルチェデバイス又は少なくとも１つのファンのうち少なくとも１つを前記制御サブシステムにより制御することと、
をさらに含む、請求項５１の方法。
【請求項５７】
前記システムが通信可能に連結された携帯型の通信デバイスのディスプレイ又はメディアプレーヤ上に表示された画像又は情報のうち少なくとも１つに少なくとも部分的に基づいて、前記少なくとも１つのペルチェデバイス又は前記少なくとも１つのファンのうち少なくとも１つの動作を前記制御サブシステムにより制御すること、
をさらに含む、請求項４１の方法。
【請求項５８】
前記システムが通信可能に連結された携帯型の通信デバイスのディスプレイ又はメディアプレーヤ上に表示されたユーザが選択可能なアイコン又は情報のユーザの選択に少なくとも部分的に基づいて、前記少なくとも１つのペルチェデバイス又は前記少なくとも１つのファンのうち少なくとも１つの動作を前記制御サブシステムにより制御すること、
をさらに含む、請求項４１の方法。
【請求項５９】
前記システムが通信可能に連結された携帯型の通信デバイス又はメディアプレーヤの画像センサーによって取得された画像に少なくとも部分的に基づいて、前記少なくとも１つのペルチェデバイス又は前記少なくとも１つのファンのうち少なくとも１つの動作を前記制御サブシステムにより制御すること、
をさらに含む、請求項４１の方法。
【請求項６０】
香りを送達するように動作可能なシステムであって、前記システムは、
少なくとも香り生成チャンバ及びフィルターチャンバを有するハウジングであって、前記香り生成チャンバは、複数の消費可能な香り媒体を担持する香り媒体キャリアを取り外し可能に受容するようなサイズ及び寸法にされ、前記フィルターチャンバは、フィルター媒体を保持するようなサイズ及び寸法にされる、ハウジングと、
前記香り生成チャンバ中への各香りの放出を複数の香り媒体の対応するものにより引き起きさせるように選択的に動作可能な香りアクチュエータと、
構成可能な流体循環経路であって、前記構成可能な流体循環経路は、
構成可能な流体連絡可能な導管経路として流体連絡可能に連結された複数の導管と、
前記香り生成チャンバから前記構成可能な流体連絡可能な導管経路の一部への香りの移動を制御するように選択的に動作可能な入口弁と、
前記ハウジング内に配置され、前記構成可能な流体連絡可能な導管経路の一部から前記フィルターチャンバへの香りの移動を制御するように選択的に動作可能な出口弁と、
使用時において前記構成可能な流体循環経路から香りをユーザへ放出する香りポートと、
を含む構成可能な流体循環経路と、
を含む、システム。
【請求項６１】
前記構成可能な流体連絡可能な導管経路として流体連絡可能に連結された前記複数の導管は、
前記香り生成チャンバと前記香りポートとの間に第１の流体連絡経路を提供する送達導管と、
前記香りポートと前記フィルターチャンバとの間に第２の流体連絡経路を提供する返送導管と、
を含む、請求項６０のシステム。
【請求項６２】
香りを前記香り混合チャンバから前記構成可能な流体循環経路内に移動させるように配置され、選択的に動作可能な第１のファン、
をさらに含む、請求項６１のシステム。
【請求項６３】
前記香りポータルの上流側の前記構成可能な流体循環経路中の圧力に対してより低い圧力を前記香りポータルの下流側の前記構成可能な流体循環経路中に生成するように配置され、選択的に動作可能な第２のファン、
をさらに含む、請求項６２のシステム。
【請求項６４】
制御サブシステムであって、前記制御サブシステムは、前記制御サブシステムは、少なくとも１つのユーザ入力に応答して前記第１の又は前記第２のファンのうち少なくとも１つの動作を制御するように、通信可能に連結される、制御サブシステム、
をさらに含む、請求項６３のシステム。
【請求項６５】
前記制御サブシステムは、前記少なくとも１つのユーザ入力に応答して、前記ハウジング中に収容された少なくとも１つのペルチェデバイスをさらに起動させる、
請求項６４のシステム。
【請求項６６】
前記香りポートを有するペンダント
をさらに含む、請求項６５のシステム。
【請求項６７】
前記ペンダントは、少なくとも第１の部位及び第２の部位を含み、前記第２の部位は、前記第１の部位に対して回転するように前記第１の部位に枢動可能に取り付けられ、前記制御サブシステムは、前記ハウジングの前記第１の部位に対する前記ハウジングの前記第２の部位の方位に応答して、前記第１の又は前記第２のファンのうち少なくとも１つを起動させる、
請求項６６のシステム。
【請求項６８】
前記ハウジングから前記香りポートへ走る第１のケーブルをさらに含み、前記第１のケーブルは、前記香りチャンバと前記香りポートとの間に流体連絡を提供する香り送達導管を少なくとも含み、前記香り送達導管は、前記構成可能な流体循環経路の少なくとも一部を形成する、
請求項６６のシステム。
【請求項６９】
前記構成可能な流体循環経路は、
前記香りポートを介した香りの移動を制御するように選択的に動作可能な香りポート弁、
を含む、請求項６１のシステム。
【請求項７０】
前記構成可能な流体循環経路は、
前記返送導管から前記流体連絡可能な導管経路の前記送達導管への香りの移動を調節するように選択的に動作可能な中間弁、
を含む、請求項６１のシステム。
【請求項７１】
構成可能な流体連絡可能な導管経路として流体連絡可能に連結された前記複数の導管は、前記ハウジングの内面により形成される、
請求項６２のシステム。
【請求項７２】
構成可能な流体連絡可能な導管経路として流体連絡可能に連結された前記複数の導管は、前記ハウジングの少なくとも１つの内面によって形成され、前記少なくとも１つの内面は、乱流を誘発するための粗い表面を持つ、
請求項７１のシステム。
【請求項７３】
少なくとも香り生成チャンバ及びフィルターチャンバを有するハウジングを含む香り送達システムにおける動作の方法であって、前記香り生成チャンバは、複数の消費可能な香り媒体を担持する香り媒体キャリアを取り外し可能に受容するようなサイズ及び寸法にされ、前記フィルターチャンバは、フィルター媒体を保持するようなサイズ及び寸法にされ、前記方法は、
複数の香り媒体のうちそれぞれによる前記香り生成チャンバ中への各香りの放出を選択的に引き起こさせるように香りアクチュエータを制御サブシステムによって動作させることと、
香り生成チャンバから前記構成可能な流体連絡可能な導管経路の一部への香りの移動を選択的に制御するように、入口弁を前記制御サブシステムにより動作させることと、
前記構成可能な流体連絡可能な導管経路の一部からフィルターチャンバへの香りの移動を選択的に制御するように、出口弁を前記制御サブシステムにより動作させることと、
前記構成可能な流体循環経路から香りポートを介してユーザへ香りを放出させることと、
を含む、方法。
【請求項７４】
香り生成チャンバから前記構成可能な流体連絡可能な導管経路の一部への香りの移動を選択的に制御するように、入口弁を前記制御サブシステムにより動作させることは、前記香り生成チャンバと前記香りポートとの間に第１の流体連絡経路を提供する送達導管を介した香りの移動を選択的に制御するように前記入口弁を動作させることを含み、前記構成可能な流体連絡可能な導管経路の一部からフィルターチャンバへの香りの移動を選択的に制御するように、出口弁を前記制御サブシステムにより動作させることは、前記香りポートと前記フィルターチャンバとの間に第２の流体連絡経路を提供する返送導管を介して香りの移動を選択的に制御するように前記出口弁を動作させることを含む、
請求項７３の方法。
【請求項７５】
香りを前記香り混合チャンバから前記構成可能な流体循環経路中へ移動させるように第１のファンを動作させること、
をさらに含む、請求項７３の方法。
【請求項７６】
前記香りポータルの上流側の前記構成可能な流体循環経路中の圧力に対してより低い圧力を前記香りポータルの下流側の前記構成可能な流体循環経路中に生成するように第２のファンを動作させること、
をさらに含む、請求項７５の方法。
【請求項７７】
前記第１の及び前記第２のファンは、少なくとも部分的に同時に動作させられる、
請求項７６の方法。
【請求項７８】
ユーザ入力を示す少なくとも１つの信号を前記制御サブシステムにより受信することと、
前記ユーザ入力に応答して前記第１の又は前記第２のファンのうち少なくとも１つの動作を制御することと、
をさらに含む、請求項７７の方法。
【請求項７９】
前記香りアクチュエータは、少なくとも１つのペルチェデバイスを含み、
ユーザ入力を示す少なくとも１つの信号を前記制御サブシステムにより受信することと、
前記ユーザ入力に応答して少なくとも１つのペルチェデバイスの動作を制御することと、
をさらに含む、請求項７３の方法。
【請求項８０】
前記香り送達システムは前記香りポートを有するペンダントを含み、ユーザ入力を示す少なくとも１つの信号を前記制御サブシステムにより受信することは、前記ユーザ入力を示す少なくとも１つの信号を前記ペンダントから受信することを含む、
請求項７８又は７９の方法。
【請求項８１】
前記香りポートを介した香りの移動を選択的に制御するように香りポート弁を動作させること、
をさらに含む、求項７４の方法。
【請求項８２】
前記返送導管から前記流体連絡可能な導管経路の前記送達導管への香りの移動を選択的に調節するように中間弁を動作させること、
をさらに含む、請求項７４の方法。
【請求項８３】
システムであって、
ハウジングと、
前記ハウジング内に少なくとも部分的に収容されたレシーバーであって、前記レシーバーは、複数の消費可能な香り媒体を担持する香り媒体キャリアを取り外し可能に受容するようなサイズ及び寸法にされる、レシーバーと、
前記消費可能な香り媒体のうちの対応するものによる対応する香りの放出を引き起こすように選択的に動作可能な香りアクチュエータと、
第１の部位及び第２の部位を有するユーザ入力要素であって、前記第２の部位は前記第１の部位に対して移動可能である、ユーザ入力要素と、
制御サブシステムであって、前記制御サブシステムは、前記香り起動デバイスを制御するように通信可能に連結され、前記制御サブシステムは、前記ユーザ入力要素の前記第１の部位に対する前記ユーザ入力要素の前記第２の部位の位置又は方位のうち少なくとも１つに対して少なくとも部分的に応答性である、制御サブシステムと、
を含む、システム。
【請求項８４】
前記第２の部位は、前記第１の部位に対して回転するように前記第１の部位に枢動可能に取り付けられる、
請求項８３のシステム。
【請求項８５】
前記ユーザ入力要素は、ペンダントの形態をとる、
請求項８３又は８４のシステム。
【請求項８６】
前記ハウジングから香りポートへ走る第１のケーブルであって、前記第１のケーブルは、前記ハウジングと使用時において香りを香り送達導管からユーザへ放出する前記香りポートとの間の流体連絡を提供する前記香り送達導管を少なくとも含む、第１のケーブル、
をさらに含む、請求項８３のシステム。
【請求項８７】
前記第１のケーブルは、前記香りポートと前記ハウジングとの間に流体連絡を提供する香り返送導管を少なくともさらに含む、
請求項８６のシステム。
【請求項８８】
前記香り送達及び前記香り返送導管はそれぞれ、内径がおよそ１５ミリメートルである延伸ネオプレン管材のピースである、
請求項８７のシステム。
【請求項８９】
前記香り送達及び前記香り返送導管は、香り循環ループを形成し、
前記香り循環ループ内の弁であって、前記弁は、前記香りポートを介した香りの移動を制御するように選択的に動作可能である、弁、
をさらに含む、請求項８７のシステム。
【請求項９０】
制御サブシステムと、
携帯型の通信デバイス又はメディアプレーヤと前記システムの前記制御サブシステムとの間で信号を送るように、前記携帯型の通信デバイス又は前記メディアプレーヤのうち少なくとも１つへ通信可能に連結可能である第２のケーブルと、
をさらに含む、請求項８７のシステム。
【請求項９１】
前記第１のケーブルは、前記携帯型の通信デバイス又は前記メディアプレーヤから信号を前記システムを通じて複数のスピーカーへ送るための複数のワイヤを含む、
請求項９０のシステム。
【請求項９２】
前記香りアクチュエータは、少なくとも１つのペルチェデバイスを含む、
請求項８３のシステム。
【請求項９３】
システムであって、
香り媒体キャリアを取り外し可能に受容するようなサイズ及び寸法にされたレシーバーであって、前記香り媒体キャリアはそれぞれ、前記各香り媒体キャリア上の複数の規定された空間位置に配置された複数の消費可能な香り媒体を担持する、レシーバーと、
前記香り媒体キャリアが前記レシーバーによって受容されている間に、前記香り媒体キャリアのうち１つによって担持される前記香り媒体のうちの対応するものによる対応する香りの放出を引き起こさせるように選択的に動作可能な香りアクチュエータと、
どの特定の香り媒体が前記香り媒体キャリアのうちのどの特定のものに担持されているかに関係無く、香り媒体のうちの対応するものを一般的に指定する一般的値の時間的シーケンスを指定する香り起動情報の組に少なくとも部分的に応答して前記香りアクチュエータを制御するように、通信可能に連結された制御サブシステムと、
を含む、システム。
【請求項９４】
前記香り起動情報の組は、前記一般的値それぞれについて開始時間及び終了時間又は持続時間のうち少なくとも１つを指定し、前記制御サブシステムは、前記一般的値それぞれについての前記開始時間及び前記終了時間又は持続時間のうち少なくとも１つに少なくとも部分的に応答して前記香りアクチュエータを制御するように、通信可能に連結される、
請求項９３のシステム。
【請求項９５】
前記一般的値は、前記各香り媒体キャリア上の前記香り媒体の相対的位置を指定し、前記制御システムは、前記香り媒体キャリアに対する前記ペルチェデバイスの各位置に基づいて、複数のペルチェデバイスのうち選択されたものを起動させる、
請求項９３のシステム。
【請求項９６】
前記一般的値は、音楽特性を指定する、
請求項８３のシステム。
【請求項９７】
前記制御システムは、音楽中の音楽特性を検出し、複数のペルチェデバイスのうち選択されたものの起動を、前記香り起動情報の組によって指定された対応する前記音楽特性と同期させる、
請求項８５のシステム。
【請求項９８】
前記一般的値は、感情状態を指定する、
請求項９３のシステム。
【請求項９９】
前記香り起動情報の組が遠隔デバイスから受信される際に経由される少なくとも１つの通信ポート、
をさらに含む、請求項９３のシステム。
【請求項１００】
前記香り起動情報の組は、楽器デジタルインターフェースファイルとしてフォーマットされる、
請求項９３のシステム。
【請求項１０１】
システムであって、
少なくとも１つのプロセッサと、
プロセッサが実行可能な命令又はデータのうち少なくとも１つを保存する少なくとも１つの非一時的プロセッサにより読み出し可能な媒体であって、前記命令又はデータが実行されると、前記少なくとも１つのプロセッサが、どの特定の香り媒体が前記香り媒体キャリアのうちの任意の特定のものに担持されているかに関係無く、香り媒体のうちの対応するものを一般的に指定する一般的値の時間的なシーケンスを指定する香り起動情報の組を標準的フォーマットで生成するようにユーザが操作可能なユーザインターフェースをユーザに提示する、少なくとも１つの非一時的プロセッサにより読み出し可能な媒体と、
を含む、システム。
【請求項１０２】
前記香り起動情報の組は、前記一般的値それぞれについて開始時間及び終了時間又は持続時間のうち少なくとも１つを指定する、
請求項１０１のシステム。
【請求項１０３】
前記一般的値は、前記各香り媒体キャリア上の前記香り媒体の相対的位置を指定する、
請求項１０１のシステム。
【請求項１０４】
前記一般的値は、音楽特性を指定する、
請求項１０１のシステム。
【請求項１０５】
前記香り起動情報の組は、香り送達を少なくとも１つの音楽の曲と同期させるための同期情報を指定する、
請求項１０４のシステム。
【請求項１０６】
前記一般的値は、感情状態を指定する、
請求項１０１のシステム。
【請求項１０７】
前記香り起動情報の組を遠隔的に香り送達システムへ提供すること、
をさらに含む、請求項１０１のシステム。
【請求項１０８】
前記香り起動情報の組は、楽器デジタルインターフェースファイル（ＭＩＤＩ）としてフォーマットされる、
請求項１０１のシステム。
【請求項１０９】
香りカートリッジであって、
基板と、
前記基板によって担持される複数の温度活性化香り媒体であって、前記温度活性化香り媒体はそれぞれ、各香りを放出し、前記各香りの放出を停止するように選択的に活性化可能であり、前記温度活性化香り媒体のうち少なくとも２つによって放出される前記香りは相互に異なる、複数の温度活性化香り媒体と、
少なくとも１つのアライメント構造であって、前記香りカートリッジは、ハウジング内に少なくとも部分的に受容されるようなサイズにされ、前記アライメント構造は、前記温度活性化香り媒体を前記ハウジング内の活性化要素の組に対して規定された位置又は方位に少なくとも配置又は方位付けるように、前記ハウジングの相補的アライメント構造と協動的に連携する、少なくとも１つのアライメント構造と、
を含む、香りカートリッジ。
【請求項１１０】
前記温度活性化香り媒体は、前記基板の前記平坦表面上に空間的に分配される、
請求項１０９の香りカートリッジ。
【請求項１１１】
前記温度活性化香り媒体は、前記基板の平坦表面上の平面に載置される、
請求項１１０の香りカートリッジ。
【請求項１１２】
前記温度活性化香り媒体は、前記活性化要素の組のうちの対応する１つの前記活性化要素に熱伝導的に連結するように配置された前記基板の平坦表面上に空間的に分配される、
請求項１１１の香りカートリッジ。
【請求項１１３】
前記温度活性化香り媒体のうちの少なくともいくつかと物理的接触した金属箔であって、前記金属箔は、前記香りカートリッジが前記ハウジング内に少なくとも部分的に受容されたときに前記温度活性化香り媒体を前記活性化要素の対応するものに熱伝導的に連結させる、金属箔、
をさらに含む、請求項１１２の香りカートリッジ。
【請求項１１４】
前記活性化香り媒体のうち少なくとも４つは、前記基板の平坦表面上において行及び列の順序付けられた配列で空間的に分配され、前記温度活性化香り媒体それぞれから放出可能な各香りは、相互に異なる、
請求項１１１の香りカートリッジ。
【請求項１１５】
前記温度活性化香り媒体はそれぞれ主軸を有し、前記温度活性化香り媒体は、前記各主軸を前記基板の前記平坦平面に対して垂直に延在させた状態で配列される、
請求項１１０の香りカートリッジ。
【請求項１１６】
前記温度活性化香り媒体は、前記活性化要素の組の前記活性化要素の対応するものに熱伝導的に連結するように配置された前記基板の平坦表面上に、空間的に分配される、
請求項１１５の香りカートリッジ。
【請求項１１７】
前記温度活性化香り媒体のうち少なくともいくつかと物理的接触する金属箔であって、前記金属箔は、前記香りカートリッジが前記ハウジング内に少なくとも部分的に受容されたときに、前記温度活性化香り媒体を前記活性化要素の対応するものに熱伝導的に連結させる、金属箔、
をさらに含む、請求項１１６の香りカートリッジ。
【請求項１１８】
前記温度活性化香り媒体のうち少なくとも４つは、前記基板の平坦表面の周辺において空間的に周囲方向に配列される、
請求項１１５の香りカートリッジ。
【請求項１１９】
前記基板は円形であり、前記基板の中心の周囲に９０度の間隔を空けて空間的に周囲方向に配列された前記温度活性化香り媒体が４つある、
請求項１１５の香りカートリッジ。
【請求項１２０】
前記温度活性化香り媒体それぞれに重ねられた各金属箔片であって、前記金属箔片はそれぞれ、前記金属箔が重ねられた対応する温度活性化香り媒体に対して半径方向に内方に間隔を空けて配置される、金属箔のピース、
をさらに含む、請求項１０９の香りカートリッジ。
【請求項１２１】
前記温度活性化香り媒体のうち少なくともいくつかに重ねられる金属箔、
をさらに含む、請求項１０９の香りカートリッジ。
【請求項１２２】
前記温度活性化香り媒体は、各揮発性、親油性又はオイルベースの香り物質で含浸されたワックスの形態をとる、
請求項１０９の香りカートリッジ。
【請求項１２３】
前記基板は、プラグの少なくとも一部を形成し、
前記香りカートリッジを前記ハウジング内に解放可能に固定するための固定構造をさらに含む、
請求項１０９の香りカートリッジ。
【請求項１２４】
香り経験を香り送達デバイスを介して提供するために用いられる物品であって、前記物品は、
複数の香り媒体の少なくともいくつかのそれぞれについての活性化の持続時間を示す情報を含めて、香りトラックを前記複数の香り媒体の前記少なくともいくつかそれぞれについての活性化のシーケンスの形態で指定する、プロセッサで実行可能な命令を保存する非一時的プロセッサで読み出し可能な媒体、
を含む、物品。
【請求項１２５】
前記香りトラックは、前記複数の香り媒体の前記少なくともいくつかそれぞれについての開始時間を示す情報を含む、
請求項１２４の物品。
【請求項１２６】
前記香りトラックは、前記複数の香り媒体の前記少なくともいくつかそれぞれについての完了時間を示す情報を含む、
請求項１２５の物品。
【請求項１２７】
前記香りトラックは、前記各香り媒体を活性化させるべき開始時間後の期間を示す情報を含む、
請求項１２５の物品。
【請求項１２８】
前記香りトラックは、それぞれの前記開始時間からのオフセットとして指定された、前記複数の香り媒体の前記少なくともいくつかのそれぞれについての完了時間を示す情報を含む、
請求項１２５の物品。
【請求項１２９】
前記香りトラックは、前記複数の香り媒体の前記少なくともいくつかのそれぞれについてクールダウン期間を指定する情報を含む、
請求項１２５の物品。
【請求項１３０】
前記香りトラックは、前記複数の香り媒体の前記少なくともいくつかのそれぞれについて、前記各香り媒体を能動的に冷却する能動的なクールダウン期間を指定する情報を含む、
請求項１２５の物品。
【請求項１３１】
前記香りトラックは、音声的又はビデオ提示の少なくとも１つにおける移行を香りのクラスへ一般的にマップする情報を含む、
請求項１２５の物品。
【請求項１３２】
前記香りトラックは、香りのクラスを指定する情報を含み、前記香りのクラスは、特定の香りではなく前記基板上の香り媒体の位置へマップされる、
請求項１２５の物品。
【請求項１３３】
前記香りトラックは、特定の香りではなく前記基板上の香り媒体の位置を指定する情報を含む、
請求項１２５の物品。
【発明の詳細な説明】
【背景技術】
【０００１】
分野
本開示は、制御されたシステムを介して嗅覚感覚を１人以上のユーザへ提供することに主に関する。
【０００２】
関連分野の説明
我々の五感は全て、情報を脳へ送達するメッセンジャーとして機能し、その後脳がこの情報を処理することにより、我々は比較的予測可能な様態で応答する。我々の嗅覚の文脈内において、全ての匂いは、それら自体を特定の化学的構成で提示し、ヒトが多様な別個の匂いを感知することを可能にする。匂いの感知は鼻内において開始し、そこでは、各分子が嗅覚受容体の大きいファミリーによって検出される。嗅覚受容体は様々なタンパク質配シーケンスを有し、シーケンスの関係に基づいてサブファミリーへ割り当てられる。これらの観察は、ヒトの匂い感知の基盤となる仕組みの研究の基本となっており、その結果、２００４年の生理学及び医学におけるＬｉｎｄａ  Ｂ．Ｂｕｃｋ及びＲｉｃｈａｒｄ  Ａｘｅｌへのノーベル賞付与に繋がった。
【０００３】
しかし、我々の嗅覚の顕著な重要性があってさえ、この感覚の明白な生理学的価値の開発又はヒトが彼らの周囲の世界を日々どのように経験するかへの嗅覚のより完全な取り入れのためのことは、ほとんど何も行われていない。ユーザへの嗅覚感覚の提供のための試みのためにいくつかのシステム及びデバイスが提案されているものの、これらのシステム及びデバイスは、挙動を変化させるために使用され得る携帯型であり、個人用であり、標的型で、有効な送達システムとしては不適切であることが分かっている。これらのシステム及びデバイスのうちいくつかは、個人使用のために意図されている（例えば、米国特許第８，０５０，５４５号、第８，０３２，０１４号、第６，６５４，６６４号及び第６，８０３，９８７号を参照）一方で、他のシステム及びデバイスは、映画館などの共用領域にいる人々などの人々のグループに同時に嗅覚感覚を提供することを意図している。「Ｓｍｅｌｌ−Ｏ−Ｖｉｓｉｏｎ」として知られるこのようなシステムの１つは、観者が映画内において発生しているものを「匂う」ことができるように、映画映写の間に匂いを放出させた。この技術は、Ｈａｎｓ  Ｌａｕｂｅによって開発されたが、商業的に登場したのは、１９６０年の「Ｓｃｅｎｔ  ｏｆ  Ｍｙｓｔｅｒｙ」という映画においてのみである。このプロセスは、映画のサウンドトラックによってトリガされたときに、映画館の座席内に３０の匂いを注入した。Ｓｍｅｌｌ−Ｏ−Ｖｉｓｉｏｎは、意図した通りには機能しなかった。Ｖａｒｉｅｔｙによれば、アロマは、気が散るシューッという音とともに放出され、また、バルコニー席の聴衆は、スクリーン上でアクションが表示された数秒後に匂いが彼らに届いたと苦情を述べた。劇場の他の場所においては、匂いが弱すぎるため、聴衆が香りを嗅ぎ取ろうとするために鼻を大きくクンクンする必要があった。
【０００４】
より近年においては、Ｄｉｓｎｅｙｌａｎｄ  Ｒｅｓｏｒｔｓ社は、このアイディアを自社の３−Ｄ映画及び他のアトラクションにおいて利用している。Ｄｉｓｎｅｙ  Ｃａｌｉｆｏｒｎｉａのアトラクションである「Ｉｔ’ｓ  Ｔｏｕｇｈ  ｔｏ  ｂｅ  ａ  Ｂｕｇ」は、画面上のカメムシと同時に不快な臭いを放出し、聴衆の応答を引き起こす。同様に、「Ｓｏａｒｉｎ’Ｏｖｅｒ  Ｃａｌｉｆｏｒｎｉａ」においては、乗客の下側の景色が変わるたびに、オレンジの花、松林及び海風の香りが出てくる。
【０００５】
他の試みを挙げると、ビデオゲーム経験（例えば、ＳｃｅｎｔＳｃａｐｅ）を向上させるためのシステムがあり、画面上に表示される環境を補完するために、バックグラウンドの匂いを提供する。上記において簡潔に述べたように、これらの試みの多くは、不適切であることが分かっており、あれやこれやで制限されている。
【０００６】
個人用及び／又はグループ用途のために、生理学的応答を送達するために、所望の香りを選択的に自動化し（所望の匂いをより高精度に制御し、遠隔的に送達することを含む）、音声的及び／又は視覚的刺激を嗅覚感覚と協働させる新規なアプローチが所望されている。
【０００７】
簡潔な要旨
以下により詳細に記載するように、嗅覚刺激の音声的及び／又は視覚的信号と共に携帯可能な離散的送達することを可能にして、嗅覚刺激の標的ではないものへの影響を最小化しつつ、ヒト及び動物挙動への影響を向上させ、これにより、ユーザの全体的感覚経験を大幅に向上させるシステムが提供される。有利には、システムは携帯可能となるように構成され、ユーザが多様な環境においてシステムの恩恵をオンデマンドで持つことが可能になる。システムのプログラミングは、リモートデバイス（例えば、電話又は他の電子機器）又はユーザによって起動され得る。しかし、ユーザによる意図的な選択が無い場合、匂いはデバイスから発出されない；これは、香りの無駄又は汚染を最小化する。ユーザは、他人を刺激から保護するために、香りのために放出される匂いの量及びシステムによってフィルタリングされて環境へ放出される空気量を制限することにより、環境へ放出される匂いの量を制限することもできる。上記したように、ユーザへ提供されるプログラミング制御への補完として、システムは、多様なデバイスから提供される信号をリモートに受信するようにも構成され得、これにより、サードパーティーが音声的及び／又は視覚的信号に加えて嗅覚刺激を介してユーザと関与することが可能になる。システムは、ユーザの全体的感覚経験を向上させるためのみに利用できるだけでなく、特に嗅覚及び聴覚／視覚的信号の接続を通じて挙動変化を誘発又は向上させるためにも利用でき、生理学的状態を変化させる。例えば、システムは、音楽及び視覚的画像（例えば、コーヒーカップ）と関連付けられたコーヒー蒸気を送達することができ、その結果、注意力の状態が高まる。あるいは、システムは、チョコレートの画像と関連付けられたチョコレート蒸気を送達することができ、満腹感を促進させることができる。
【０００８】
要約すると、１つ以上の香り（単数又は複数）を提供するシステムが、香り仕様又は複数組の香り送達シーケンスによって駆動される。システムは、複数の消費可能な香り媒体をそれぞれ担持する多様な香り媒体キャリア（例えば、カートリッジ）を用い得る。香り媒体は、香りワックス、香り付きペーパー又は香り付きパウダーの形態をとり得る。システムは、消費可能な香り媒体から香りを選択的に放出するために香りアクチュエータを用い得る。例えば、システムは、１つ以上のペルチェデバイスを好適に用い得る。このようなことにより、例えば消費可能な香り媒体の能動的な加熱による選択的な気化又はエアロゾル化及び選択された能動的な冷却が可能になり、従来のアプローチと比較して香り放出のより高精度の制御が可能になる。
【０００９】
システムは、規定された香り仕様又は香り送達シーケンスの組に従って、香りを選択的に提供する。香り仕様又は香り送達シーケンスの組は、特定の香りを特定の識別子の値により指定し得、あるいは、多様な香り媒体キャリアが相互に異なる香り媒体の組を担持し得る香り媒体キャリア上の位置に基づいて、一般的に香りを指定し得る。
【００１０】
システムは、多様な流体流路又は導管、ファン又は他の空気移動器及び／又は弁を含む構成可能な循環システムを用い得る。このようなものは、香りを香りポートへ提供するように、選択的に制御され得る。このようなものは、周囲環境へ排出する前に、香りをフィルター媒体に収集及び返送するように、選択的に制御され得る。このようなものは、香りを再利用又はリサイクルして香りを香りポートへ返送するように、選択的に制御され得る。このようなものは、消費可能な香り媒体の代わりに環境から香りを収集することもし得る。このシステムの１つの利点は、ユーザが送達を制御し、香り汚染を最小化し、又は香り信号の忠実性を増幅させることが可能である点である。
【００１１】
システムは、一体型香りポートを備えた駆動ユニットであって、駆動ユニットは、例えば、携帯型の通信デバイス又はメディアコンテンツプレーヤ（メディアプレーヤと一般的に呼ばれる）などのメディアコンテンツソースへ選択的に通信可能に連結可能である、駆動ユニットの形態をとり得る。システムは、香りポートを備えたペンダントであって、ペンダントは、消費可能な香り媒体、香りアクチュエータ及び／又は制御サブシステムを保持する駆動ユニットハウジングと別個である、ペンダントを任意選択的に用い得る。ペンダントは、ユーザによりユーザの鼻の近隣に選択的に位置決め可能である。ペンダントは、ユーザがシステム動作を制御することを可能にするための、ユーザが操作可能な要素を含み得る。ペンダントは、導管（例えば、送達導管及び接続導管）を含み得る１つ以上のケーブルを介してハウジングへ連結され得る。ケーブルは、駆動ユニットを介した通信を提供するための電線又は光ファイバーをさらに含み得る。駆動ユニットは、１つ以上のスピーカーへ例えば音を提供するように有線的に光学的に又は無線的に連結され得る。代替的に又は追加的に、ペンダントは、１つ以上のスピーカーへ例えば音を提供するように有線的に光学的に又は無線的に連結され得る。
【００１２】
駆動ユニットは、携帯型の通信デバイス又はメディアコンテンツプレーヤへ有線的に光学的に又は無線的に通信可能に連結され得る。携帯型の通信デバイス又はメディアコンテンツプレーヤは、音声（例えば、音楽、発話、ＭＰ３）、ビデオ（例えば、ＭＰ４）及び／又は駆動ユニットのサブシステムを制御するための命令を提供し得る。
【００１３】
主に個人用のシステムとして記載しているが、システムは、複数の人間（例えば、劇場などの共通の空間を占有している人々）へ同時に又は一斉に香りを提供するために適した形態をとり得る。
【００１４】
携帯可能な香り送達システムは、携帯可能な香り送達システムであって、少なくとも使用時において香り媒体を保持する少なくとも香り生成チャンバを有するハウジングと、前記香り生成チャンバ中の前記香り媒体からの１つ以上の香りの放出を引き起こすように制御可能に動作可能な香りアクチュエータと、必要な場合に少なくとも１つのエンドユーザ入力に応答して香りを前記香りチャンバから対流を介して選択的に放出するように動作可能な香りポートと、１つ以上の組の音声及び／又は画像情報も含む遠隔的に生成された香り経験パッケージの一部である１組の香り起動情報に応答して前記香りアクチュエータを制御するように通信可能に連結された制御サブシステムと、を含むものとして要約され得る。
【００１５】
携帯可能な香りは、香りポートに香りを対流を介して選択的に放出させるように少なくとも１つのエンドユーザ入力を提供するように通信可能に連結された、ユーザが起動可能な制御をさらに含み得る。ユーザが起動可能な制御は、ハウジングへ連結され得る。制御サブシステムは、香り起動情報を携帯型の通信デバイス又はメディアコンテンツプレーヤから受信するように通信可能に連結され得、音声及び／又は画像情報によって指定された音声及び／又は画像と同期して香りの放出を引き起こさせ得る。制御サブシステムは、香り起動情報を携帯型の通信デバイス又はメディアコンテンツプレーヤから受信するように通信可能に連結され得、音声及び／又は画像情報によって指定されかつ携帯型の通信デバイス又はメディアコンテンツプレーヤによって提示される音声及び／又は画像と同期して香りの放出を引き起こさせ得る。香りアクチュエータは、１つ以上の香りを高精度に制御された量で高精度に制御された時間に放出するように、制御可能に動作可能であり得る。香りポートは、１つ以上の香りを高精度に制御された量で高精度に制御された時間に放出するように、動作可能であり得る。香り起動情報の組は、１つ以上の音声及び／又は画像情報の組も含む遠隔的に生成された香り経験パッケージの一体部分であり得、遠隔的に生成された香り経験パッケージと共に期限切れになる。
【００１６】
香りを送達するように動作可能なシステムは、ハウジングと、ハウジング内に少なくとも部分的に収容されたレシーバーであって、レシーバーは、複数の消費可能な香り媒体を担持する香り媒体キャリアを取り外し可能に受容するようなサイズ及び寸法にされる、レシーバーと、レシーバーに少なくとも近接するように配置され、香り媒体キャリアがレシーバーによって受容されている間に香り媒体キャリアの消費可能な香り媒体を能動的に加熱するかあるいは能動的に冷却するように、選択的に動作可能である、少なくとも１つのペルチェデバイスとを含むものとして要約され得る。
【００１７】
ハウジングが少なくとも第１の区画、第２の区画及び第３の区画を含むシステムは、レシーバーが第１の区画内に配置され、少なくとも１つのフィルターであって、少なくとも１つのフィルターは、第１の区画内に設置されたレシーバーと別個に第２の区画内に設置される、少なくとも１つのフィルターと、第３の区画内に設置された制御サブシステムとをさらに含み得る。
【００１８】
システムは、ハウジング内に配置されかつ香りをハウジングの外方に移動させるように選択的に動作可能させる第１のファンをさらに含み得る。
【００１９】
システムは、ハウジング内に配置されかつ香りを内方にハウジングへ引き戻すように選択的に動作可能となるように配置された第２のファンをさらに含み得る。
【００２０】
ハウジングが、香り混合チャンバ及びフィルターチャンバを含み得、フィルターチャンバは、香り混合チャンバと別個であり、フィルター媒体を保持するようなサイズ及び寸法にされ得るシステムは、ハウジング内に配置されかつ香り混合チャンバから構成可能な流体連絡可能な導管経路への香りの移動を制御するように選択的に動作可能な第１の弁と、ハウジング内に配置されかつ構成可能な流体連絡可能な導管経路からフィルターチャンバへの香りの移動を制御するように選択的に動作可能な第２の弁とをさらに含み得る。
【００２１】
システムは、香りチャンバと、使用時において香りを香り送達導管からユーザへ放出する香りポートとの間に流体連絡を提供する香り送達導管を少なくともさらに含み得る。
【００２２】
システムは、香りポートとフィルターチャンバとの間に流体連絡を提供する香り返送導管を少なくともさらに含み得る。香り送達及び香り返送導管はそれぞれ、内径がおよそ１．５ミリメートルの延伸ネオプレン管材のピースであり得る。
【００２３】
香り送達及び香り返送導管は、香り循環ループを形成し得、香り循環ループ内の香りポート弁をさらに含み得、香りポート弁は、香りポートを介した香りの移動を制御するように、選択的に動作可能である。
【００２４】
システムは、香りポートを有するペンダントをさらに含み得る。
【００２５】
システムは、ハウジングから香りポートへ走る第１のケーブルをさらに含み得、第１のケーブルは、香りチャンバと、使用時において香りを香り送達導管からユーザへ放出する香りポートとの間に流体連絡を提供する香り送達導管を少なくとも含む。
【００２６】
第１のケーブルは、香りポートとフィルターチャンバとの間に流体連絡を提供する香り返送導管を少なくともさらに含み得る。
【００２７】
システムは、制御サブシステムと、携帯型の通信デバイス又はメディアプレーヤとシステムの制御サブシステムとの間で信号を送るように携帯型の通信デバイス又はメディアプレーヤのうち少なくとも１つへ通信可能に連結可能な第２のケーブルとをさらに含み得る。
【００２８】
システムは、制御サブシステムと、音声源とシステムの制御サブシステムとの間で信号を送るように音声源へ通信可能に連結可能な第２のケーブルとをさらに含み得る。第１のケーブルは、信号を携帯型の通信デバイス又はメディアプレーヤからシステムを通じて複数のスピーカーへ送るための複数のワイヤを含み得る。
【００２９】
ペンダントは、少なくとも第１の部位及び第２の部位を含み得る。第２の部位は、第１の部位に対して回転するように第１の部位に枢動可能に取り付けられ得、制御サブシステムをさらに含み得る。制御サブシステムは、少なくとも１つのペルチェデバイスを制御するように少なくとも１つのペルチェデバイスへ通信可能に連結され、制御サブシステムは、ペンダントの第１の部位に対するペンダントの第２の部位の方位に対して少なくとも部分的に応答性である。制御サブシステムは、ペンダントの第１の部位に対するペンダントの第２の部位の方位に応答して、少なくとも１つのファンを起動させ得る。
【００３０】
システムは、少なくとも前記ペンダントの一部へのヒトのタッチを感知するタッチセンサーと、制御サブシステムであって、前記制御サブシステムは、前記少なくとも１つのペルチェデバイスを制御するように通信可能に連結され、前記制御サブシステムは、前記ペンダントへのヒトのタッチに対して少なくとも部分的に応答性である、制御サブシステムと、をさらに含み得る。
【００３１】
システムは、少なくとも前記ペンダントの一部の動きを感知するモーションセンサーと、制御サブシステムであって、前記制御サブシステムは、前記少なくとも１つのペルチェデバイスを制御するように通信可能に連結され、前記制御サブシステムは、前記ペンダントの動きに対して少なくとも部分的に応答性である、制御サブシステムとをさらに含み得る。
【００３２】
システムは、制御サブシステムであって、前記制御サブシステムは、前記少なくとも１つのペルチェデバイスを制御するように、通信可能に連結される、制御サブシステムをさらに含み得る。
【００３３】
システムは、制御サブシステムであって、前記制御サブシステムは、前記少なくとも１つのペルチェデバイスを制御するように、通信可能に連結され、前記制御サブシステムは、前記ハウジングの前記少なくとも一部の方位に対して少なくとも部分的に応答性である、制御サブシステムをさらに含み得る。制御サブシステムは、ハウジングの少なくとも一部の方位に応答して少なくとも１つのファンを起動させ得る。
【００３４】
システムは、前記ハウジングの少なくとも一部へのヒトのタッチを感知するタッチセンサーと、制御サブシステムであって、前記制御サブシステムは、前記少なくとも１つのペルチェデバイスを制御するように通信可能に連結され、前記制御サブシステムは、前記ハウジングの前記少なくとも一部へのヒトのタッチに対して少なくとも部分的に応答性である、制御サブシステムとをさらに含み得る。
【００３５】
システムは、前記ハウジングの少なくとも一部の動きを感知するモーションセンサーと、制御サブシステムであって、前記制御サブシステムは、前記少なくとも１つのペルチェデバイスを制御するように通信可能に連結され、前記制御サブシステムは、前記ハウジングの前記少なくとも一部の動きに対して少なくとも部分的に応答性である、制御サブシステムとをさらに含み得る。
【００３６】
システムは、制御サブシステムであって、前記制御サブシステムは、前記システムが通信可能に連結された携帯型の通信デバイスのディスプレイ又はメディアプレーヤ上に表示された画像又は情報のうち少なくとも１つに基づいて前記少なくとも１つのペルチェデバイスを制御するように少なくとも部分的に応答性である、制御サブシステムをさらに含み得る。
【００３７】
システムは、制御サブシステムであって、前記制御サブシステムは、前記少なくとも１つのペルチェデバイスを制御するように通信可能に連結され、前記制御サブシステムは、前記システムが通信可能に連結された携帯型の通信デバイスのディスプレイ又はメディアプレーヤ上に表示されたユーザが選択可能なアイコン又は情報のユーザの選択に基づいて前記少なくとも１つのペルチェデバイスを制御するように、少なくとも部分的に応答性である、制御サブシステムをさらに含み得る。
【００３８】
システムは、制御サブシステムであって、前記制御サブシステムは、前記少なくとも１つのペルチェデバイスを制御するように通信可能に連結され、前記制御サブシステムは、前記システムが通信可能に連結された携帯型の通信デバイスの画像センサー又はメディアプレーヤによって取得された画像に基づいて前記少なくとも１つのペルチェデバイスを制御するように、少なくとも部分的に応答性である、制御サブシステムをさらに含み得る。
【００３９】
システムは、それぞれ親油性の香りを有するワックス基板の形態の少なくとも２つの消費可能な香り媒体を担持する前記香り媒体キャリアのうち少なくとも１つをさらに含み得る。
【００４０】
システムは、ヒートシンクをさらに含み、前記ヒートシンクから複数の熱伝達突起が延び、前記ヒートシンクは、前記少なくとも１つのペルチェデバイスへ熱伝導的に連結され得る。
【００４１】
システムは、
前記ハウジングによって収容されたマイクロコントローラと、電流を第１の電圧で前記マイクロコントローラへ供給するように連結された第１の段及び電流を前記第１の電圧と異なる第２の電圧で前記少なくとも１つのペルチェデバイスへ供給するように連結された第２の段を含む電源サブシステムとをさらに含み得る。
【００４２】
システムは、前記ハウジングによって収容され、携帯型の通信デバイス又はメディアプレーヤのうち少なくとも１つとの通信を提供するように動作可能なであるトランシーバをさらに含み得る。
【００４３】
前記ハウジング又はペンダントのうち少なくとも１つによって収容されかつ複数のスピーカーとの通信を提供するように動作可能であるトランスミッタをさらに含み得る。
【００４４】
システムを香りを送達させるように動作させる方法は、複数の消費可能な香り媒体を担持する香り媒体キャリアを取り外し可能に受容するレシーバーに少なくとも近接して配置された少なくとも１つのペルチェデバイスを制御サブシステムにより選択的に起動させて、前記香り媒体キャリアが前記レシーバーによって受容されている間に前記香り媒体キャリアの前記消費可能な香り媒体のうち選択されたものを能動的に加熱することと、前記複数の消費可能な香り媒体を担持する香り媒体キャリアを取り外し可能に受容する前記レシーバーに少なくとも近接するように配置される少なくとも１つのペルチェデバイスを前記制御サブシステムにより選択的に起動させて、前記香り媒体キャリアが前記レシーバーによって受容されている間に前記香り媒体キャリアの前記消費可能な香り媒体を能動的に冷却することとを含むものとして要約され得る。
【００４５】
方法は、少なくとも前記少なくとも１つのペルチェデバイスを収容するハウジングの外方に香りを移動させるように第１のファンを前記制御サブシステムにより動作させることをさらに含み得る。
【００４６】
方法は、前記ハウジングへ香りを内方に引き戻すように第２のファンを前記制御サブシステムにより動作させることをさらに含み得る。
【００４７】
方法は、香り混合チャンバから構成可能な流体連絡可能な導管経路への香りの移動を制御するように動作可能な第１の弁を前記制御サブシステムにより選択的に動作させることと、前記構成可能な流体連絡可能な導管経路からフィルターチャンバへの香りの移動を制御するように動作可能な第２の弁を前記制御サブシステムにより選択的に動作させることとをさらに含み得る。
【００４８】
方法は、香り混合チャンバと使用時に香りを香り送達導管からユーザへ放出する香りポートとの間の流体連絡を提供する前記香り送達導管を介して前記ハウジングの前記香り混合チャンバを前記香りポートへ流体連絡可能に連結することをさらに含み得る。
【００４９】
方法は、前記香りポートとフィルターチャンバとの間に流体連絡を提供する香り返送導管を介して前記香りポートを前記ハウジングの前記フィルターチャンバへ流体連絡可能に連結することをさらに含み得る。
【００５０】
前記香り送達及び前記香り返送導管は、香り循環ループの少なくとも一部を形成し、前記香りポートを介した香りの移動を制御するように前記香り循環ループ内の香りポート弁を制御サブシステムにより選択的に制御することをさらに含み得る。
【００５１】
方法は、携帯型の通信デバイス又はメディアプレーヤと前記システムの前記制御サブシステムとの間で信号を送るように、前記システムの前記制御サブシステムを前記携帯型の通信デバイス又は前記メディアプレーヤのうち少なくとも１つへ通信可能に連結することをさらに含み得る。
【００５２】
方法は、携帯型の通信デバイス又はメディアプレーヤと前記システムの前記制御サブシステムとの間に音声的信号を送るように、前記システムの前記制御サブシステムを前記携帯型の通信デバイス又は前記メディアプレーヤのうち少なくとも１つへ有線又は無線で通信可能に連結することをさらに含み得る。
【００５３】
方法は、前記システムの駆動ユニットの少なくとも一部の位置又は方位のうち少なくとも１つに少なくとも部分的に応答して前記少なくとも１つのペルチェデバイスの動作を前記制御サブシステムにより制御することをさらに含み得る。
【００５４】
方法は、前記システムの駆動ユニットの少なくとも一部へのヒトのタッチを感知することと、ヒトのタッチに少なくとも部分的に応答して前記少なくとも１つのペルチェデバイス又は少なくとも１つのファンのうち少なくとも１つを前記制御サブシステムにより制御することをさらに含み得る。
【００５５】
方法は、前記システムの駆動ユニットの少なくとも一部の動きを感知することと、前記駆動ユニットの前記少なくとも一部の前記感知された動きに少なくとも部分的に応答して前記少なくとも１つのペルチェデバイス又は少なくとも１つのファンのうち少なくとも１つを前記制御サブシステムにより制御することとをさらに含み得る。
【００５６】
方法は、ペンダントの第２の部位の前記ペンダントの第１の部位に対する位置又は方位のうち少なくとも１つに少なくとも部分的に応答して前記少なくとも１つのペルチェデバイスの動作を前記制御サブシステムにより制御することをさらに含み得る。
【００５７】
方法は、ペンダントの第２の部位の前記ペンダントの第１の部位に対する位置又は方位のうち少なくとも１つに少なくとも部分的に応答して前記少なくとも１つのファンの動作を前記制御サブシステムにより制御することをさらに含み得る。
【００５８】
方法は、ペンダントの少なくとも一部へのヒトのタッチを感知することと、前記ペンダントへのヒトのタッチに少なくとも部分的に応答して前記少なくとも１つのペルチェデバイス又は少なくとも１つのファンのうち少なくとも１つを前記制御サブシステムにより制御することをさらに含み得る。
【００５９】
方法は、ペンダントの動きを感知することと、前記ペンダントの前記動きに少なくとも部分的に応答して前記少なくとも１つのペルチェデバイス又は少なくとも１つのファンのうち少なくとも１つを前記制御サブシステムにより制御することとをさらに含み得る。
【００６０】
方法は、前記システムが通信可能に連結された携帯型の通信デバイスのディスプレイ又はメディアプレーヤ上に表示された画像又は情報のうち少なくとも１つに少なくとも部分的に基づいて、前記少なくとも１つのペルチェデバイス又は前記少なくとも１つのファンのうち少なくとも１つの動作を前記制御サブシステムにより制御することをさらに含み得る。
【００６１】
方法は、前記システムが通信可能に連結された携帯型の通信デバイスのディスプレイ又はメディアプレーヤ上に表示されたユーザが選択可能なアイコン又は情報のユーザの選択に少なくとも部分的に基づいて、前記少なくとも１つのペルチェデバイス又は前記少なくとも１つのファンのうち少なくとも１つの動作を前記制御サブシステムにより制御することをさらに含み得る。
【００６２】
方法は、前記システムが通信可能に連結された携帯型の通信デバイス又はメディアプレーヤの画像センサーによって取得された画像に少なくとも部分的に基づいて、前記少なくとも１つのペルチェデバイス又は前記少なくとも１つのファンのうち少なくとも１つの動作を前記制御サブシステムにより制御することをさらに含み得る。
【００６３】
香りを送達するように動作可能なシステムは、少なくとも香り生成チャンバ及びフィルターチャンバを有するハウジングであって、前記香り生成チャンバは、複数の消費可能な香り媒体を担持する香り媒体キャリアを取り外し可能に受容するようなサイズ及び寸法にされ、前記フィルターチャンバは、フィルター媒体を保持するようなサイズ及び寸法にされる、ハウジングと、前記香り生成チャンバ中への各香りの放出を複数の香り媒体の対応するものにより生じさせるように選択的に動作可能な香りアクチュエータと、構成可能な流体循環経路であって、前記構成可能な流体循環経路は、構成可能な流体連絡可能な導管経路として流体連絡可能に連結された複数の導管と、前記香り生成チャンバから前記構成可能な流体連絡可能な導管経路の一部への香りの移動を制御するように選択的に動作可能な入口弁と、前記ハウジング内に配置され、前記構成可能な流体連絡可能な導管経路の一部から前記フィルターチャンバへの香りの移動を制御するように選択的に動作可能な出口弁と、使用時において前記構成可能な流体循環経路から香りをユーザへ放出する香りポートと、を含む構成可能な流体循環経路とを含む、構成可能な流体循環経路とを含むものとして要約され得る。前記構成可能な流体連絡可能な導管経路として流体連絡可能に連結された前記複数の導管は、前記香り生成チャンバと前記香りポートとの間に第１の流体連絡経路を提供する送達導管と、前記香りポートと前記フィルターチャンバとの間に第２の流体連絡経路を提供する返送導管とを含み得る。
【００６４】
システムは、香りを前記香り混合チャンバから前記構成可能な流体循環経路内に移動させるように配置され、選択的に動作可能な第１のファンをさらに含み得る。
【００６５】
システムは、前記香りポータルの上流側の前記構成可能な流体循環経路中の圧力よりも低い圧力を前記香りポータルの下流側の前記構成可能な流体循環経路中に生成するように配置され、選択的に動作可能な第２のファンをさらに含み得る。
【００６６】
システムは、制御サブシステムであって、前記制御サブシステムは、前記制御サブシステムは、少なくとも１つのユーザ入力に応答して前記第１の又は前記第２のファンのうち少なくとも１つの動作を制御するように、通信可能に連結される、制御サブシステムを更に含み得る。前記制御サブシステムは、前記少なくとも１つのユーザ入力に応答して、前記ハウジング中に収容された少なくとも１つのペルチェデバイスをさらに起動させ得る。
【００６７】
システムは、前記香りポートを有するペンダントをさらに含み得る。前記ペンダントは、少なくとも第１の部位及び第２の部位を含み、前記第２の部位は、前記第１の部位に対して回転するように前記第１の部位に枢動可能に取り付けられ、前記制御サブシステムは、前記ハウジングの前記第１の部位に対する前記ハウジングの前記第２の部位の方位に応答して、前記第１の又は前記第２のファンのうち少なくとも１つを起動させせ得る。
【００６８】
システムは、前記ハウジングから前記香りポートへ走る第１のケーブルをさらに含み、前記第１のケーブルは、前記香りチャンバと前記香りポートとの間に流体連絡を提供する香り送達導管を少なくとも含み、前記香り送達導管は、前記構成可能な流体循環経路の少なくとも一部を形成し得る。前記構成可能な流体循環経路は、前記香りポートを介した香りの移動を制御するように選択的に動作可能な香りポート弁を含み得る。前記構成可能な流体循環経路は、前記返送導管から前記流体連絡可能な導管経路の前記送達導管への香りの移動を調節するように選択的に動作可能な中間弁を更に含み得る。構成可能な流体連絡可能な導管経路として流体連絡可能に連結された前記複数の導管は、前記ハウジングの内面により形成され得る。構成可能な流体連絡可能な導管経路として流体連絡可能に連結された前記複数の導管は、前記ハウジングの少なくとも１つの内面によって形成され、前記少なくとも１つの内面は、乱流を誘発するための粗い表面を持ち得る。
【００６９】
少なくとも香り生成チャンバ及びフィルターチャンバを有するハウジングを含む香り送達システムにおける動作の方法は、少なくとも香り生成チャンバ及びフィルターチャンバを有するハウジングを含む香り送達システムにおける動作の方法であって、前記香り生成チャンバは、複数の消費可能な香り媒体を担持する香り媒体キャリアを取り外し可能に受容するようなサイズ及び寸法にされ、前記フィルターチャンバは、フィルター媒体を保持するようなサイズ及び寸法にされた方法は、複数の香り媒体のうちそれぞれによる前記香り生成チャンバ中への各香りの放出を選択的に引き起こさせるように香りアクチュエータを制御サブシステムによって動作させることと、香り生成チャンバから前記構成可能な流体連絡可能な導管経路の一部への香りの移動を選択的に制御するように、入口弁を前記制御サブシステムにより動作させることと、前記構成可能な流体連絡可能な導管経路の一部からフィルターチャンバへの香りの移動を選択的に制御するように、出口弁を前記制御サブシステムにより動作させることと、前記構成可能な流体循環経路から香りポートを介してユーザへ香りを放出させることとを含み得る。香り生成チャンバから前記構成可能な流体連絡可能な導管経路の一部への香りの移動を選択的に制御するように、入口弁を前記制御サブシステムにより動作させることは、前記香り生成チャンバと前記香りポートとの間に第１の流体連絡経路を提供し得る送達導管を介した香りの移動を選択的に制御するように前記入口弁を動作させることを含み、前記構成可能な流体連絡可能な導管経路の一部からフィルターチャンバへの香りの移動を選択的に制御するように、出口弁を前記制御サブシステムにより動作させることは、前記香りポートと前記フィルターチャンバとの間に第２の流体連絡経路を提供し得る返送導管を介して香りの移動を選択的に制御するように前記出口弁を動作させることを含み得る。
【００７０】
方法は、香りを前記香り混合チャンバから前記構成可能な流体循環経路中へ移動させるように第１のファンを動作させることをさらに含み得る。
【００７１】
方法は、前記香りポータルの上流側の前記構成可能な流体循環経路中の圧力より低い圧力を前記香りポータルの下流側の前記構成可能な流体循環経路中に生成するように第２のファンを動作させることを更に含み得る。前記第１の及び前記第２のファンは、少なくとも部分的に同時に動作させられ得る。
【００７２】
方法は、ユーザ入力を示す少なくとも１つの信号を前記制御サブシステムにより受信することと、前記ユーザ入力に応答して前記第１の又は前記第２のファンのうち少なくとも１つの動作を制御することとをさらに含み得る。
【００７３】
前記香りアクチュエータは、少なくとも１つのペルチェデバイスを含むことができ、ユーザ入力を示す少なくとも１つの信号を前記制御サブシステムにより受信することと、前記ユーザ入力に応答して少なくとも１つのペルチェデバイスの動作を制御することとをさらに含み得る。前記香り送達システムは前記香りポートを有するペンダントを含むことができ、ユーザ入力を示す少なくとも１つの信号を前記制御サブシステムにより受信することは、前記ユーザ入力を示す少なくとも１つの信号を前記ペンダントから受信することを含み得る。
【００７４】
方法は、前記香りポートを介した香りの移動を選択的に制御するように香りポート弁を動作させることをさらに含み得る。
【００７５】
方法は、前記返送導管から前記流体連絡可能な導管経路の前記送達導管への香りの移動を選択的に調節するように中間弁を動作させることをさらに含み得る。
【００７６】
システムは、
ハウジングと、
前記ハウジング内に少なくとも部分的に収容されたレシーバーであって、前記レシーバーは、複数の消費可能な香り媒体を担持する香り媒体キャリアを取り外し可能に受容するようなサイズ及び寸法にされる、レシーバーと、前記消費可能な香り媒体のうちの対応するものによる対応する香りの放出を引き起こすように選択的に動作可能な香りアクチュエータと、第１の部位及び第２の部位を有するユーザ入力要素であって、前記第２の部位は前記第１の部位に対して移動可能である、ユーザ入力要素と、制御サブシステムであって、前記制御サブシステムは、前記香り起動デバイスを制御するように通信可能に連結され、前記制御サブシステムは、前記ユーザ入力要素の前記第１の部位に対する前記ユーザ入力要素の前記第２の部位の位置又は方位のうち少なくとも１つに対して少なくとも部分的に応答性である、制御サブシステムとを含むものとして要約され得る。前記第２の部位は、前記第１の部位に対して回転するように前記第１の部位に枢動可能に取り付けられ得る。前記ユーザ入力要素は、ペンダントの形態をとり得る。
【００７７】
システムは、前記ハウジングから香りポートへ走る第１のケーブルであって、前記第１のケーブルは、前記ハウジングと使用時において香りを香り送達導管からユーザへ放出する前記香りポートとの間の流体連絡を提供する前記香り送達導管を少なくとも含む、第１のケーブルを含み得る。前記第１のケーブルは、前記香りポートと前記ハウジングとの間に流体連絡を提供する香り返送導管を少なくともさらに含み得る。前記香り送達及び前記香り返送導管はそれぞれ、内径がおよそ１５ミリメートルである延伸ネオプレン管材のピースであり得る。
【００７８】
前記香り送達及び前記香り返送導管は、香り循環ループを形成することができ、前記香り循環ループ内の弁であって、前記弁は、前記香りポートを介した香りの移動を制御するように選択的に動作可能である、弁をさらに含み得る。
【００７９】
システムは、制御サブシステムと、携帯型の通信デバイス又はメディアプレーヤと前記システムの前記制御サブシステムとの間で信号を送るように、前記携帯型の通信デバイス又は前記メディアプレーヤのうち少なくとも１つへ通信可能に連結可能である第２のケーブルとをさらに含み得る。前記第１のケーブルは、前記携帯型の通信デバイス又は前記メディアプレーヤから信号を前記システムを通じて複数のスピーカーへ送るための複数のワイヤを含み得る。前記香りアクチュエータは、少なくとも１つのペルチェデバイスを含み得る。
【００８０】
システムは、香り媒体キャリアを取り外し可能に受容するようなサイズ及び寸法にされたレシーバーであって、前記香り媒体キャリアはそれぞれ、前記各香り媒体キャリア上の複数の規定された空間位置に配置された複数の消費可能な香り媒体を担持する、レシーバーと、前記香り媒体キャリアが前記レシーバーによって受容されている間に、前記香り媒体キャリアのうち１つによって担持される前記香り媒体のうちの対応するものによる対応する香りの放出を引き起こさせるように選択的に動作可能な香りアクチュエータと、どの特定の香り媒体が前記香り媒体キャリアのうちのどの特定のものに担持されているかに関係無く、香り媒体のうちの対応するものを一般的に指定する一般的値の時間的なシーケンスを指定する香り起動情報の組に少なくとも部分的に応答して前記香りアクチュエータを制御するように、通信可能に連結された制御サブシステムとを含むものとして要約され得る。前記香り起動情報の組は、前記一般的値それぞれについて開始時間及び終了時間又は持続時間のうち少なくとも１つを指定し、前記制御サブシステムは、前記一般的値それぞれについての前記開始時間及び前記終了時間又は持続時間のうち少なくとも１つに少なくとも部分的に応答して前記香りアクチュエータを制御するように、通信可能に連結され得る。前記一般的値は、前記各香り媒体キャリア上の前記香り媒体の相対的位置を指定することができ、前記制御システムは、前記香り媒体キャリアに対する前記ペルチェデバイスの各位置に基づいて、複数のペルチェデバイスのうち選択されたものを起動させ得る。前記一般的値は、音楽特性を指定し得る。前記制御システムは、音楽中の音楽特性を検出し、複数のペルチェデバイスのうち選択されたものの起動を、前記香り起動情報の組によって指定された対応する前記音楽特性に同期させ得る。一般的値は、感情状態を指定し得る。
【００８１】
システムは、前記香り起動情報の組が遠隔デバイスから受信される際に経由される少なくとも１つの通信ポートを更に含み得る。前記香り起動情報の組は、楽器デジタルインターフェースファイルとしてフォーマットされる。
【００８２】
システムは、少なくとも１つのプロセッサと、
プロセッサが実行可能な命令又はデータのうち少なくとも１つを保存する少なくとも１つの非一時的プロセッサにより読み出し可能な媒体であって、前記命令又はデータが実行されると、前記少なくとも１つのプロセッサが、どの特定の香り媒体が前記香り媒体キャリアのうちの任意の特定のものに担持されているかに関係無く、香り媒体のうちの対応するものを一般的に指定する一般的値の時間的なシーケンスを指定する香り起動情報の組を標準的フォーマットで生成するようにユーザが操作可能なユーザインターフェースをユーザに提示する、少なくとも１つの非一時的プロセッサにより読み出し可能な媒体とを含むものとして要約され得る。前記香り起動情報の組は、前記一般的値それぞれについて開始時間及び終了時間又は持続時間のうち少なくとも１つを指定し得る。前記一般的値は、前記各香り媒体キャリア上の前記香り媒体の相対的位置を指定し得る。前記一般的値は、音楽特性を指定し得る。前記香り起動情報の組は、香り送達を少なくとも１つの音楽の曲と同期させるための同期情報を指定し得る。前記一般的値は、感情状態を指定し得る。
【００８３】
システムは、前記香り起動情報の組を遠隔的に香り送達システムへ提供することをさらに含み得る。前記香り起動情報の組は、楽器デジタルインターフェースファイル（ＭＩＤＩ）としてフォーマットされ得る。
【００８４】
香りカートリッジは、
基板と、前記基板によって担持される複数の温度活性化香り媒体（温度活性化される香り媒体）であって、前記温度活性化香り媒体はそれぞれ、各香りを放出し、前記各香りの放出を停止するように選択的に活性化可能であり、前記温度活性化香り媒体のうち少なくとも２つによって放出される前記香りは相互に異なる、複数の温度活性化香り媒体と、少なくとも１つのアライメント構造であって、前記香りカートリッジは、ハウジング内に少なくとも部分的に受容されるようなサイズにされ、前記アライメント構造は、前記温度活性化香り媒体を前記ハウジング内の活性化要素の組に対して規定された位置又は方位に少なくとも配置又は方位付けるように、前記ハウジングの相補的アライメント構造と協動的に連携する、少なくとも１つのアライメント構造とを含むものとして要約され得る。
【００８５】
前記温度活性化香り媒体は、前記基板の平坦表面上に空間的に分配され得る。前記温度活性化香り媒体は、前記基板の前記平坦表面上の平面に載置され得る。前記温度活性化香り媒体は、前記活性化要素の組のうちの対応する１つの前記活性化要素に熱伝導的に連結するように配置された前記基板の平坦表面上に空間的に分配され得る。香りカートリッジは、前記温度活性化香り媒体のうちの少なくともいくつかと物理的接触した金属箔であって、前記金属箔は、前記香りカートリッジが前記ハウジング内に少なくとも部分的に受容されたときに前記温度活性化香り媒体を前記活性化要素の対応するものに熱伝導的に連結させる、金属箔をさらに含み得る。前記活性化香り媒体のうち少なくとも４つは、前記基板の平坦表面上において行及び列の順序付けられた配列で空間的に分配されることができ、前記温度活性化香り媒体それぞれから放出可能な各香りは、相互に異なり得る。前記温度活性化香り媒体の主軸は、それぞれの前記主軸が前記基板の前記平坦平面に対して垂直に延在する状態で配列され得る。前記温度活性化香り媒体は、前記活性化要素の組のうちの前記活性化要素の対応するものに熱伝導的に連結するように配置された前記基板の平坦表面上に、空間的に分配され得る。香りカートリッジは、前記温度活性化香り媒体のうち少なくともいくつかと物理的接触する金属箔であって、前記金属箔は、前記香りカートリッジが前記ハウジング内に少なくとも部分的に受容されたときに、前記温度活性化香り媒体を前記活性化要素の対応するものに熱伝導的に連結させる、金属箔をさらに含み得る。前記温度活性化香り媒体のうち少なくとも４つは、前記基板の平坦表面の周辺において空間的に周囲方向に配列され得る。前記基板は円形であり得、前記基板の中心の周囲に９０度の間隔を空けて空間的に周囲方向に配列された前記温度活性化香り媒体が４つあり得る。香りカートリッジは、前記温度活性化香り媒体のうち少なくともいくつかに重ねられる金属箔を更に含み得る。前記温度活性化香り媒体は、各揮発性、親油性又はオイルベースの香り物質で含浸されたワックスの形態をとり得る。前記基板は、プラグの少なくとも一部を形成し、前記香りカートリッジを前記ハウジング内に解放可能に固定するための固定構造をさらに含み得る。
【００８６】
香り経験を香り送達デバイスを介して提供するために用いられる物品は、複数の香り媒体の少なくともいくつかのそれぞれについての活性化の持続時間を示す情報を含めて、香りトラックを複数の香り媒体の前記少なくともいくつかのそれぞれについての活性化のシーケンスの形態で指定する、プロセッサで実行可能な命令を保存する非一時的プロセッサで読み出し可能な媒体を含み得る。
【００８７】
前記香りトラックは、前記複数の香り媒体の前記少なくともいくつかそれぞれについての開始時間を示す情報を含み得る。前記香りトラックは、前記複数の香り媒体の前記少なくともいくつかそれぞれについての完了時間を示す情報を含み得る。前記香りトラックは、前記各香り媒体を活性化させるべき開始時間後の期間を示す情報を含み得る。前記香りトラックは、それぞれの前記開始時間からのオフセットとして指定された、前記複数の香り媒体の前記少なくともいくつかのそれぞれについての完了時間を示す情報を含み得る。前記香りトラックは、前記複数の香り媒体の前記少なくともいくつかのそれぞれについてクールダウン期間を指定する情報を含み得る。前記香りトラックは、前記複数の香り媒体の前記少なくともいくつかのそれぞれについて、前記各香り媒体を能動的に冷却する能動的なクールダウン期間を指定する情報を含み得る。前記香りトラックは、音声的又はビデオ提示の少なくとも１つにおける移行を香りのクラスへ一般的にマップする情報を含み得る。前記香りトラックは、香りのクラスを指定する情報を含むことができ、前記香りのクラスは、特定の香りではなく前記基板上の香り媒体の位置へマップされ得る。前記香りトラックは、特定の香りではなく前記基板上の香り媒体の位置を指定する情報を含み得る。
【００８８】
図面中、同一の参照符号は、類似の要素又は行為を指す。図面中の要素のサイズ及び相対的位置は、必ずしも縮尺通りではない。例えば、多様な要素の形状及び角度は縮尺通りではなく、これらの要素のうちいくつかは任意に拡大され、図面視認性を向上させるように配置される。さらに、図示のような要素の特定の形状は、当該の特定の要素の実際の形状に関するいかなる情報を搬送することを意図しておらず、図面中の認識の容易さのためのみに選択されたものである。
【図面の簡単な説明】
【００８９】
図面のいくつかの図の簡単な説明
【００９０】
【図１】１つの例示の実施形態による、駆動ユニット、ペンダント及びケーブルを含む、個人用の形態における香り又は嗅覚感覚を送達するように動作可能なシステムの等角図である。
【図２Ａ】図１のシステムの一部のユーザの正面図であり、ユーザの胸部の近隣に吊り下げられたペンダントを示す。
【図２Ｂ】図２Ａのユーザの左立面図であり、ペンダントはユーザの鼻の近隣まで上昇されている。
【図３Ａ】図２Ａ及び２Ｂのペンダントの一部の上部等角図であり、香りを送達するための開口位置における香りポートを示す。
【図３Ｂ】図３Ａのペンダントの一部の上部等角図であり、香りの送達が回避される閉鎖位置における香りポートを示す。
【図４Ａ】１つの例示の実施形態によるペンダントの前方等角図であり、ペンダントの香りポートからの香りの送達を回避するためのＯＦＦ位置に回転させたペンダントの一部を示す。
【図４Ｂ】図４Ａのペンダントの前方等角図であり、ペンダントの香りポートからの香りの送達を引き起こすためのＯＮ位置まで回転させたペンダントの一部を示す。
【図５Ａ】図５Ａは、１つの例示の実施形態による、駆動ユニットのコンポーネントの多数を収容する駆動ユニットのハウジングを示す駆動ユニットの外部の等角図である。
【図５Ｂ】図５Ａの駆動ユニットの側立面図であり、消費可能な香り媒体を担持する香り媒体キャリアを取り外し可能に受容するようなサイズ及び寸法にされたスロットを示す。
【図５Ｃ】図５Ａの駆動ユニットの底面図であり、駆動ユニットのハウジングからペンダントへの流体連絡を提供するポートを示す。
【図５Ｄ】図５Ａの駆動ユニットの等角図であり、駆動ユニットの内部構造及びハウジング中に収容された駆動ユニットの多様なコンポーネントを露出させるようにハウジングが開口している。
【図５Ｅ】図５Ｄの駆動ユニットの平面図であり、駆動ユニットの内部構造及びハウジング中に収容された駆動ユニットの多様なコンポーネントを露出させるようにハウジングが開口している。
【図６Ａ】１つの例示の実施形態による、１つ以上のペルチェデバイス、ヒートシンク、渦巻き型熱転写構造及び１つ以上のファンを含む、駆動ユニットの香りアクチュエータの等角図である。
【図６Ｂ】図６Ａの香りアクチュエータの平面図である。
【図６Ｃ】図６Ａの香りアクチュエータの側面図である。
【図６Ｄ】図６Ｄは、図６Ａの香りアクチュエータの正面図である。
【図６Ｅ】図６Ａの香りアクチュエータのファンの等角図である。
【図６Ｆ】図６Ａの香りアクチュエータのファンの等角図である。
【図６Ｇ】１つの例示の実施形態による、香り媒体キャリアによって担持される香り媒体のレイアウトを示す例示的な香り媒体キャリアの平面図である。
【図７】ペルチェデバイス、ファン、電源及び通信サブシステムを含む、駆動ユニットの制御サブシステムの電気的模式図である。
【図８Ａ】１つの例示の実施形態による、システムの個人用又は多人数用の実施形態の構成可能な循環システムの模式図である。
【図８Ｂ】１つの例示の実施形態による、香り送達導管、香り返送又は回収導管及び複数の電線を含む、図８Ａの構成可能な循環システムのケーブルの断面図である。
【図９Ａ】１つの例示の実施形態による、一体型香りポート（単数又は複数）を備えた駆動ユニットを含む、個人用の形態における香り又は嗅覚感覚を送達するように動作可能なシステムの平面図である。
【図９Ｂ】１つの例示の実施形態による図９Ａのシステムの側立面図である。
【図９Ｃ】１つの例示の実施形態による、カバーを示す図９Ａのシステムの底面図である。
【図９Ｄ】１つの例示の実施形態による、図９Ａのシステムの上部右側前方等角図であり、ハウジング中に収容されたコンポーネントを例示するためにハウジングが透明に図示されている。
【図９Ｅ】１つの例示の実施形態による、図９Ａのシステムの上部右側後方等角図であり、ハウジング中に収容されたコンポーネントを例示するためにハウジングが透明に図示されている。
【図９Ｆ】１つの例示の実施形態による、図９Ａのシステムの下部左側後方等角図であり、ハウジング中に収容されたコンポーネントを例示するためにハウジングが透明に図示されている。
【図９Ｇ】１つの例示の実施形態による、図９Ａのシステムの底面図であり、ハウジング中に収容されたコンポーネントを例示するためにハウジングが透明に図示されている。
【図１０Ａ】１つの例示の実施形態による、ＯＦＦ状態における流路構成を示す図９Ａ〜９Ｇのシステムの模式図である。
【図１０Ｂ】１つの例示の実施形態による、能動的な香り生成モード及び直接送達構成におけるＯＮ状態における流路構成を示す図９Ａ〜９Ｇのシステムの模式図である。
【図１０Ｃ】１つの例示の実施形態による、受動的香りサンプリングモード及び香り記録構成におけるＯＮ状態における流路構成を示す、図９Ａ〜９Ｇのシステムの模式図である。
【図１０Ｄ】１つの例示の実施形態による、受動的香りサンプリングモード及び香り保持構成におけるＯＮ状態における流路構成を示す、図９Ａ〜９Ｇのシステムの模式図である。
【図１０Ｅ】１つの例示の実施形態による、受動的香りサンプリングモード及び香り放出構成におけるＯＮ状態における流路構成を示す、図９Ａ〜９Ｇのシステムの模式図である。
【図１１】１つの例示の実施形態による、香りを送達するための複数のシステムが各携帯型の通信デバイス又はメディアコンテンツプレーヤへ通信可能に連結された動作環境の模式図であり、動作環境は、ユーザコンピュータシステムと、メディアコンテンツと共に又はメディアコンテンツ無しに香り仕様又は香り送達シーケンスの組の生成、編集、保存及び送達のためのウェブポータルとして機能するサーバーコンピュータシステムとを含む。
【発明を実施するための形態】
【００９１】
詳細な説明
以下の記載において、多様な開示の実施形態の深い理解を提供するために、いくつかの特定の詳細について説明する。しかし、当業者であれば、これらの特定の詳細のうち１つ以上無しに又は他の方法、コンポーネント、材料などと共に実施形態が実施され得ることを認識するであろう。他の例では、マイクロコントローラ、ペルチェデバイス、ＤＣ／ＤＣコンバータなどの電源、無線通信（すなわち、トランスミッタ、レシーバー又はトランシーバ）、クライアント及びサーバーコンピューティングシステム、及びネットワーク（例えば、セルラー、パケット切り換え）を含むコンピューティングシステムならびに他の通信チャンネルと関連付けられた周知の構造については、実施形態の記載を不必要に不明瞭にしないために、詳細を図示又は記載していない。
【００９２】
文脈が異なることを求めない限り、本明細書中及びそれに続く特許請求の範囲を通して、「ｃｏｍｐｒｉｓｅ（有する）」という語及びその変化形（「ｃｏｍｐｒｉｓｅｓ」及び「ｃｏｍｐｒｉｓｉｎｇ」）は、開放の包含的な意味（すなわち、「非限定的に含む」）として解釈されるべきである。
【００９３】
本明細書を通して、「一実施形態」又は「ある実施形態」への言及は、当該実施形態に関連して記載される特定の特徴、構造又は特性が少なくとも１つの実施形態に含まれることを意味する。よって、本明細書を通して、「一実施形態において」又は「ある実施形態において」という文言の記載は、必ずしも同じ実施形態を指すものではない。さらに、特定の特徴、構造又は特性は、１つ以上の実施形態において任意の適切な様態で組み合わせられ得る。
【００９４】
本明細書及び添付の特許請求の範囲において用いられるように、単数形の「ある」、「１つの」、「その」等（「ａ」、「ａｎ」及び「ｔｈｅ」）は、文脈が明らかに他様のことを求めない限り、複数の指示物を含む。「又は」という用語は、文脈が明らかに他様のことを求めない限り、「及び／又は」を含む意味として一般的に用いられる点にも留意されたい。
【００９５】
本明細書中に記載される見出し及び開示の要約は、ひとえに便宜上のものであり、実施形態の範囲又は意味を説明するものではない。
【００９６】
香り又は嗅覚感覚を送達するためのシステム
図１は、１つの例示の実施形態による、香り又は嗅覚感覚を送達するように動作可能なシステム１００を示す。詳細には、図１は、香り又は嗅覚感覚を個々のユーザ（すなわち、香り消費者）へ送達させるための、個人用の形態のシステム１００を示す。
【００９７】
システム１００は、駆動ユニット１０２と、１つ以上のケーブル１０６（１つを図示）を介して駆動ユニット１０２へ連結されたペンダント１０４ａとを任意選択的に含む。本明細書中に詳細に記載のように、駆動ユニット１０２は、ハウジング１０８を含む。ハウジング１０８は、駆動ユニット１０２の主要コンポーネントの多くを収容し、香り媒体１１２ａ〜１１２ｄ（４つを図示し、１１２として総称）を担持する香りキャリア１１０を取り外し可能に受容する。また、本明細書中に詳細に記載のように、ペンダント１０４ａは、香りをユーザへ提供する１つ以上の香りポート１１４ａを含む。さらに、本明細書中に詳細に記載のように、ケーブル（単数又は複数）１０６は、構成可能な流体連絡可能な経路を駆動ユニット１０２と例えばペンダント１０４ａ内の香りポート（単数又は複数）１１４ａとの間に提供する。ケーブル１０６はまた、駆動ユニット１０２とペンダント１０４ａとの間に情報通信経路（例えば、ワイヤ、光ファイバー）を任意選択的に提供し得る。
【００９８】
駆動ユニット１０２内の多様なコンポーネントは、携帯型の通信デバイス（例えば、スマートフォン）又はメディアコンテンツプレーヤ（例えば、ＭＰ３プレーヤ、ｉＰＯＤ（登録商標）、タブレットコンピュータ、ネットブックコンピュータ、ラップトップコンピュータ）１１６へ任意的に取り外し可能に通信可能に連結され得る。携帯型の通信デバイス又はメディアコンテンツプレーヤ１１６は典型的には、システム１００の部分を構成しない。駆動ユニット１０２のコンポーネントは、電線及び／又は光ファイバーを含む１つ以上のケーブル１１８を介して携帯型の通信デバイス又はメディアコンテンツプレーヤ１１６へ物理的に通信可能に連結可能であり得る。代替的に又は追加的に、駆動ユニット１０２の多様なコンポーネントは、１つ以上の無線機（すなわち、無線トランスミッタ、レシーバー及び／又はトランシーバ）を介して携帯型の通信デバイス又はメディアコンテンツプレーヤ１１６へワイヤレスで通信可能に連結可能であり得る。
【００９９】
ペンダント１０４ａは、駆動ユニット１０２の多様なコンポーネントへ物理的に連結され得る。例えば、１つ以上のケーブル１０６は、１つ以上の流体連絡可能な経路又は導管を駆動ユニット１０２と（上記したようにペンダント１０４ａ内に設置され得る）香りポート（単数又は複数）１１４ａとの間に提供し得る。ケーブル（単数又は複数）１０６は、１つ以上の情報（例えば、命令、データ）信号経路（例えば、有線、光学、）を駆動ユニット１０２とペンダント１０４ａとの間にさらに提供し得る。任意選択的なペンダント１０４ａは典型的には、ケーブル１１８ａ、１１８ｂ（１１８と総称）の形態をとり得る１つ以上の張力部材、又は代替的には、ペンダントをユーザの身体上に吊り下げることを可能にするストリング又はワイヤへ連結される。例えば、図２Ａ中に最良に例示するように、ペンダント１０４ａは、能動的に使用されていない場合、ユーザ１２０の胸部１２０ａの近隣に吊下され得る。ペンダント１０４ａを駆動ユニット１０２から別個に用いることにより、より高重量のコンポーネントをペンダント１０４ａから分離することが可能になる。このようにすることにより、例えば図２Ｂに例示するように能動的な使用時においてペンダント１０４ａ内に設置された香りポート１１４ａをユーザ１２０の鼻１２０ｂの近隣に配置することが容易化される。
【０１００】
図１に戻って、システム１００は、１つ以上のスピーカー１２２ａ、１２２ｂ（１２２と総称し、２つを示す）へ任意選択的に通信可能に連結され得るか、又は代替的には１つ以上のスピーカー１２２ａ、１２２ｂを含み得る。スピーカー１２２は、多数の多様な形態（例えばイヤホン、イヤヘッドフォン又はオーバーイヤヘッドフォンスピーカー（オープンバック型であるか又はオープンバック型ではない））のうちいずれかをとり得る。スピーカーの種類又はスピーカー１２２の存在さえも、限定的なものとしてみなされるべきではない。図１に例示するように、スピーカー１２２は、１つ以上のケーブル１１８ａ、１１８ｂを介してペンダント１０４ａへ物理的に連結され得る。これらのケーブル１１８は、信号をスピーカー１２２へ供給するための電線又は光ファイバーを含み得る。代替的には、スピーカー１２２は、無線で、ペンダント１０４ａへ連結してもよいし、代替的には、１つ以上の無線機（すなわち、無線トランスミッタ、レシーバー及び／又はトランシーバ）を介して駆動ユニット１０２へ直接連結してもよい。
【０１０１】
図３Ａは、図２Ａ及び２Ｂのペンダント１０４ａの部分を示し、香りポート（単数又は複数）１１４ａから香りを送達するように開口位置にある香りポート（単数又は複数）１１４ａを示す。図３Ｂは、図３Ａのペンダント１０４ａの部分を示し、香りポート（単数又は複数）１１４ａからの香りの送達を回避するように閉鎖位置にある香りポート（単数又は複数）１１４ａを示す。注目すべきことに、ペンダント１０４ａの第１の部位１２４ａは、ペンダント１０４ａの第２の部位１２６ａに対して可動である。図３Ａ及び３Ｂの実施形態において、第１の部位１２４ａは、第２の部位１２６ａに対して枢動可能又は回転可能である。第１の開口位置（図３Ａ）において、香りポート（単数又は複数）１１４ａ及び／又は１つ以上の弁は開口状態であり得る一方、第２の閉鎖位置（図３Ｂ）において、香りポート（単数又は複数）１１４ａ及び／又は１つ以上の弁は閉鎖状態であり得る。本明細書中に詳細に記載のように、ペンダント１０４ａは、センサー又はスイッチ（図示せず）を含み得る。このセンサー又はスイッチ（図示せず）は、ペンダント１０４ａ又はその部位（単数又は複数）（例えば、第１の及び／又は第２の部位１２４ａ、１２４）の動き、位置、方位を検出し、これに応答して、駆動ユニット１０２を含むシステム１００の多様なコンポーネントの動作を制御するための制御信号を提供する。
【０１０２】
図４Ａは、１つの例示の実施形態によるペンダント１０４ｂを示し、ペンダント１０４ｂの１つ以上の香りポート（単数又は複数）１１４ｂからの香りの送達を回避するように、ペンダント１０４ｂの第１の部位１２４ｂがペンダント１０４ｂの第２の部位１２６ｂに対してＯＦＦ位置まで回転されている様子を示す。図４Ｂは、図４Ａのペンダント１０４ｂを示し、ペンダント１１４ｂの香りポート（単数又は複数）１１４ｂからの香り送達を引き起こすように、ペンダント１０４ｂの第２の部位１２６ｂに対してＯＮ位置まで回転されたペンダントの第１の部位１２４ｂを示す。上記したように、ペンダント１１４ｂは、ペンダント１０４ｂ又はその部位（単数又は複数）（例えば、第１の及び／又は第２の部位１２４ｂ、１２６ｂ）の動き、位置又は方位を検出し、これに応答して駆動ユニット１０２を含むシステム１００の多様なコンポーネントの動作を制御するための制御信号を提供する１つ以上のセンサー又はスイッチを含み得る。
【０１０３】
図５Ａ〜５Ｅは、１つの例示の実施形態による駆動ユニット１０２を示し、駆動ユニット１０２は、駆動ユニット１０２のコンポーネントの多くを収容するハウジング１０８を含む。
【０１０４】
ハウジング１０８は、多数の多様な形状のいずれかをとり得、ハウジング内に収容された駆動ユニット１０２の多様なコンポーネントへ環境的保護を提供することを主に意図する。ハウジング１０８の形状は、限定的なものとしてみなされるべきではない。同様に、ハウジング１０８は、多数の多様な材料によって構築され得る。例えば、ハウジング１０８は、アルミニウムなどの金属によって形成され得る。金属は、折りたたまれ、溶接され及び／又は機械加工され得る。代替的には、ハウジング１０８は、１つ以上のプラスチック（例えば、ＡＢＳ又はポリカーボネートプラスチック）によって形成され得る。プラスチックは、ハウジング１０８を形成するように射出成形又は真空成形され得る。ハウジング１０８を材料から形成するために用いられる材料又はプロセスの種類は、限定的なものとしてみなされるべきではない。
【０１０５】
ハウジング１０８は、例えばユーザが駆動ユニット１０２の１つ以上のコンポーネントを補修することを可能にするための、ユーザが取り外すことが可能なカバー（図示せず）を有し得る。代替的には、ハウジング１０８は、ユーザが駆動ユニット１０２の内部コンポーネントへアクセスすることを回避又は阻止し得る。ハウジング１０８は、対流熱伝達を介した冷却を可能にするための複数の通気孔１２７を含み得る。
【０１０６】
駆動ユニット１０２のハウジング１０８は、多数のポートを含む。
【０１０７】
例えば、ハウジング１０８は、消費可能な香り媒体１１２（図１）を担持する香り媒体キャリア１１０（図１）を取り外し可能に香りキャリアレシーバー１３０内に受容する香りキャリアレシーバーポート１２８を含む。香りキャリアレシーバーポート１２８は、香り媒体キャリア１１０を受容するサイズ及び寸法にされたスロットを含み得る。スロットは、例えば、ＳＤカード及び類似の不揮発性媒体を多様なコンシューマ電子デバイス内に取り外し可能に受容するために用いられる構造と構造、サイズ及び／又は寸法が類似し得る。香りキャリアレシーバー１３０は、１つ以上の香りアクチュエータ（例えば、以下に述べるペルチェデバイス）に対して受容された香りキャリアを配置及び／又は方向付ける類似のアライメント構造のフレームの形態をとり得る。香りキャリアレシーバー１３０は、香りキャリア１１０を香りキャリアレシーバーポート１２８を介して香りキャリアレシーバー１３０から選択的に射出するように動作可能な射出機構を含み得る。射出機構は、多数のコンシューマ電子デバイスに見受けられるＳＤカードレシーバーと共に用いられる射出機構と類似するか又は同一でさえあり得る。
【０１０８】
例えば、１つ以上の任意選択的なペンダントケーブルポート１３２は、ケーブル１０６（図１）（例えば、ペンダントケーブル）を駆動ユニット１０２へ連結することを可能にし得る。詳細には、ペンダントケーブルポート１３２は、１つ以上の流体連絡可能な導管を駆動ユニット１０２と任意選択的なペンダント１０４ａ、１０４ｂ（１０４と総称）（図１）との間に連結することを可能にし得る。ペンダントケーブルポート１３２は、１つ以上の電線又は光ファイバーを駆動ユニット１０２と任意選択的なペンダント１０４との間に連結することをさらに可能にし得る。電線又は光ファイバーは、信号を搬送し得る。例えば、電線又は光ファイバーは、ペンダント１０４内に設置された１つ以上のセンサー又はスイッチからの信号（例えば、ユーザ入力（単数又は複数）（例えば、ＯＮ又はＯＦＦ状態又は状態）を示す信号）を駆動ユニット１００へ搬送し得る。追加的に又は代替的に、電線又は光ファイバーは、例えば、音響情報（例えばスピーカー１２２を駆動するための音響信号）を符号化する、駆動ユニットからの信号又は駆動ユニットを介した信号をペンダント１０４へ搬送し得る。
【０１０９】
さらなる例として、１つ以上の任意選択的なケーブルポート１３４は、駆動ユニット１０２と多様な携帯型の通信デバイス又はメディアコンテンツプレーヤ１１６（図１）との例えばケーブル１１８（図１）を介した選択的な取り外し可能な連結を可能にし得る。このようにすることにより、駆動ユニット１０２と、多様な携帯型の通信デバイス又はメディアコンテンツプレーヤ１１６との間の情報及び／又はデータの転送が可能になる。例えば、このようにすることにより、規定された香り仕様又は複数組の香り送達シーケンスを携帯型の通信デバイス又はメディアコンテンツプレーヤ１１６から又は携帯型の通信デバイス又はメディアコンテンツプレーヤ１１６を介して駆動ユニットへダウンロードすることが可能になる。また、例えば、このようにすることにより、携帯型の通信デバイス又はメディアコンテンツプレーヤ１１６から又は携帯型の通信デバイス又はメディアコンテンツプレーヤ１１６を介してメディアコンテンツを駆動ユニットへダウンロードすることが可能になる。規定された香り仕様又は複数組の香り送達シーケンス及び／又はメディアコンテンツは、携帯型の通信デバイス又はメディアコンテンツプレーヤ１１６上に存在し得、例えば携帯型の通信デバイス又はメディアコンテンツプレーヤ１１６上に生成及び／又は保存される。規定された香り仕様又は複数組の香り送達シーケンス及び／又はメディアコンテンツは、携帯型の通信デバイス又はメディアコンテンツプレーヤ１１６によっていくつかの他のソースから、例えば本明細書中にさらに議論するようなユーザコンピューティングデバイス又はサーバーコンピューティングデバイス（例えば、ウェブポータル）上に生成及び／又は保存されて、渡され得る。よって、携帯型の通信デバイス又はメディアコンテンツプレーヤ１１６は、規定された香り仕様又は複数組の香り送達シーケンス及び／又はメディアコンテンツのための通過デバイスとして機能し得る。有線又は光学ポートとして例示されているが、１つ以上の任意選択的なケーブルポート１３４は、無線ポート（例えば、無線機）として実行され得る。
【０１１０】
図５Ｄ及び５Ｅに最良に例示されるように、ハウジング１０８の内部は、別個の区画に分割され得る。例えば、ハウジング１０８の内部は、電子区画１０８ａ、香り生成又は混合区画１０８ｂ及びフィルター区画１０８ｃに分割され得る。
【０１１１】
電子区画１０８ａは、１つ以上の回路基板１４０（例えば、制御サブシステム及び多様な他の電気及び電子コンポーネントを担持する１つ以上のプリント回路基板（ＰＣＢ））を含む。電子区画１０８ａはまた、１つ以上の電源を収容する。電源１４２は、例えば、１つ以上の化学電池（例えば、リチウムイオン）、スーパー又はウルトラキャパシタ電池及び／又は燃料電池などの多様な形態のいずれかをとり得る。電源は、例えば、二次電池（例えば、ニッケル−カドミウム、ニッケル−亜鉛、ニッケル金属水素化物、リチウムイオン）又はスーパー又はウルトラキャパシタなどの再充電可能な電源であり得る。このような場合、電子装置は、従来の再充電回路を含み得る。代替的には、電源１４２は、最終的な交換を必要とする、例えば、一次電池（例えば、亜鉛−炭素、アルカリ）などの消費可能な電源であり得る。
【０１１２】
香り生成又は混合区画１０８ａは、香り媒体１１２（図１）から香りが生成又は放出され、及び／又、混合される場所である。いくつかの従来のアプローチと対照的に、駆動ユニット１０２は、２つ以上の異なる香り媒体１１２（図１）から放出された香りをユーザへの送達前に混合し得る。香り生成又は混合区画１０８ａは、香りキャリアレシーバー１３０と、香り媒体からの香りの選択的な放出を引き起こすように配置された複数の香り放出アクチュエータとを収容する。香りキャリアレシーバー１３０は、香り媒体キャリア１１０（図１）を付勢して香り放出アクチュエータ（単数又は複数）と確実に接触させるための付勢部材（例えば、弾性部材、例えばネオプレン）を含み得る。香り媒体キャリアは、例えば、香り媒体キャリアによって担持される香り媒体の多様なピース間の分離を確保するように、垂直方向に方向付けられ得る。香り放出アクチュエータ（単数又は複数）は、有利なことに１つ以上のペルチェデバイス１４６の形態をとり得る。ペルチェデバイス１４６は、有利なことに、反対の極性の電圧の付加を介して香り媒体１１２（図１）の能動的な加熱及び能動的な冷却を可能にする。
【０１１３】
香り生成又は混合区画１０２ａはまた、１つ以上のファン１４８を収容し得る。ファン１４８は、放出された香りの駆動ユニット１０２の外方への例えばケーブルポート１３２を介した送達を引き起こすように、動作可能である。ファン（単数又は複数）１４８は、比較的高い圧力を香りポート１１４ａ（図１）の上流に生成することにより、これを行い得る。ファン（単数又は複数）１４８は、小型の低電力消費ファン（単数又は複数）とすべきである。そのため、このようなファン（単数又は複数）１４８は、記載の都合上、香り送達ファン単数又は複数）として表示され得る。
【０１１４】
香り生成又は混合区画１０２ａは、１つ以上のヒートシンク１５０も収容し得る。ヒートシンク１５０は好適には熱を迅速に吸引及び吸収することができる大型のサーマルマスである。ヒートシンクは、金属のブロックの形態をとり得る。熱ペーストが、ヒートシンクの表面とペルチェデバイスとの間に用いられ得る。香り生成又は混合区画１０２ａはまた、１つ以上の熱放散構造１５２も収容し得る。熱放散構造（単数又は複数）１５２は好適には、ヒートシンク（単数又は複数）１５０へ熱伝導的に連結される。熱放散構造（単数又は複数）１５２は典型的には、その体積に相対して表面積を増加させるような高度に畳まれた表面（例えば、フィン、ピンフィン）を有する。このようにすることにより、伝導及び／又は放射熱伝達を介した熱移送を促進させ得る。
【０１１５】
フィルター区画１０８ｃは、空気からの香り除去に有効なフィルター媒体１６０を保持する。フィルター媒体１６０は、香りポート１１４（図１）から駆動ユニット１０８へ返送された空気から香りを除去するために用いられ得る。追加的に又は代替的に、フィルター媒体１６０は、意図された香りのみがユーザへ確実に送達されるように、周囲環境から引き込まれた空気から香りを除去するために用いられ得る。
【０１１６】
フィルター区画１０８ｃは、１つ以上のファン１６２も収容し得る。ファン１６２は、空気をフィルター媒体１６０を通じて引き込むように、動作可能である。例えば、ファン１６２は、前回香りが付けられた空気を香りポート１１４（図１）から例えばケーブルポート１３２を介して駆動ユニット１０８へ引き込み得る。ファン（単数又は複数）１６２は、比較的低圧力又は部分的真空を香りポート１１４（図１）の下流に生成することにより、これを行い得る。また、例えば、ファン１６２は、香り付けの前にフィルタリングを施すべき新しい空気を周囲環境から引き込み得る。ファン（単数又は複数）１６２は、小型の低電力消費ファン（単数又は複数）であるべきである。よって、このようなファン（単数又は複数）１６２は、記載の都合上、香り回収ファン（単数又は複数）と命名され得る。
【０１１７】
適切なフィルター媒体１６０は、例えば２重織り活性炭素繊維を含み得るが、他のフィルタリング材料も用いられ得る。活性炭素繊維はその細孔表面及び繊維内の高静電気力に起因して、特に有効である。このようなフィルター媒体１６０は、同一量で比較した場合、従来の粒状の炭素形態よりもより高効率であり高吸収能である。適切な２重織り活性炭素繊維は、ＺＯＲＦＬＥＸ  ＡＣＣ１００％の活性炭素布として販売されているものであり得る。
【０１１８】
例えば、８層の２重織り活性炭素繊維が適切であり得る。フィルター媒体１６０は、空気又は香り付きの空気をフィルター媒体１６０を通じて循環させる際に用いられるファン１６２の直径に整合する表面積を持つべきである。ファン１６２の表面積は、ファン１６２のフレームではなくファンのブレードの直径の関数であり得る。いくつかの実施形態において、表面積は、およそ１６２ｍｍ２であり得る。２重織り活性炭素繊維の合計表面積はおよそ２０００ｍ２／ｇであり得、フィルター１６０の重量はおよそ２グラムであり得、その結果、有効表面積はおよそ４０００ｍ２になり得る。このようなフィルター媒体１６０を試験したところ、このようなものは、３．５時間にわたってヒトが香りを感知できない状態で有効に用いることができ、３．５時間後もわずかに芳香が検出されただけだった。
【０１１９】
図６Ａ〜６Ｆは、１つの例示の実施形態による駆動ユニット１０２の香り作動構造６００を示す。図６Ｇは、１つの例示の実施形態による、４つのピース又はチップの香り媒体１１２ａ〜１１２ｄ（１１２と総称する）を担持する香りキャリア１１０を示す。
【０１２０】
香り作動構造６００は、香り媒体１１２（図１、図６Ｇ）からの香りの放出を選択的に引き起こすように動作可能である多様な形態をとり得る。香りアクチュエータ構造６００の適切な香りアクチュエータは典型的には、例えば抵抗加熱器などの加熱を用いる。
【０１２１】
例示の実施形態において、香りアクチュエータ構造６００は、有利には、ペルチェデバイス１４６ａ〜１４６ｄ（４つを図示し、１４６として総称）の形態をとる、４つの離散的かつ別個に動作可能な香りアクチュエータを含む。ペルチェデバイス１４６は、香り媒体１１２を選択的に能動的に加熱又は代替的には能動的に冷却するように動作可能である。ペルチェデバイス１４６は、香り媒体キャリア１１０が香り媒体キャリアレシーバー１３２（図５Ｄ及び５Ｅ）内に取り外し可能に受容されたときに、各ペルチェデバイス１４６ａ〜１４６ｄが香り媒体キャリア１１０によって担持される香り媒体１１２ａ〜１１２ｄに対して熱伝導的に連結されるように、空間的に配列される。特に、ペルチェデバイス１４６の空間レイアウトは、香り媒体キャリア１１０上の香り媒体１１２の空間レイアウトと整合するか、さもなければ一貫するべきである。これにより、規定された香り仕様又は複数組の香り送達シーケンスに従った、香り媒体１１２の選択された１つからの香りの放出の制御が可能になる。２次元の２ｘ２アレイとして例示されているが、他の空間レイアウトパターンが用いられ得る。空間レイアウトパターンは、１次元（すなわち、線形アレイ）、四角形、矩形又はいくつかの他の形状の順序付けられたアレイであり得る。アレイは、任意の所望の配列（例えば、１ｘ４、１ｘ６、２ｘ３、２ｘ４、２ｘ５、２ｘ６、３ｘ２、３ｘ３、４ｘ４）の任意数の要素又は単位を持ち得る。代替的には、空間レイアウトは順序付けられていなくてもよい。代替的には、ペルチェデバイス１４６の香り媒体１１２に対する密度を例示の１対１関係よりも高くすることが望ましい場合もあり得る。このようにすることにより、香り媒体１１２の任意の所与のピース又は部位のより正確な加熱が可能になり得る。
【０１２２】
任意選択的な伝導伝達層（図示せず）は、ペルチェデバイス（単数又は複数）１４６を香り媒体１１２又は取り外し可能に受容された香り媒体キャリア１１０へ熱伝導的に連結させ得る。伝導伝達層は、例えば金属層（例えば、アルミニウムの層）の形態をとり得る。よって、ペルチェデバイス１４６は、香りの放出を選択的に引き起こすように、香り媒体１１２を能動的に加熱することができる。例えば、ペルチェデバイス１４６は、このようなものを溶解又は部分的に溶解させて香りを放出するために香りを含むか又は取り入れた基板材料（例えば、ワックス又は他の物質）を加熱することができる。ペルチェデバイス１４６は、香りの放出を選択的に停止又は回避するように、香り媒体１１２を能動的に冷却することができる。例えば、ペルチェデバイス１４６は、ワックス又は他の物質を例えば固化させるように冷却し得、これにより香りの放出を停止させ得る。それが望ましい場合は、ペルチェデバイス１４６をオフにして香り媒体を受動的に冷却させることもできる。ペルチェデバイス（単数又は複数）１４６の動作は、能動的な加熱を引き起こすための第１の電圧と、能動的な冷却を引き起こすための第１の電圧と反対の第２の電圧の電流の付加により、制御される。
【０１２３】
ペルチェデバイス１４６は、個々に作動（すなわち、加熱、冷却）され得る。代替的に又は追加的に、ペルチェデバイス１４６のうち２つ以上が、一斉に（すなわち、時間的に少なくとも部分的に重複して）又はさらには同時に起動され得る。ペルチェデバイス１４６の合計数及び空間レイアウトは任意に所望に変更可能であるが、一斉に動作させることが可能なペルチェデバイス１４６の数は、利用可能な出力に応じて異なる。そのため、電源及び／又は電源のパラメータは、ペルチェデバイス１４６の動作を制限し得る。
【０１２４】
香り作動構造６００は、ヒートシンク１５０を含み得るか又はヒートシンク１５０に熱伝導的に連結され得る。このようにすることにより、冷却動作時におけるペルチェデバイス（単数又は複数）１４６からの熱移送が促進される。ヒートシンク１５０は、対流及び／又は放射熱移送を促進するように、その体積と比較して比較的大きな表面積を有する畳み型熱伝達表面１５２（例えば、フィン、ピン）を含み得るか又はそのような渦巻き型熱伝達表面１５２へ熱伝導的に連結され得る。
【０１２５】
香り作動構造６００は、１つ以上のファン１４８を含み得るか又は１つ以上のファン１４８へ流体連絡可能であり得る。上記したファンと同様に、ファン（単数又は複数）１４８は、小型のより低電力消費のファンであるべきである。ファン（単数又は複数）１４８の動作は、対流熱伝達を促進するように、ヒートシンク及び／又は畳み型表面の周囲に空気を循環させる。よって、このようなファン（単数又は複数）１４８は、記載の都合上、冷却ファン（単数又は複数）として表示され得る。通気孔１２８は、冷却を支援するために、周囲環境の空気の循環を提供し得る。
【０１２６】
図６Ｇ中に最良に例示するように、香り媒体キャリア１１０は、１つ及び好適にはそれよりも多数の香り媒体のピース又は部位を担持することが可能な多数の多様な形態のいずれかをとり得る。香り媒体キャリア１１０は、駆動ユニットのハウジングから取り外し可能なカード又はカートリッジの形態をとり得る。
【０１２７】
香り媒体キャリア１１０は、例えば、香り（例えば、エッセンス）で含浸されたワックスなどの香り媒体１１２の１つ以上のピース又は部位を担持する基板の形態をとり得る。銅箔又は銅層は、熱伝導を提供し得る。
【０１２８】
香り媒体キャリア１１０は、他の形態をとり得る。例えば、香り媒体キャリア１１０は、キャリア基板と、内部において香り媒体１１２をブリスターとキャリア基板との間に保持する複数の選択的に破裂可能なブリスターを含む膜とを含むブリスター包装の形態をとり得る。香り媒体１１２は、ブリスター内にあり得、例えばエアロゾル化形態の各ブリスターが破裂すれば例えば粉末エアロゾル対流の分散を生成させるだけの十分に小さなサイズを持ち得る粉末の形態を取り得る。このような実施形態において、香りアクチュエータは、ブリスター（単数又は複数）を破裂させるための機構を含み得るだけでなく、粉末エアロゾルを香りチャンバ中の空気中へ送り込むための機構も含み得る。このような分散機構は、例えば、噴霧器又は超音波周波数において振動を発生させる超音波振動子などの多様な形態をとり得る。
【０１２９】
代替的には、香り媒体１１２は、ブリスター内にあり得、例えば揮発性物質の形態をとり得る。例えば、香り媒体１１２は、ブリスター内にあり得、揮発性液体（例えば、アルコールベースのもの）の形態をとり得る。このような実施形態において、香りアクチュエータは、ブリスター（単数又は複数）を破裂させるための機構のみを含むだけでよい場合がある。
【０１３０】
香り媒体１１２は、いくつかの刺激に応答して香りを保持及び選択的に放出することが可能な多数の多様な形態の材料のうちいずれかをとり得る。例示的な形態は、例えば、香りを含浸するか又は取り入れたワックス、又は微粉末などの固体又は半固体材料を含む。例示的な形態として、液体（例えば、揮発性液体）がある。
【０１３１】
香り媒体１１２は好適には、いくつかの刺激又は香りの放出を引き起こした刺激の除去に応答して香りの放出を停止することが可能であるべきでもある。刺激は、熱の付加、熱の除去、電流、電圧、圧力、振動動き又はエネルギー（例えば、超音波振動）の付加、電磁エネルギーの付加（例えば、赤外光、紫外光、マイクロ波）、又はさらには膜（例えば、セルフシーリング膜）、ブリスター、小型用器又は他の可壊構造の選択的な破裂、破壊又は貫通を含み得る。
【０１３２】
香り媒体１１２は、親油性又はオイルベースの香りが内部に取り入れられたか又は内在するパラフィンワックスの形態をとり得る。パラフィンウェーブは、比較的低い融点及び自然に中立な香りを有するため、このようなものが香り媒体のための優れた選択になる。香り媒体１１２は、パラフィンウェーブを溶融させ、親油性の香りを液体形態（例えば、エッセンシャルオイル）で付加することにより、作製され得る。典型的には、液体香りのパラフィンウェーブに対する飽和比は、６６〜１００ｍｌ／Ｋｇである。香り媒体１１２は、（例えば、厚さ１〜５ｍｍの）肉薄シート中へ注がれて、冷却され得る。その後、これらのシートは、各キャリア上に配置されるよう、切断されるか又はチップに分割され得る。これらのシートは、切断又は他の方法の分割の前又は後に銅テープで包装され得る。銅テープは、ペルチェデバイスとの直接的な熱伝導接触した状態で配置され得る。
【０１３３】
熱ペーストは、香り媒体１１２の銅テープとペルチェデバイスとの間の接触表面上において用いられ得る。香り媒体１１２の４つのチップ又はパッチを香り媒体キャリア１１０毎に有するものとして例示されているが、本明細書中に注記するように、香り媒体キャリア１１０は、より多数又はより少数の香り媒体チップ又はパッチ１１２を含み得る。さらに、香り媒体１１２は、ペルチェデバイス又は他の香り放出アクチュエータとほぼ整合するか又は一致する任意の所望のレイアウト又は配列で香り媒体キャリア１１０上にレイアウト又は配列され得る。
【０１３４】
図７は、１つの例示の実施形態による駆動ユニット１０２の多様なコンポーネントを示す。
【０１３５】
これらのコンポーネントは、例えば制御サブシステム７０２、ペルチェデバイス７０４ａ〜７０４ｄ（４つを図示し、７０４として総称）、ファン７０６ａ〜７０６ｃ（３つを図示、７０６として総称）、弁７０８ａ〜７０８ｄ（４つを図示、７０４として総称）、センサー（例えば、温度センサー７１０）、電源サブシステム７１２及び通信サブシステム７１４を含み得る。駆動ユニット１０２は、多様なコンポーネント（例えば、６、８、１２個のペルチェデバイス）のさらなる例を含み得るか、又は、さらなる種類のコンポーネント（例えば、スイッチ、酸度計、ジャイロ）を含み得る。駆動ユニット１０２は、例示のコンポーネントのうちいくつかを省略し得る。これらのコンポーネントのうち１つ以上は、いくつかの実施態様において、駆動ユニット１０２又はハウジング１０８から別個に提供され得る。例えば、ペンダント１０４が用いられる場合、１つ以上の弁７０８及び／又はセンサー７１０又はスイッチ（図示せず）がペンダント１０４内に提供され得る。
【０１３６】
制御サブシステム７０２は、マイクロコントローラ７１６及び離散的な又は一体化された非一時的な記憶媒体（例えば、メモリ）を含み得る。適切なマイクロコントローラ７０２は、インシステムプログラマブルフラッシュメモリを備えた８ビットマイクロコントローラ（例えば、ＡＴＭＥＧＡ４８／８８／１６８ーＡＵとしてＡｔｍｅｌ  Ｃｏｒｐｏｒａｔｉｏｎから市販されているマイクロコントローラ）の形態をとり得る。マイクロコントローラ７１６は、そのメモリ中に保存されたプログラムを実行し、多様な他のコンポーネント（例えば、ペルチェデバイス７０４、ファン７０６、弁７０８）を制御するための信号を送信する。制御信号は、特に能動的な電源デバイス（例えば、以下に述べるＤＣ／ＤＣ電力変換装置７１８、７２０ａ〜７２０ｄ）を制御する場合に、例えばパルス幅変調（ＰＷＭ）制御信号であり得る。他の場合、制御信号は、多数の多様な形態のうちいずれかをとり得る。例えば、マイクロコントローラ７１６は、各ファン７０６へ電力供給する回路を閉じるだけで、ファン７０６を制御し得る。例えば、マイクロコントローラ７１６は、各ファン７０８（図８Ａを参照して以下に述べる）へ電力供給する回路を閉じるだけで、弁７０８を制御し得る。
【０１３７】
電力サブシステム７１２は、１つ以上の電源１４２（図５Ｄ、５Ｅ）と、１つ以上の電力供給とを含み得る。これらの電力供給は典型的には、電流の電圧を他のコンポーネントに用いるために適切なレベルまで逓減するように動作可能なＤＣ−ＤＣ電力変換装置を含む。例えば、電源７１８は、電源１４２へ連結され、電圧を電源１４２（例えば、二次電池）からマイクロコントローラ７１６での使用に適したレベルまで逓減させるように動作可能である。電源７１８は、誘導子Ｌ及びコンデンサＣを介して供給レールへ電気的に連結され得る。適切な電源は、ステップダウンＤＣ−ＤＣ電力変換装置（例えば、ＬＭ３６７０としてＴｅｘａｓ  Ｉｎｓｔｒｕｍｅｎｔｓから市販されている超低電圧回路に適した小型ＤＣ−ＤＣ電力変換装置）を含み得る。さらに、電力サブシステムは、正及び負の電圧において電力をペルチェデバイス７０４ａ〜７０４ｄへ供給するように連結された１つ以上の電源７２０ａ〜７２０ｄ（４つを図示し、７２０として総称）を含み得る。例えば、電力サブシステムは、ペルチェデバイス７０４ａ〜７０４ｄそれぞれのための各電源７２０ａ〜７２０ｄを含み得る。適切な電源７０４は、ＭＯＳＦＥＴ  Ｈ−ブリッジ（例えば、ＺＸＭＨＣ３Ａ０１Ｔ８としてＺｅｔｅｘ  Ｓｅｍｉｃｏｎｄｕｃｔｏｒから市販されているもの）の形態をとり得る。
【０１３８】
電力サブシステム７１２は、電源１４２（図５Ｄ、５Ｅ）を充電するための外部ソースから電力を供給することを可能にするための接点、リード線又はノード７２２（１組を図示）を含み得る。典型的には、電力は、自身が出口又は主要回路（例えば、住宅電力）へ電気的に連結された外部電源（すなわち、パワーブリック）を介して入来する。代替的には、搭載電源１４２（図５Ｄ、５Ｅ）の充電に適した電力を制御及び／又は調節するように、整流器及び適切なＤＣ−ＤＣコンバータを備えた電源を駆動ユニットと一体化してもよい。
【０１３９】
通信サブシステム７１６は、外部デバイス又はコンポーネントへ通信を提供するための１つ以上の通信ポートを含み得る。通信ポートは、有線及び／又は光学通信ポート７２４（例えば、ＴＨＵＮＤＥＲＢＯＬＴ（登録商標））、又は無線通信ポート７２６であり得、多様な関連プロトコル（例えば、ＥＴＨＥＲＮＥＴ（登録商標）、ＵＮＩＶＥＲＳＡＬＳＥＲＩＡＬＢＵＳ（ＵＳＢ（登録商標））、ＦＩＲＥワイヤ（登録商標）４００、ＦＩＲＥワイヤ（登録商標）８００、ＴＨＵＮＤＥＲＢＯＬＴ（登録商標）、ＬＩＧＨＴＮＩＮＧ（登録商標）、ＷＩ−ＦＩ（登録商標）、ＢＬＵＥＴＯＯＴＨ（登録商標）、多様なＩＥＥＥ８０２．１１プロトコル、ＣＤＭＡ、ＧＳＭ（登録商標）、ＬＴＥ（登録商標））のうちいずれかに従い得る。無線通信ポート７２６は、ＢＬＵＥＴＯＯＴＨ（登録商標）無線機（すなわち、無線トランスミッタ、レシーバー又はトランシーバ）の形態をとり得る。適切なＢＬＵＥＴＯＯＴＨ（登録商標）無線機は、例えば、Ｍｉｃｒｏｃｈｉｐ及びＲｏｖｉｎｇ  Ｎｅｔｗｏｒｋを含む多様な供給元から入手可能な小形状因子で低電力のデバイス（ＲＮ４１）を含み得る。通信ポート（例えば、有線及び／又は光学７２４、又は無線７２６）は、携帯型の通信デバイス又はメディアプレーヤのうち少なくとも１つとの通信を提供し得る。追加的に又は代替的に、ハウジング又はペンダントのうち少なくとも１つによって収容されたトランスミッタは、複数のスピーカー（例えば、イヤホン、ヘッドフォン）との通信を提供し得る。
【０１４０】
駆動ユニット１０２は、システム１００がいつ動作中又はＯＮであるかを示す視覚的インジケータ７２８を任意選択的に含み得る。単一の発光ダイオード（ＬＥＤ）として例示されているが、視覚的インジケータ７２６は、多様な形態のいずれかをとり得る。ＬＥＤは、１つ、２つ以上の別個の色を発光可能であり得る。視覚的インジケータ７２８も他の情報又は状態を示し得、例えば視覚的インジケータ７２８は、エラー状態の発生に応答して閃光し得る。閃光のパターン（例えば、逐次的な閃光の数、閃光の色、逐次的な閃光の数及び色）が、複数の可能なエラー状態のどれが発生したかを示すために用いられ得る。
【０１４１】
制御サブシステム７０２は、ペンダント１０４（図１）の第２の部位１２６のペンダント１０４の第１の部位１２４に相対する方位又は位置又は代替的には駆動ユニット１０２のハウジング１０８（図１）の方位のうち少なくとも１つに基づいて、少なくとも１つのペルチェデバイス７０４、ファン（単数又は複数）７０６及び／又は弁（単数又は複数）７０８を制御する役割を有する。
【０１４２】
ペンダント１０４（図２Ａ、２Ｂ、３Ａ、３Ｂ）又は代替的には駆動ユニット１０２（図１）は、少なくともペンダントの一部又は駆動ユニット１０２のハウジング１０８上へのヒトの接触を感知する１つ以上のタッチセンサー（例えば、容量性又は誘導性のタッチセンサー）を含み得る。制御サブシステム７０２は、ペンダント又はハウジング１０８の感知された接触に少なくとも部分的に基づいて、少なくとも１つのペルチェデバイス７０４、ファン（単数又は複数）７０６及び／又は弁（単数又は複数）７０８を制御する役割を有し得る。
【０１４３】
ペンダント１０４（図２Ａ、２Ｂ、３Ａ、３Ｂ）又は代替的には駆動ユニット１０２（図１）は、モーションセンサー（例えば、ＭＥＭＳ加速度計又はジャイロスコープ）を含み得る。モーションセンサーは、少なくともペンダント１０４の一部又は代替的には駆動ユニット１０２の動きを感知し得る。制御サブシステム７０２は、ペンダント１０４（図１）又は代替的には駆動ユニット１０２（図１）の感知された動き又は加速に少なくとも部分的に基づいて、少なくとも１つのペルチェデバイス７０４、ファン（単数又は複数）７０６及び／又は弁（単数又は複数）７０８を制御する役割を有し得る。
【０１４４】
制御サブシステム７０２は、駆動ユニット１０２（図１）が通信可能に連結されたメディアコンテンツプレーヤ１１６（図１）又は携帯型の通信デバイスのディスプレイ（コールアウトせず）上に表示された画像又は情報のうち少なくとも１つに少なくとも部分的に基づいて、少なくとも１つのペルチェデバイス、ファン（単数又は複数）及び／又は弁（単数又は複数）を制御する役割を有し得る。
【０１４５】
制御サブシステム７０２は、駆動ユニット１０２（図１）が通信可能に連結されたメディアコンテンツプレーヤ１１６（図１）又は携帯型の通信デバイスのディスプレイ（コールアウトせず）上に表示されたユーザが選択可能なアイコン又は情報を介したユーザの選択に少なくとも部分的に基づいて、少なくとも１つのペルチェデバイス７０４、ファン（単数又は複数）７０６及び／又は弁（単数又は複数）７０８を制御する役割を有し得る。
【０１４６】
制御サブシステム７０２は、駆動ユニット１０２（図１）が通信可能に連結されたメディアコンテンツプレーヤ１１６（図１）又は携帯型の通信デバイスの画像センサー（コールアウトせず）によって取得された画像に少なくとも部分的に基づいて、少なくとも１つのペルチェデバイス７０４、ファン（単数又は複数）７０６及び／又は弁（単数又は複数）７０８を制御する役割を有し得る。
【０１４７】
図８Ａは、１つの例示の実施形態による、構成可能な循環システム８００システムを示す。このようなものは、ペンダント型システム（図１、２Ａ、２Ｂ、３Ａ、３Ｂ、４Ａ、４Ｂ）や、香り又は嗅覚感覚を送達するように動作可能なシステム１００、９００、１００２の多様な実施形態と共に用いられ得る一体型のシングルピースシステム（図９Ａ〜９Ｇ）と共に用いるのに適切であり得る。
【０１４８】
構成可能な循環システム８００は、例えば、導管、弁、及び／又は空気移動器（例えば、ファン、送風機）などの複数のコンポーネントによって構成され得る。特に有用な実施態様について以下に述べるが、他の実施態様も利用可能である。
【０１４９】
構成可能な循環システム８００は、１つ以上の入口通気孔（単数又は複数）又はポート（単数又は複数）８０２、１つ以上の出口通気孔（単数又は複数）又はポート８０４及び１つ以上の香り通気孔（単数又は複数）又はポート（単数又は複数）８０６を含み得る。
【０１５０】
入口通気孔（単数又は複数）又はポート（単数又は複数）８０２は、システム１００の内部と周囲環境との間の流体連絡を提供する。このようなものは、システムへ新しい空気を引き込むため又は香り（例えば、コーヒー）を周囲環境からサンプリングするために用いられ得る。入口通気孔（単数又は複数）又はポート（単数又は複数）８０２を介した流体連絡は、例えば第１の値又は他の構造を介して選択的に制御可能であり得る。入口通気孔（単数又は複数）又はポート（単数又は複数）８０２は、周囲環境から空気を香り生成又は混合チャンバ８０８内へ引き込み得る。空気は、フィルター媒体（図８Ａ中図示せず）を介してフィルタリングしてもよいし、しなくてもよい。
【０１５１】
出口通気孔（単数又は複数）又はポート（単数又は複数）８０４は、システム１００の内部と周囲環境との間の流体連絡を提供する。このようなものは、例えばフィルタリング後にシステム１００から空気を吐出する際に用いられ得る。出口通気孔（単数又は複数）又はポート（単数又は複数）８０４を介した流体連絡は、例えば第２の値又は他の構造を介して選択的に制御可能であり得る。いくつかの実施形態において、入口及び出口通気孔又はポート８０２、８０４は、空気の引き込み及び吐出両方を行う単一のポート又はポートとして組み合わされるか又は実施され得る。出口通気孔（単数又は複数）又はポート（単数又は複数）８０４は、空気を周囲環境へ吐出し得る。空気は好適には、周囲環境への香りの意図しない送達を回避又は最小限にするために、吐出前にフィルターチャンバ（図８Ａ中図示せず）中のフィルター媒体（図８Ａ中図示せず）を介してフィルタリングされる。香り通気孔（単数又は複数）又はポート（単数又は複数）８０６は、香り（例えば、意図的に香りが付けられた空気）をユーザ、好適にはユーザの鼻８１２の近くに提供する。
【０１５２】
構成可能な循環システム８００は、香り生成又は混合チャンバ８０８と、使用時において香り送達導管８１４からユーザへ香りを放出する香り通気孔（単数又は複数）又はポート（単数又は複数）８０６との間の流体連絡を提供する香り送達導管８１４を含み得る。上記したように、香りポート（単数又は複数）８０６は、ペンダント１０４ａ（図１）内に設置され得る。このような実施態様において、香り送達導管８１４は、駆動ユニット１０２（図１）のハウジング１０８（図１）からペンダント１０４ａ中の香り通気孔（単数又は複数）又はポート（単数又は複数）８０６へ走るケーブル１０６（図１）内にあり得るか又はその一部であり得る。代替的には、香り通気孔（単数又は複数）又はポート（単数又は複数）８０６は、駆動ユニット１０２（図５Ａ〜５Ｅ）ハウジング１０８内に設置され得る。上記において注記したように、１つ以上のファン（単数又は複数）８１８ａ〜８１８ｃは、例えば比較的高圧力を香り通気孔（単数又は複数）又はポート（単数又は複数）８０６の上流に発生させることにより、香り付きの空気を香り送達導管８１４に沿って駆動し得る。
【０１５３】
構成可能な循環システム８００は、香り通気孔（単数又は複数）又はポート（単数又は複数）８０６と駆動ユニット１０２のフィルターチャンバ（図８Ａ中図示せず）との間に流体連絡を提供する香り返送又は回収導管８１６を含み得る。上記したように、香り通気孔（単数又は複数）又はポート（単数又は複数）８０６は、ペンダント１０２ａ（図１）内に設置され得る。このような実施態様において、香り返送又は回収導管８１６は、駆動ユニット１０２のハウジング１０８からペンダント１０４ａ（図１）内の香り通気孔（単数又は複数）又はポート（単数又は複数）１１４へ走るケーブル１０６（図１）内にあり得るか又はその一部であり得る。代替的には、香り通気孔（単数又は複数）又はポート（単数又は複数）８０６は、駆動ユニット１０２（図５Ａ〜５Ｅ）のハウジング１０８ａ内に設置され得る。上記において注記したように、１つ以上のファン（単数又は複数）８１８ａ〜８１８ｃは、例えば比較的低圧力又は部分的真空を香り通気孔（単数又は複数）又はポート（単数又は複数）８０６の下流に発生させることにより、香り付きの空気を香り返送又は回収導管８１６に沿って引き込み得る。
【０１５４】
香り送達及び香り返送又は回収導管８１４、８１６は、多様な形態をとり得る。香り送達及び香り返送又は回収導管８１４、８１６はそれぞれ、管材のピースであり得る。香り送達及び香り返送又は回収導管８１４、８１６は好適には、比較的小さな外径を有し、ユーザによって容易に装着されるように可撓性又は柔軟である。比較的小さな直径は、内径が比較的小さいことも意味する。層流ではなく比較的乱流を導管内に有することも好適であり得る。多様な材料が適切であるが、用いられる速度、圧力、温度及び寸法において乱流を発生させることが可能な材料が好適である。特に適切な導管は、外径がおよそ３．０ｍｍであり内径がおよそ１．５ｍｍであるネオプレンによって形成されたものを含む。ネオプレン管材は好適には、使用前に長さ方向に延伸される。延伸により、有利なことに内径の表面粗さが増加し得、これにより、内部における乱流発生が促進される。延伸により、柔軟性が増加しつつ、管材の厚さも若干逓減し得る。他の可能な適切な管材は、外径がおよそ４．０ｍｍであり内径がおよそ２．５ｍｍであるネオプレンを含む。他の可能な選択は、純粋なシリコーン、ラテックス及びＰＶＣ／ビニルを含むが、これらはネオプレンよりは適切さが低いようである。
【０１５５】
図８Ｂ中に最良に例示するように、導管８１４、８１６は、ケーブル８２０によって収容される。ケーブル８２０は、信号を複数のスピーカーへ送るための複数の電線又は光ファイバー８２２ａ、８２２ｂ（８２２と総称）をさらに含み得る。例えば、電線又は光ファイバー８２２は、音声的信号を音声源（例えば、携帯型の通信デバイス又はメディアプレーヤ１１６）から駆動ユニット１０２、１０２ａを通じてスピーカー（例えば、イヤホン、ヘッドフォン）１２２（図１）へ送り得る。
【０１５６】
管状導管として例示しているが、香り送達導管８１４及び／又は香り返送又は回収導管８１６は、ハウジング１０８、１０８ａの一部又は規定された経路又は封入経路を形成する他の構造により形成され得る。このような部位は好適には、乱流を促進するための粗い内面を持ち得る。
【０１５７】
図８Ａに戻って、構成可能な循環システム８００は、香りポート弁８２０ａを含み得る。香りポート弁８２０ａは、例えばマイクロコントローラからアクチュエータへの信号を介して香りポート（単数又は複数）８０６を介した香りの移動を制御するように、選択的に動作可能である。香りポート弁８０２ａは、ピンチ弁機構と、ピンチ弁機構を移動的に駆動するように連結されたアクチュエータ（例えば、電気モータ、ソレノイド）の形態をとり得る。
【０１５８】
構成可能な循環システム８００は、周囲環境から香り混合チャンバ中への香りの移動を制御するように配置されかつ選択的に動作可能な入口弁８２０ｂを含み得る。入口弁８２０ｂは、駆動ユニット１０２のハウジング１０８内に配置され得る。入口弁８２０ｂは、例えばマイクロコントローラからアクチュエータへの信号を介して香り生成又は混合チャンバ中への周囲空気の移動を制御するように、選択的に動作可能である。入口弁８２０ｂは、ピンチ弁機構及びピンチ弁機構を移動的に駆動するように連結されたアクチュエータ（例えば、電気モータ、ソレノイド）の形態をとり得る。
【０１５９】
構成可能な循環システム８００は、構成可能な流体連絡可能な導管経路からフィルターチャンバへの又はフィルターチャンバを通じた香りの移動を制御するように配置されかつ選択的に動作可能な出口弁８２０ｃを含み得る。出口弁８２０ｃは、駆動ユニット１０２のハウジング１０８内に配置され得る。出口弁８２０ｃは、例えばマイクロコントローラからアクチュエータへの信号を介してフィルターチャンバへの又はフィルターチャンバからの香りの移動を制御するように、選択的に動作可能である。出口弁８２０ｃは、ピンチ弁機構及びピンチ弁機構を移動的に駆動するように連結されたアクチュエータ（例えば、電気モータ、ソレノイド）の形態をとり得る。
【０１６０】
構成可能な循環システム８００は、前回香りが付けられた空気が本質的に再循環又は再利用され、若干閉鎖されたループ香り循環又は再循環ループ又はシステムが生成されように、香り返送又は回収導管８１６から流体連絡可能な導管経路の香り送達導管８１４への香りの移動を調節するように配置されかつ選択的に動作可能な中間弁８２０ｄを含み得る。中間弁８２０ｄは、駆動ユニット１０２のハウジング１０８内に配置され得る。中間弁８２０ｄは、フィルターチャンバへの香り又はフィルターチャンバからの香りの移動を制御又は調節するように、例えばマイクロコントローラからアクチュエータへの信号を介して選択的に動作可能である。中間弁８２０ｄは、ピンチ弁機構及びピンチ弁機構を移動的に駆動するように連結されたアクチュエータ（例えば、電気モータ、ソレノイド）の形態をとり得る。
【０１６１】
１つ以上のファン８１８ａ、８１８ｂ（図８Ａ中に２つを図示する）は、構成可能な流体循環経路を通じた循環を提供し得るか又は引き起こし得る。ファン（単数又は複数）８１８は、方向付けられた流れを達成するように、選択的に動作可能であり及び／又は選択された速度で動作され得る。いくつかの場合において、１つ以上のファン（単数又は複数）は、構成可能な流体循環経路の部分において比較的低圧力の真空を確立して、空気又は香りを構成可能な流体循環経路の所望の部位に沿って引き込むように動作し得る。
【０１６２】
図８Ａ及び８Ｂの実施形態は、限定的なものとしてみなされるべきではない。
【０１６３】
図９Ａ〜９Ｇは、１つの例示の実施形態による、香り又は嗅覚感覚を送達するように動作可能なシステム９００を示す。特に、図９Ａ〜９Ｇは、香り又は嗅覚感覚を個々のユーザ（すなわち、香りの消費者）へ送達するための個人用の形態におけるシステム９００を示す。
【０１６４】
システム１００（図１）と対照的に、図９Ａ〜９Ｇ中に例示されるシステム９００は、１つ以上の香りポート又は通気孔９０４を駆動ユニット９０２に一体に設置する。このようにすることにより、ペンダント１０４ａ（図１）の必要性が無くなる。
【０１６５】
図９Ａ〜９Ｃ中に最良に例示するように、システム９００は、システム９００の多様なコンポーネントを収容する一体型ハウジング９０８を含む。ハウジング９０８は、例えば金属（例えば、アルミニウム）又はプラスチック（例えば、ＡＢＳプラスチック、ポリカーボネートプラスチック）などの多様な材料によって形成され得る。ハウジング９０８を材料から形成するために用いられる材料又はプロセスの種類は、限定的なものとしてみなされるべきではない。ハウジング９０８は好適には、ハンドヘルド形状因子を有する。
【０１６６】
ハウジング９０８は、香り通気孔（単数又は複数）又はポート（単数又は複数）９０４と、複数の通気孔又はポート９０６とを含む。香り通気孔（単数又は複数）又はポート（単数又は複数）９０４及び通気孔又はポート９０６は、ハウジング９０８の内部９１２（図９Ｄ〜９Ｆ）と周囲の外部環境との間の流体連絡を提供する。通気孔又はポート９０６は、周囲の空気及び香りをハウジング中へ引き込むための入口又は吸入通気孔（単数又は複数）又はポート（単数又は複数）として機能し得る。追加的に又は代替的に、通気孔（単数又は複数）又はポート（単数又は複数）９０６は、空気を周囲の環境内へ吐出するための出口通気孔又はポートとして機能し得る。よって、通気孔（単数又は複数）又はポート（単数又は複数）９０６は、周囲の通気孔又はポート９０６と命名され得る。
【０１６７】
図９Ｂ、９Ｃ、９Ｆ及び９Ｇに最良に示すように、ハウジング９０８は、通信ポート又はインターフェース９１４も任意選択的に含み得る。通信ポート又はインターフェース９１４は、多様な通信プロトコルに適合する多様な形態のうち任意のものをとり得る。例えば、通信ポート又はインターフェース９１４は、雄ＵＳＢプラグを受容するレセプタクル又はソケットの形態をとり得る。このようにすることにより、携帯型の通信デバイス（例えば、スマートフォン）又はメディアコンテンツプレーヤ（例えば、ＭＰ３プレーヤ、ｉＰＯＤ（登録商標）、タブレットコンピュータ、ネットブックコンピュータ、ラップトップコンピュータ）１１６（図１）への通信的な結合を提供し得る。代替的に又は追加的に、システム９００は、無線インターフェース（例えば、無線機）を用い得る。
【０１６８】
ハウジング９０８は、ハウジング９０８の外部からアクセス可能な１人以上のユーザが起動可能な制御であり得る。図９Ａに最良に示すように、ユーザが起動可能な制御は、システムをＯＮ及びＯＦＦに切り替え、及び／又、多様な動作モードの間（例えば、能動的な香り生成モード、受動的香りサンプリングモード、及び／又は、例えば、図１０Ａ〜１０Ｅを参照して詳述する記録／サンプリング、保持及びリリース流路構成などの多様な流路構成の間）での切り換えることを可能にする単純なスイッチ９１５を含み得る。
【０１６９】
ハウジング９０８の一部は、その内部９１２の少なくとも一部へのアクセスを提供するように可動であり得る。例えば、図９Ｃ、９Ｆに最良に例示するように、ハウジング９０８は、ハウジング９０８の本体部位へ（例えば、取り外し可能に、解放可能に、枢動可能に、スライド可能に）取り付けられたカバー９１６を持ち得る。カバー９１６は、香りキャリア１１０（図１、６Ｇ）を挿入及び除去するための選択的なアクセスを提供し得る。代替的には、ハウジング９０８は、図１の実施形態について示すものと同様に香りキャリア１１０を取り外し可能に受容するようなサイズ及び寸法にされたスロットを含み得る。
【０１７０】
図９Ｄ〜９Ｇに最良に例示するように、ハウジング９０８は、多様なコンポーネント、上記したコンポーネントに類似するか又は上記したコンポーネントと同一でさえあるコンポーネントのうち多数を収容し得る。これらのコンポーネントのうちいくつかについて以下に述べる。
【０１７１】
ハウジング９０８は、１つ以上の香りキャリアレシーバー９２０ａ〜９２０ｄ（４つを図示、９２０として総称）を収容し得る。香りキャリアレシーバー（単数又は複数）９２０は、受容された香り媒体キャリア１１０（図１、６Ｇ）を１つ以上の香りアクチュエータ（例えば、以下に述べるペルチェデバイス）に対して配置及び／又は方向付ける類似のアライメント構造のフレームの形態をとり得る。香りキャリアレシーバー（単数又は複数）９２０は、例示のようにカバー９１６上に取り付けられ得る。カバー９１６は、香りキャリアレシーバー９２０がハウジング９０８の内部９１２内に受容又は配置されている状態で、ハウジング９０８へ解放可能に連結され得る。カバー９１６は、例えば戻り止め機構（例えば、リップ又はフランジと係合するタブ又は舌）を介してハウジング９０８へ解放可能に連結され得る。カバーは、香り媒体キャリア１１０を装荷するための香りキャリアレシーバー（単数又は複数）９２０へのアクセスが提供されるように、ハウジングから選択的に除去され得る。カバー９１６は、カバーが、したがって、香りキャリアレシーバー（単数又は複数）９２０が、ハウジング９０８内に規定された様態で確実に方向付けられるように、非対称の外形又は他の構造を持ち得る。
【０１７２】
ハウジング９０８は、例えば、制御サブシステム及び多様な他の電気的及び電子的コンポーネントを担持する１つ以上のプリント回路基板（ＰＣＢ）などの１つ以上の回路基板９２４（図９Ｄ、９Ｅ、９Ｇ）を収容し得る。ハウジング９０８は、１つ以上の電源９２６も収容する。電源９２６は、例えば、１つ以上の化学電池（例えば、リチウムイオン）、スーパー又はウルトラキャパシタセル及び／又は燃料電池などの多様な形態のいずれかをとり得る。電源９２６は、例えば、二次電池（例えば、ニッケル〜カドミウム、ニッケル−亜鉛、ニッケル金属水素化物、リチウムイオン）又はスーパー又はウルトラキャパシタなどの再充電可能な電源であり得る。このような場合、電子装置は、従来の再充電回路を含み得る。代替的には、電源９２６は、一次電池（例えば、亜鉛−炭素、アルカリ）などの最終的な交換を必要とする消費可能な電源であり得る。電子装置は、例えば図７に例示するものに類似し得るか又は同一でさえあり得る。
【０１７３】
複数の香り放出アクチュエータ９３０ａ〜９３０ｄ（４つを図示、９３０として総称）は、香り媒体１１２（図１、６Ｇ）からの香りの選択的な放出を引き起こすように、香りキャリアレシーバー（単数又は複数）９２０のうちそれぞれ１つへ熱的に連結される。香り放出アクチュエータ（単数又は複数）９３０は、１つ以上のペルチェデバイスの形態を有利にとり得る。ペルチェデバイスは、反対の極性の電圧の付加を介して香り媒体１１２（図１、６Ｇ）の能動的な加熱及び能動的な冷却双方を有利に可能にする。香りキャリアレシーバー（単数又は複数）９２０は、香り媒体キャリア（単数又は複数）１１０の香り放出アクチュエータ（単数又は複数）９３０との確実な接触を保持するようなサイズ及び寸法にされ得る。追加的に又は代替的に、香りキャリアレシーバー（単数又は複数）９２０は、香り媒体キャリア１１０（図１）を付勢して香り放出アクチュエータ（単数又は複数）９３０と確実に接触させるための付勢部材（例えば、弾性部材）を含み得る。
【０１７４】
ハウジング９０８は、１つ以上のファン９３２ａ〜９３２ｃ（３つを図示、９３２と総称）も収容し得る。ファン９３２は、電子部品及びペルチェデバイスによって生成された熱を排出し、周囲の空気を通気孔又はポート９０６を介してハウジング９０８内へ引き込み、ハウジング９０８から香りを香り通気孔（単数又は複数）又はポート（単数又は複数）９０４を介して吐出する。ファン（単数又は複数）９３２は、小型の低電力消費ファン（単数又は複数）であるべきである。
【０１７５】
香り生成又は混合区画１０２ａは、１つ以上のヒートシンク（図示せず）も収容し得る。ヒートシンクは、熱を迅速に吸引及び吸収することができる好適には大型のサーマルマスである。ヒートシンクは、金属のブロックの形態をとり得る。香り生成又は混合区画１０２ａは、１つ以上の熱放散構造（図示せず）も収容し得る。熱放散構造（単数又は複数）は好適には、ヒートシンク（単数又は複数）へ熱伝導的に連結される。熱放散構造（単数又は複数）は典型的には、その体積に対して表面積を増加させるような高度に畳まれた表面（例えば、フィン、ピンフィン）を有する。このようにすることにより、伝導及び／又は放射熱伝達を介した熱移送を促進させ得る。
【０１７６】
図９Ａ〜９Ｇ中には例示していないが、システム９００は、空気から香りを除去するのに有効なフィルター媒体を任意選択的に含み得る。フィルター媒体は、意図された香りのみがユーザへ確実に送達されるように、周囲環境から引き込まれた空気から香りを除去するために用いられ得る。
【０１７７】
図１０Ａは、ＯＦＦ状態にある図９Ａ〜９Ｇのシステム９００を示す。特に、ＯＦＦ状態において、香り通気孔（単数又は複数）又はポート（単数又は複数）９０４と周囲の通気孔（単数又は複数）又はポート（単数又は複数）９０６との間に循環又は流れ１００２ａは存在しない。そのため、ハウジング９０８内にも循環又は流れパターンは存在しない。
【０１７８】
図１０Ｂは、能動的な香り生成モーにおけるＯＮ状態ド（すなわち、香りアクチュエータが能動的である状態）における図９Ａ〜９Ｇのシステム９００を示す。ＯＦＦ状態と対照的に、ＯＮ状態において、流れ構成は、ハウジング９０８内の循環又は流れパターン１００２ｂを含む。詳細には、周囲通気孔（単数又は複数）又はポート（単数又は複数）９０６と、香り通気孔（単数又は複数）又はポート（単数又は複数）９０４との間に直接的な循環又は流れが存在する。動作時において、周囲の空気は周囲香り通気孔（単数又は複数）又はポート（単数又は複数）９０４を介してハウジング９０８中へ引き込まれ、香り媒体キャリアレシーバーによって送られて、香りを放出するように香り媒体１１２（図１、６Ｇ）が能動的に加熱される。その後、香り付きの空気は、香り通気孔（単数又は複数）又はポート（単数又は複数）９０４を介して吐出される。
【０１７９】
図１０Ｃは、受動的な周囲サンプリングモードにおけるＯＮ状態（すなわち、香りアクチュエータは能動的ではない状態）における図９Ａ〜９Ｇのシステム９００を示す。能動的な生成モードと対照的に、受動的モードは、能動的な香り生成無しに周囲の空気をサンプリングするために用いられる。詳細には、図１０Ｃは、空気又は香りのサンプル（例えば、コーヒー、焼きたてのクッキー又は小麦粉）を周囲環境から取得するために用いられる記録又はサンプリング構成を示す。受動的モード及び記録構成において、周囲の空気が１つ以上のファン９３２（図９Ａ〜９Ｇ）により周囲の通気孔（単数又は複数）又はポート（単数又は複数）９０６を介してハウジング内へ引き込まれる。香り通気孔（単数又は複数）又はポート（単数又は複数）９０４は閉鎖されているため、サンプリングされた周囲の空気又は香りが循環するか又は流れ１００２ｃ、ハウジング９０８の周囲又はその内部をループで周回する。周囲の通気孔（単数又は複数）又はポート（単数又は複数）９０６からの外方への流れによって例示するように、周囲の通気孔（単数又は複数）又はポート（単数又は複数）９０６は、周囲の空気又は香りがハウジング内に引き込まれる際にハウジングからの空気の通気を可能にし得る。
【０１８０】
図１０Ｄは、受動的な周囲サンプリングモードにおけるＯＮ状態（すなわち、香りアクチュエータが能動的ではない状態）における図９Ａ〜９Ｇのシステム９００を示す。詳細には、図１０Ｄは、節約構成を示す。節約構成において、新しい周囲の空気は、ハウジング９０８内に流れない。周囲の通気孔（単数又は複数）又はポート（単数又は複数）９０６及び香り通気孔（単数又は複数）又はポート（単数又は複数）９０４が閉鎖され、記録構成において前回取得された周囲の空気又は香りは、ハウジング９０８の内部において循環するか又は流れる１００２ｄ。このようにすることにより、周囲環境から前回取得された周囲の空気及び／又は香りが保持される。このようなことは、例えば、香りを望ましくは楽しんでもらうためにユーザがシステム９００をユーザの鼻へ持ち上げる機会を提供し得る。この保持構成は、記録構成の開始から設定されたか又は規定された時間だけ後に、自動的に入り得る。代替的には、保持構成は、ユーザ入力に応答して手動で入る場合もある。
【０１８１】
図１０Ｅは、受動的な周囲サンプリングモードにおけるＯＮ状態（すなわち、香りアクチュエータが能動的ではない状態）における図９Ａ〜９Ｇのシステム９００を示す。詳細には、図１０Ｅは、放出構成を示す。放出構成において、前回取得及び保持された空気又は香りは、香り通気孔（単数又は複数）又はポート（単数又は複数）９０４を介して放出される。経験を延長するために、このようなことは好適には、新しい周囲の空気をハウジング９０８内に引き込むことなく行われ、前回取得された香りは、香り通気孔（単数又は複数）又はポート（単数又は複数）９０４を介した放出のために、ハウジング９０８の内部を通じて継続して循環し、流れ、又は、サイクル１００２ｅする。放出構成は、保持構成の開始後の設定されたか又は規定された時間において自動的に入り得る。代替的には、放出構成は、ユーザ入力に応答して手動で入る場合もある。
【０１８２】
上記の状態、モード及び構成はそれぞれ、制御信号を多様なコンポーネント（例えば、香りアクチュエータ９３０、ファン９３２、弁）へ供給することにより、入り得る。例えば、入口弁又はダンパー１００４ａは、香り通気孔（単数又は複数）又はポート（単数又は複数）９０４を選択的に開口及び閉鎖するように、１つ以上のアクチュエータ（例えば、電気モータ、ソレノイド）を介して起動され得る。入口弁又はダンパー１００４ａが、図１０Ａ、１０Ｄ及び１０Ｅでは、閉鎖位置又は状態にある様子が例示されている。入口弁又はダンパー１００４ａが、図１０Ｂ及び１０Ｃでは、開口位置又は状態にある様子が例示されている。
【０１８３】
また、例えば、出口弁又はダンパー１００４ｂは、周囲の通気孔（単数又は複数）又はポート（単数又は複数）９０６を選択的に開口及び閉鎖するように、１つ以上のアクチュエータ（例えば、電気モータ、ソレノイド）を介して起動され得る。出口弁又はダンパー１００４ｂが、図１０Ａ、１０Ｃ及び１０Ｄでは、閉鎖位置又は状態にある様子が例示されている。出口弁又はダンパー１００４ｂは、図１０Ｂ及び１０Ｅでは、開口位置又は状態にある様子が例示されている。
【０１８４】
また、例えば、中間弁又はダンパー１００４ｃ（リフロー、リサイクル又は再循環弁又はダンパーとも呼ぶ）は、再循環経路を選択的に開口及び閉鎖するように、１つ以上のアクチュエータ（例えば、電気モータ、ソレノイド）を介して起動され得る。中間弁又はダンパー１００４ｃが、少なくとも図１０Ｃ、１０Ｄ及び１０Ｅでは、開口位置又は状態にある様子が例示される。
【０１８５】
動作環境
図１１は、１つの例示の実施形態による、システム１１０２ａ〜１１０２ｄ（４つを図示し、１１０２と総称する）のうち１つ以上が動作する動作環境１１００を示す。
【０１８６】
詳細には、図１１は、複数のシステム１１０２を示し、各システム１００２は、駆動ユニット１１０４ａ〜１１０４ｄ（４つを図示し、１１０４として総称）と、及び任意選択的に各ペンダント１１０６ａ〜１１０６ｃ（３つを図示し、１１０６として総称）とを含む。
【０１８７】
駆動ユニット１１０４のコンポーネントは、それぞれの携帯型の又は無線の通信デバイス又はメディアプレーヤ１１０８ａ〜１１０８ｄ（４つを図示し、１１０８として総称）へ通信可能に連結される。
【０１８８】
例えば、第１のシステム１１０２ａは、ケーブル（図１１ではコールアウトせず）によってそれぞれの携帯型の又は無線の携帯型の通信デバイス（例えば、スマートフォン又はフィーチャーフォン１１０８ａ）へ通信可能に物理的に連結される。第１の駆動ユニット１１０４ａのコンポーネントは、ケーブル（図１１ではコールアウトせず）を介して各ペンダント１１０６ａへ物理的に連結される。さらなるケーブル（単数又は複数）（図１１ではコールアウトせず）は、駆動ユニット１１０３ａのコンポーネントを複数のスピーカー（イヤホン１１１０ａとして示される）へペンダント１１０６ａを介して物理的に連結する。
【０１８９】
また、例えば、第２のシステム１１０２ｂは、各無線又は携帯型の通信デバイス（例えば、スマートフォン又はａフィーチャーフォン１１０８ｂ）へ通信可能に無線的に連結される。第２の駆動ユニット１１０４ｂのコンポーネントは、ケーブル（図１１ではコールアウトせず）を介して各ペンダント１１０６ｂへ物理的に連結される。さらなるケーブル（単数又は複数）（図１１ではコールアウトせず）は、駆動ユニット１１０４ｂのコンポーネントをオーバーイヤヘッドフォン１１１０ｂとして例示される複数のスピーカーへペンダント１１０６ｂを介して物理的に連結する。
【０１９０】
また、例えば、第３のシステム１１０２ｃは、各携帯型の又は無線携帯型の通信デバイス（例えば、テーブルコンピュータ１１０８ｃ）へ通信可能に無線的に連結される。第３の駆動ユニット１１０４ｃのコンポーネントは、各ペンダント１１０６ｃへケーブル（図１１ではコールアウトせず）を介して物理的に連結される。第３の駆動ユニット１１０４ｃのコンポーネントは、耳上、耳内又は耳を覆うように装着されることが意図されるＢＬＵＥＴＯＯＴＨ（登録商標）ヘッドセット１１１０ｃとして示されるスピーカーへ無線通信可能に直接連結される。
【０１９１】
また、例えば、第４のシステム１１０２ｄは、各携帯型の又は無線携帯型の通信デバイス（例えば、スマートフォン１１０８ｄ）へ通信可能に無線的に連結される。第４のシステムは、任意のペンダント又はケーブルを省略し得、図９Ａ〜９Ｆに例示するものに類似する、スピーカーと共に又はスピーカー無しに用いられ得る完全一体型デバイスである。
【０１９２】
多様な無線又は携帯型の通信デバイス又はメディアコンテンツプレーヤ１１０８は、１つ以上の通信チャンネル１１２０（例えば、１つ以上のネットワーク）を介して通信可能に連結される。単一の要素として示しているが、例えば多様な種類のネットワークを含む多数の均質及び異質の通信チャンネル１１２０があり得る。例えば、多数の無線又は携帯型の通信デバイス１１０８が、多様なセルラーネットワーク（例えば、多様なＬＴＥ、Ｇ４、Ｇ３セルラー音声及びデータネットワーク）を介した無線通信が可能である。また、例えば、多数の無線又は携帯型の通信デバイス１１０８は、多様なＩＥＥＥ８０２適合ネットワーク（例えば、多様なＷＩ−ＦＩネットワーク）を介して又はＢＬＵＥＴＯＯＴＨ（登録商標）又は他の無線通信チャンネルを介して無線通信が可能である。通信チャンネルの種類は、ネットワークされているか又はネットワークされていないかに関わらず、限定的なものとしてみなされるべきではない。
【０１９３】
動作環境１１００は、香り仕様又は複数組の香り送達シーケンスを可能にする多様なユーザコンピュータシステム１１２２を含み得る（例示を簡潔にするため、１つのみを図示）。これらのユーザコンピュータシステム１１２２は、自身のために、又は、他人と共有するために香り仕様又は複数組の香り送達シーケンスを規定する多様な一般の個人によって操作され得る。これらのユーザコンピュータシステム１１２２は、雇用されているか又は主な仕事が例えば他人によって使用されるために販売される香り仕様又は複数組の香り送達シーケンスを規定することである多様な専門家によって操作され得る。
【０１９４】
動作環境１１００は、香り仕様又は複数組の香り送達シーケンスの保存及び取得を可能にする多様なサーバーコンピュータシステム１１２４（例示を簡潔にするため、１つのみを図示）を含み得る。これらのサーバーコンピュータシステム１１２４は、複数組のシーケンスの提供におけるサービスを提供する（例えば、シーケンスを個人使用のため又は贈与目的のために他者に販売する）多様な個人又はエンティティによって操作され得る。そのため、サーバーコンピュータシステム（単数又は複数）１１２４は、香り仕様又は複数組の香り送達シーケンス及び他のメディアコンテンツを生成、編集、アクセス、保存、購入、販売、共有、貸与及び／又は贈与するためのウェブポータルとして機能し得る。サーバーコンピュータシステム（単数又は複数）１１２４は、１つ以上のデータベース１１２６を保存する１つ以上の非一時的コンピュータ又はプロセッサにより読み出し可能な媒体を含み得る。
【０１９５】
ユーザ及びサーバーコンピュータシステム１１２２、１１２４は典型的には、同一又は類似のコンポーネント又は構造を有する。ユーザ及びサーバーコンピュータシステム１１２２、１１２４は、多数の多様な形態のいずれかをとり得、そのうち多くは市販されている。例えば、ユーザコンピュータシステム（単数又は複数）１１２２は、個人用の又はデスクトップコンピュータ、ラップトップコンピュータ、ネットブックコンピュータ、タブレットコンピュータの形態、又はハンドヘルドプロセッサベースのデバイス（例えば、個人用のデジタルアシスタント（ＰＤＡ）又はスマートフォン）の形態さえとり得る。また、例えば、サーバーコンピュータシステム（単数又は複数）１１２４は、個人用の又はデスクトップコンピュータ、ラップトップコンピュータ、ミニコンピュータ、メインフレームコンピュータ、又はサーバーカード又はブレードの形態をとり得る。他のコンピュータ又はプロセッサベースのシステムが用いられ得、特定の種類のコンピュータシステムが限定的なものとしてみなされるべきではない。これらのユーザ及びサーバーコンピュータシステム１１２２、１１２４を他のユーザ又はサーバーコンピュータシステムと区別するものは、動作シーケンス（すなわち、香り仕様又は複数組の香り送達シーケンス）又はこれらのユーザ又はサーバーコンピュータシステムがそれぞれアクセス又は提供するサービスを生成又は提供するためにユーザ又はサーバーコンピュータシステムが実行する複数組の命令である。
【０１９６】
コンポーネント及び構造のうち全てではないにしろほとんどは、コンピューティング分野の当業者にとって容易に認識されるものであるが、本記載を完全にするため、コンピュータ構造の基本的記述を提供する。
【０１９７】
ユーザコンピュータシステム１１２２及び／又はサーバーコンピュータシステム１１２４は、本明細書において単数形で記載する場合があるが、典型的な実施形態においては１つよりも多くのユーザコンピュータシステム１１２２及び／又は１つよりも多くのサーバーコンピュータシステム１１２４が用いられ得るため、実施形態を単一のデバイス又はシステムに限定することを意図するものではない。他に記載無き限り、図１１に示す多様なブロックの構造及び動作は、従来の設計のものである。そのため、このようなブロックは、関連分野の当業者によって理解されるであろうため、本明細書中においてさらに詳細に記載する必要は無い。
【０１９８】
拡大部分に示すように、ユーザ又はサーバーコンピュータシステム１１２２、１１２４は、１つ以上の中央処理ユニット又はコア及び又は一体型又は離散的グラフィック処理ユニットを含み得る１つ以上のプロセッサ１１３０（例えば、マイクロプロセッサ、グラフィクスプロセッサ、デジタル信号プロセッサ）を含む。ユーザ又はサーバーコンピュータシステム１１２２、１１２４は、１つ以上の非一時的媒体又はメモリ構造を含み得る。例えば、ユーザ又はサーバーコンピュータシステムは典型的には、典型的にはマイクロプロセッサ（例えば基本入出力システム（ＢＩＯＳ））を初期に構成するための命令及びデータを保存するいくつかの種類の不揮発性メモリ（例えば、リードオンリーメモリ（ＲＯＭ）１１３２）を含む。ユーザ又はサーバーコンピュータシステム１１２２、１１２４は典型的には、所望の動作又は機能を提供する際にマイクロプロセッサによって実行されるランタイム時に典型的には命令及びデータを保存するいくつかの種類の揮発性メモリ（例えば、ランダムアクセスメモリ（ＲＡＭ）１１３４）を含む。例えば、ＲＡＭ１１３４は、香り仕様又は複数組の香り送達シーケンスを生成又は規定し及び／又は香り仕様又は複数組の香り送達シーケンスをシステム１１０２へ提供するためのアプリケーションを保存し得る。
【０１９９】
ユーザ又はサーバーコンピュータシステム１１２２、１１２４は典型的には、所望の動作又は機能を提供する際にマイクロプロセッサ１１３０によって実行される命令及びデータを典型的には保存するいくつかの種類の長期揮発性メモリ（例えば、１つ以上のハードディスクドライブ（ＨＤＤ）１１３６及び／又は光学ディスクドライブ（ＯＤＤ）１１３８）を含む。ＨＨＤ１１３６及び／又はＯＤＤ１１３８は、関連分野の当業者に公知のように、このようなドライブと１つ以上のシステムバス２１６との間で連結されるインターフェース又はコントローラ（図示せず）を含み得る。読み出しに加えて、ＯＤＤ１１３８は、命令を分配のために光学ディスクへ焼くように動作可能であり得る。ＨＨＤ１１３６及び／又はＯＤＤ１１３８と、その関連付けられたコンピュータ又はプロセッサにより読み出し可能な記憶媒体とは、ユーザ及び／又はサーバーコンピュータシステム１１２２、１１２４のためのコンピュータ又はプロセッサにより読み出し可能な命令、データ構造、プログラムエンジン及び他のデータの不揮発性及び非一時的の保存を提供し得る。ＨＤＤ１１３６及びＯＤＤ１１３８を用いるものとして例示しているが、当業者であれば、コンピュータによりアクセス可能な命令及び／又はデータを保存することが可能な他の種類のコンピュータ又はプロセッサにより読み出し可能な記憶媒体（例えば、磁気カセット、フラッシュメモリ、デジタルビデオディスク（「ＤＶＤ」）、ベルヌーイカートリッジ、ＲＡＭ、ＲＯＭ、スマートカード）が利用可能であることを理解する。よって、任意の非一時的記憶媒体（例えば例えば、ＨＨＤ１１３６又はＯＤＤ１１３８などのスピンニングメディア及び／又は例えばソリッドステートドライブ又はフラッシュメモリなどの固定メディア）が利用され得る。
【０２００】
ＨＨＤ１１３６及び／又はＯＤＤ１１３８は、複数組の香り仕様又は送達シーケンスを生成又は規定するためのアプリケーションを保存し得る。ＨＨＤ１１３６及び／又はＯＤＤ１１３８は、ユーザ及び／又はサーバーコンピュータシステム１１２２、１１２４のユーザによって生成された複数組の香り仕様又は送達シーケンスを保存し得る。
【０２０１】
ユーザ及び／又はサーバーコンピュータシステム１１２２、１１２４は典型的には、いくつかの種類の通信カード及び／又はポートを含む。このようなものは典型的には、ネットワーキングカード又はポート１１４０の形態をとる。このようなものは、任意の１つ以上の従来の又はこれから開発される有線、光学又は無線ネットワーキング基準を含み得る。いくつかの例は、ＥＴＨＥＲＮＥＴ（登録商標）、ＵＮＩＶＥＲＳＡＬ  ＳＥＲＩＡＬ  ＢＵＳ（ＵＳＢ（登録商標））、ＦＩＲＥＷＩＲＥ（登録商標）４００、ＦＩＲＥＷＩＲＥ（登録商標）８００、ＴＨＵＮＤＥＲＢＯＬＴ（登録商標）、ＷＩ−ＦＩ（登録商標）、ＢＬＵＥＴＯＯＴＨ（登録商標）、多様なＩＥＥＥ８０２．１１プロトコル、ＣＤＭＡ、ＧＳＭ（登録商標）、ＬＴＥ（登録商標）、及び他のセルラーネットワークプロトコルを含む。通信の種類は、限定的なものとしてみなされるべきではない。
【０２０２】
１つ以上のシステムバ１１４２は、システムメモリを含む多様なシステムコンポーネントを処理ユニットへ通信可能に連結させる。システムバス（単数又は複数）１１４２は、任意の公知のバス構造又はアーキテクチャ（例えば、メモリコントローラを備えたメモリバス（単数又は複数）、周辺バス（単数又は複数）、ローカルバス（単数又は複数）、命令バス（単数又は複数）、データバス（単数又は複数）、アドレスバス（単数又は複数）及び／又は電力バス（単数又は複数）を含む）を用い得る。
【０２０３】
ユーザ及び／又はサーバーコンピュータシステム１１２２、１１２４は、ユーザ又はオペレータがコマンド及び情報を入力することを可能にする１つ以上の入力デバイス（例えば、タッチスクリーン１１４６又はキーボード１１４８及び／又はポインティングデバイス（例えば、マウス１１５０）及び／又はグラフィカルユーザインターフェース）を含み得る。他の入力デバイスはマイクロフォン、ジョイスティック、ゲームパッド、タブレット、スキャナーなどを含み得る。ユーザ及び／又はサーバーコンピュータシステム１１２２、１１２４は、例えば、ビデオアダプターなどのビデオインターフェース（図示せず）を介してシステムバス１１４２へ通信可能に連結され得る１つ以上のモニター又は表示デバイス１１５２を含み得る。ユーザ及び／又はサーバーコンピュータシステム１１２２、１１２４は、他の出力デバイス（例えば、スピーカー、プリンター）を含み得る。
【０２０４】
プログラムエンジンは、システムメモリ１１３２、１１３４（例えば、オペレーティングシステム、１つ以上のアプリケーションプログラム、他のプログラム又はエンジン及びプログラムデータ）中に保存され得る。アプリケーションプログラムは、香り仕様又は複数組の香り送達シーケンスを設計及び／又は編集又は生成し、香り仕様又は複数組の香り送達シーケンスを音楽、ビデオ、発話又は他の音声的又は視覚的コンテンツと任意選択的に同期させるためのユーザインターフェースをプロセッサ（単数又は複数）１１３０に自動的に提示させるための命令を含み得る。アプリケーションプログラムは、プロセッサ（単数又は複数）１１３０に規定された香り仕様又は複数組の香り送達シーケンスを自動的に保存及び／又は送達させるための命令を含み得る。アプリケーションプログラムは、プロセッサ（単数又は複数）１１３０に多様なユーザ特定情報及び／又はデバイス特定情報に基づいて香り仕様又は複数組の香り送達シーケンスを保存及び／又は送達させるための命令を含み得る。
【０２０５】
アプリケーションプログラムは、香り仕様又は複数組の香り送達シーケンスの送達に関連する収入又は補償スキーマを追加的に又は代替的に備え得る。例えば、アプリケーションプログラムは、ユーザが香り仕様又は香り送達シーケンス命令の組を購入するのに応答して金融口座から電子的に引き落とし得る。また、例えば、アプリケーションプログラムは、多様な広告の視認及び／又は聴取と交換に香り仕様又は複数組の香り送達シーケンスの送達を提供し得る。よって、アプリケーションプログラムは、香り仕様又は複数組の香り送達シーケンスの広告を用いた又は用いない販売、購入、送達、受領、共有及び／又は贈与を可能にする命令を提供し得る。
【０２０６】
他のプログラムエンジンは、セキュリティ（例えば、パスワード又は他のアクセス保護及び通信暗号化）を取り扱うための命令を含み得る。システムメモリ１１３２、１１３４は、例えば、サーバーコンピュータシステム１１２４が他のシステム（例えば、システム１１０２、ユーザコンピュータシステム１１２２）又はデバイスとのサービス提供及びデータ交換をインターネット、企業イントラネット、エクストラネット又は以下に述べるような他のネットワーク（例えば、ＬＡＮ、ＷＡＮ）、ならびにサーバーコンピューティングシステム上において実行する他のサーバーアプリケーション）を介して行うためのサーバープログラムなどの通信プログラムを含み得る。サーバープログラムは、例えば、ハイパーテキストマークアップ言語（ＨＴＭＬ）、拡張可能マークアップ言語（ＸＭＬ）又は無線マークアップ言語（ＷＭＬ）などのマークアップ言語に基づいたものであり得、文書の構造を表現するための文書のデータへ付加された構文的に区切られた文字を用いたマークアップ言語と共に動作し得る。複数のサーバープログラムは、例えばＭｉｃｒｏｓｏｆｔ、Ｏｒａｃｌｅ、ＩＢＭ及びＡｐｐｌｅから市販されている。
【０２０７】
典型的にはシステムメモリ１１３２、１１３４内にロード及び保存されるが、オペレーティングシステム、アプリケーションプログラム、他のプログラム／エンジン、プログラムデータ及びサーバープログラムは、ＨＤＤ１１３６及び又はＯＤＤ１１３８、又は任意の他の非一時的媒体上に保存され得る。
【０２０８】
サーバーコンピュータシステム１１２４は、香り仕様又は複数組の香り送達シーケンス及び関連情報の交換として機能することができ、香り仕様又は複数組の香り送達シーケンスの生成、編集、保存、送達、購入、共有、貸与又は賃貸を可能にする。このようなものは、香り仕様又は複数組の香り送達シーケンスが論理的に関連付けられるか又はさらには同期付けられる他のメディアコンテンツ（例えば、音楽コンテンツ（すなわち、ＭＰ３コンテンツなどのフォーマットに関係ない任意の音声的コンテンツ）又はビデオコンテンツ（すなわち、ＭＰ４コンテンツなどのフォーマットに関係内ない任意の音声的視覚的コンテンツ））と共にあり得るか又はあり得ない。非限定的な例として、メディアコンテンツは、音楽、ビデオ、発話又は他の音声的又は視覚的コンテンツを含み得る。このようにすることにより、利用可能な香り仕様又は複数組の香り送達シーケンスの表示が可能になる。このようにすることにより、利用可能なメディアコンテンツの表示が可能になる。このようにすることにより、ユーザ（例えば、コンテンツ消費者及び／又はコンテンツクリエータ）が利用可能な香り仕様、複数組の香り送達シーケンス及び／又はメディアコンテンツをダウンロード、共有、編集、購入又は贈与のために視認することが可能になる。このようなことにより、コンテンツ消費者によって取り出されたコンテンツの流れ又はストリーム中への広告の挿入も任意選択的に引き起こされ得る。
【０２０９】
特に、地理的に分配されている場合もあれば地理的に分配されていない場合もある１つ以上のウェブベースのサーバーポータル１１２４があり得る。追加的に又は代替的に、生成及び／又は編集のためのユーザインターフェースは、ウェブサービス又はソフトウェアアズサービス選択肢としてサーバーコンピュータシステム１１２４によって提供され得る。
【０２１０】
香りシーケンスは、多様なプロトコルを用いた多様な方法で指定され得る。標準的プロトコルが採用されたか又は開発された場合、香りシーケンスをユーザ間で共有することが好適である。
【０２１１】
香りシーケンス又は香りイベントは、以下のパラメータを持ち得る：香りの種類、開始時間、完了時間、及び恐らくは強さ。開始時間及び完了時間は、香り放出アクチュエータが能動的であり、各香りの放出を引き起こす期間を指定し得る。多数の実施態様において、開始時間及び完了時間は、香り放出アクチュエータが香り媒体を能動的に加熱する期間を規定する。多数の香り放出アクチュエータ（例えば、抵抗ヒーター）にとって、香り放出アクチュエータ及び香り媒体を冷却するために、完了時間後において一定の期間が必要となる。そのため、このようなクールダウン時間を含むように完了時間を調節する必要があり得る。圧電アクチュエータが用いられる場合、完了時間は能動的な冷却を自動的にトリガして任意のクールダウン時間を大幅に低減し得る。このようにすることにより、所与の香りの放出が止まる時間がより明確かつ高信頼のものになる。能動的な冷却は、固定されたか又は規定された時間にわたって継続してもよいし、代替的には、香りシーケンス情報中の１つ以上のパラメータによって指定してもよい。
【０２１２】
多様な香りシーケンスパラメータが、最も標準的なメディアコンテンツプレーヤが音楽を再生、生成及び転送する際に用いる標準的ＭＩＤＩプロトコルに自然に適合する。ＭＩＤＩプロトコルは非音楽アプリケーションによって用いられる点が、（特にこのようなアプリケーションを音楽と同期させることが必要な場合において）重要であり、注記される。
【０２１３】
この標準的プロトコルを用いることにより、一般的な音楽生成ソフトウェアを用いて香りトラックを生成する専門家の香り調合家であれ又は以下に述べるような多様なシステム１００、９００、１１０２を用いてお気に入りの曲に香りを合わせる非専門家であれ、ユーザが広範な経験及びスキルから香りシーケンス情報又は「香りトラック」をユーザが選択したプラットフォーム上に生成することが可能になり得る。
【０２１４】
音楽を視覚化する方法は無数に存在するため、音楽と特定の香りとの間の１対１（１：１）のマッピングの回避が有利であり得る。香りトラックを音楽を伴って生成するには、「正しく感じる」マッピングが必要になる。
【０２１５】
このようなことを達成するための１つの単純な方法は、香りイベントを構造的移行（例えば、序奏部の終わり及びコーラスの開始）及び動的なピークと同期させることを用いる。この一般的マッピングアプローチ下において、音楽と香りとの間に強い相関を感じさせる意図をもって、香りが短期間にわたってこれらの別個の離散的な音楽的瞬間と同期して放出される。
【０２１６】
特定の香り媒体キャリア（例えば、カートリッジ）上に存在する特定の香り媒体に関係無く、香りトラックを確実に一貫させる複数の方法がある。単一の香り媒体キャリア（例えば、カートリッジ）上の４つ異なる香りの構成が一例として用いられるが、より多数又はより少数の香り媒体に拡張可能である。
【０２１７】
例えば、異なる種類のカートリッジに合わせて極めて異なる香りがあり得る。香り媒体キャリア上の香りの標準的配列が指定され得る。例えば、ある取り決めは、全ての香り媒体キャリア（例えば、カートリッジ）について以下の香りの配列又はマッピングを指定し得る：
【表１】
2016518165.tif 000003
【０２１８】
香り媒体キャリア上での香り配置のムードに対するこの一般的マッピングを用いれば、香りの種類の仕様が音楽的移行に基づくことが可能になる。よって、例えばＭＩＤＩファイル又はいくつかの他のフォーマットの形態の香りシーケンスを規定することができ、これにより、システムの駆動ユニットに挿入される香り媒体キャリア（例えば、カートリッジ）がどれかに関係無く、序奏部への移行により香りＢをトリガし、コーラスの開始により香りＡをトリガし、Ｃ部分により香りＣをトリガし、最終コーラスにより香りＤをトリガすることができる。香り媒体キャリア（例えば、カートリッジ）上において使用、配置又は設置すべき特定の香り（すなわち、香り媒体）を決定するために香り媒体キャリア（例えば、カートリッジ）を選択するのは、設計者、供給者又はエンティティの裁量下にある。
【０２１９】
構造的な音楽的移行は、アプリケーションによって比較的容易に計算され、サーバーにおいて計算又はキャッシュされて、要求に応じてダウンロードされるか、又は音楽分析のためのサードパーティーによるサービス（例えば、Ｅｃｈｏｎｅｓｔ）から取り出され得る。
【０２２０】
この一般的マッピングアプローチは、異なる楽器上において同じ曲を演奏する場合と大いに同様に、異なる香り媒体キャリアにわたる香りシーケンス情報又は香りトラックの一貫性の確保を支援し得る。
【０２２１】
アプリケーションは、香りトラックの組み立てのための専用ユーザインターフェース（Ｕｌ）を特徴とし得る。このＵｌは、ユーザが香りを曲中の特定の瞬間と関連付けることを可能にする、単純化されたシーケンサであり得る。ユーザに対し、事前計算された対象ポイント（例えば、曲中の構造的な移行又は動的なピーク）が提供され得る。その後、ユーザは、香りトラックを組み立てる際にこれらを考慮に入れることができるが、必ずしもこれらに従う必要は無い。
【０２２２】
よって、ＭＩＤＩ又はいくつかの他のフォーマットは、香り転写プロトコルとして用いられ得る。自動的な香りトラック生成は、短期間の香り破裂と、音声的トラックにおける構造的な変化及び動的なピークとを関連付ける。アプリケーションは、香りトラック組み立てのための単純なインターフェースを含む。
【０２２３】
上記した多様な非一時的媒体は、情報（例えば、規定された香り仕様又はシーケンス又は「香りトラック」）を１つ以上のデータ構造中に保存し得る。データ構造は、多様な形態（例えば、リレーショナルデータベース、データベースそのもの、ルックアップテーブルなどと関連付けられた記録）をとり得る。データ構造は、多様な異なる情報又はデータを保存し得る。
【０２２４】
データ構造は、規定された香り仕様又は複数組の香り送達シーケンス情報又は「香りトラック」を多様なフィールドを用いた記録の形態で保存し得る。フィールドは、香りを一意の識別子、一般的識別子（例えば、香りの種類又はグループ）又は香り媒体キャリア上の位置によって指定し得る。フィールドは、香り放出の持続時間を指定し得る。フィールドは、香り放出又は香り冷却の温度を指定し得る。
【０２２５】
香りシーケンス情報、仕様又は「香りトラック」は、例えば８ビットシーケンスの命令として符号化され得る。例えば、４つの最上位ビットは、コンポーネントを指定し得、４つの最下最上位ビットは、アクション、状態又は各コンポーネントを指定し得る。コマンドの例示的なマッピングを表Ａ及びＢ中に例示する。
【０２２６】
【表２】
2016518165.tif 000004
【表３】
2016518165.tif 000005
【０２２７】
データ構造の上記例及び特定の種類の情報の例は、例示的なものとして意図されており、限定的なものではない。いくつかの場合、さらなる情報が用いられ得、例示の情報のうちいくつかのが省略され得る。また、異なるデータ構造が用いられ得、及び／又は、情報が異なるデータ構造又は異なる様態で保存され得る。例えば、各コンテンツプロバイダに関連する情報を保存するために、別個のコンテンツプロバイダ特有のデータ構造が用いられ得る。また、例えば、各広告者に関連する情報を保存するために、別個の広告者データ構造が用いられ得る。
【０２２８】
香りシーケンス又は香りトラックが受領されると、通知又は警告がユーザへ提供され得る。通知は、視覚的なもの及び／又は聴覚的なもの及び／又は触覚的なものであり得る。例えば、光（例えば、ＬＥＤ）が照射し得るか又は閃光し得、又はメッセージ（例えば、英数字）が画面上に表示され得る。音がスピーカーから発出され得る。振動刺激が、１つ以上のバイブレータを介して提供され得る。通知は、システム１００、９００、１００２によって直接提供され得る。追加的に又は代替的に、通知は、システム１００、９００、１００２へ現在通信可能に連結されているか又はされていないに関わらず、システム１００、９００、１００２と関連付けられたか又はエンドユーザと関連付けられた携帯型の通信デバイス（例えば、スマートフォン）又はメディアコンテンツプレーヤ（例えば、ＭＰ３プレーヤ、ｉＰＯＤ（登録商標）、タブレットコンピュータ、ネットブックコンピュータ、ラップトップコンピュータ）１１６によって提供され得る。
【０２２９】
以下により詳細に記載するように、本開示は、感情誘発プログラム又は生理学的誘発プログラムそれぞれにおいて嗅覚刺激を選択的に提供することにより、感情状態（例えば、幸福感、恐怖、嫌悪感、喜び、怒り、上機嫌、警戒、攻撃、又は哀愁）を誘発又は促進させる方法又は生理学的状態（例えば、睡眠、覚醒状態、空腹、満腹、注意力、リラックス又は目覚め）を誘発又は促進させる方法において用いられ得る装置を提供する。特定の実施形態において、嗅覚刺激は、視覚（例えば、色、画像、ビデオ）の及び／又は聴覚（例えば、音調、音楽、歌）の刺激と組み合わせて提供される。嗅覚刺激は、視覚的又は聴覚刺激と任意選択的に組み合わされ、感情又は生理学的誘発プログラムにおいて、ユーザ中の所望の感情又は生理学的状態を誘発又は促進させる能力に対して選択される。
【０２３０】
嗅覚刺激は、本開示中に提供される装置を通じて送達される。視覚的及び聴覚刺激は、任意の携帯型の通信デバイス、個人用のコンピュータ、電子タブレット、携帯可能音楽プレーヤ、携帯可能な視聴デバイスなどを用いて送達され得る。コンピュータ又は他のプログラマブルデータ処理装置を含み得る制御ユニットが、システム１００、９００、１００２及び他のデバイス（例えば、視覚的刺激デバイス、聴覚刺激デバイス、又はセンサーユニット）と接続され得る。
【０２３１】
感情又は生理学的誘発プログラムがプログラム、ユーザ又は遠隔の個人によって開始されると、システム１００、９００、１００２は、選択された匂いをユーザへ発出する。感情又は生理学的誘発プログラムはまた、選択された画像又は音を匂いと共に一斉に又は逐次的にユーザへ送り得る。嗅覚、視覚的、又は聴覚刺激の持続時間、強さ及びシーケンスは異なり得る。感情又は生理学的誘発プログラムにおいてユーザへ提示される特定の匂い、画像又は音は、感情又は生理学的状態を誘発又は向上させる能力に対して又はユーザ中の特定の感情又は生理学的状態と関連して選択される。例示目的のため、選択された感情又は生理学的誘発プログラムが覚醒である場合、システム１００、９００、１００２は、コーヒーの匂いを、任意選択的にコーヒーの種類の飲み物の画像又はコーヒーメーカーの音と組み合わせて、ユーザへ発出し得る。この刺激を経験した後、ユーザは、一杯のコーヒーを必ずしも消費することなく、覚醒状態の感情を経験する。別の例において、選択された感情又は生理学的誘発プログラムが警告である場合、システム１００、９００、１００２は、煙の匂いを、燃えている家の画像又はパチパチという炎の音と任意選択的に組み合わせて、ユーザへ発出し得る。さらに別の例において、選択された感情又は生理学的誘発プログラムが睡眠である場合、システム１００、９００、１００２は、リラックスする匂い（例えば、ラベンダー）を、柔らかいか又は淡い照明の画像又はホワイトノイズと任意選択的に組み合わせて、発出し得る。
【０２３２】
選択された感情又は生理学的誘発プログラムにおける嗅覚、視覚的又は聴覚刺激の持続時間、強さ及びシーケンスは、事前設定され得る。ユーザが所望の感情又は生理学的状態に到達したかを決定し、感情又は生理学的誘発プログラムの強さ又は持続時間を制御ユニットを通して増減することも可能である。代替的には、制御ユニットへ接続されたセンサーユニットは、生体信号が選択された感情又は生理学的誘発プログラムのための事前設定されたパラメータに適合するか又はしない場合、ユーザの体からの生体信号（例えば、心拍、体温、血圧、呼吸速度、発汗）を検出し、感情又は生理学的誘発プログラムの強さ又は持続時間を増減し得る。さらに、遠隔の個人は、信号を制御ユニットへ送ることにより、ユーザの感情又は生理学的誘発プログラムの強さ又は持続時間を増減することを所望し得る。
【０２３３】
より詳細には、嗅覚刺激は、受容者の生理学的、感情又は精神状態に効果を有することが公知である。多様な分野（例えば、ヒト及び獣医学、心理学、精神医学、広告、小売、化粧品）が、匂いに対する感情、精神及び生理学的応答を調査してきている。長きにわたって実施されているアロマセラピーは、人間の心情、ムード、認知機能又は肉体状態を改善、向上又は変化させるための芳香の用である。芳香心理学は、脳（特に辺縁系）中の嗅覚経路の刺激を介して多様な特定の感情及び感情を引き出すための、心理学と芳香技術との間の相互関係の研究である。
【０２３４】
本明細書中に記載されるシステムによって送達される嗅覚刺激は、ユーザの生理学的応答又は状態を向上又は変化させるために、音声的及び／又は視覚的刺激と共に用いられ得る。例示目的のため、本発明は、アロマセラピーが急性及び慢性の痛の主要又は補完的治療として用いられているのと同様に用いられ得る。アロマセラピーは、副交感神経応答を改善し、深いリラックスを促進し、痛みの感知を変化させると考えられている（Ｂｕｃｋｌｅ、１９９９、Ａｌｔｅｒｎ。Ｔｈｅｒ．Ｈｅａｌｔｈ  Ｍｅｄ．５：４２〜５１）。ラベンダーアロマセラピーは、頸部コルポスコピー時における痛み及び不安を低減させる点について、現在米国において臨床試験段階にある（臨床試験識別子ＮＣＴ０１２１４３０４）。アロマセラピー（例えば、クラリセージ、ペパーミント、ラベンダー、及びフランキンセンス）も、出産時における痛み及び不安を低減させる点について、米国において臨床試験段階にある（臨床試験識別子ＮＣＴ０１０５１７２６、Ｂｕｒｎｓ  ｅｔ  ａｌ．、２００７、ＢＪＯＧ１１４：８３８〜８４４も参照）。アロマセラピーは、ホスピス患者の痛み及び不安も軽減させる（Ｌｏｕｉｓ及びＫｏｗａｌｓｋｉ、２００２、Ａｍ．Ｊ．Ｈｏｓｐ．Ｐａｌｌｉａｔ．Ｃａｒｅ１９：３８１〜３８６）。麻酔後のラベンダーアロマセラピーは、病的に太っている患者の手術直後の期間におけるオピオイドの必要を低減させることが分かっている（Ｋｉｍ  ｅｔ  ａｌ．、２００７、Ｏｂｅｓｉｔｙ  Ｓｕｒｇｅｒｙ１７：９２０〜９２５）。スイートオレンジのエッセンシャルオイルは、子供における麻酔の誘発を促進させることが分かっている（Ｍｅｈｔａ  ｅｔ  ａｌ．、１９９８、Ａｎａｅｓｔｈｅｓｉａ５３：７２０〜７２１）。別の例において、ラベンダー、クラリセージ及びローズのアロマセラピーは、月経痙攣及び月経困難症の症状を向上させることが分かっている（Ｈａｎ  ｅｔ  ａｌ．、２００６、Ｊ．Ａｌｔｅｒｎａｔｉｖｅ及びＣｏｍｐｌｅｍｅｎｔａｒｙＭｅｄ．１２：５３５〜５４１）。さらに別の例において、ティーツリーオイル及びかんきつ類の芳香は、免疫調節特性を持つことが分かっている（Ｇｏｌａｂ  ｅｔ  ａｌ．、２００５、Ｊ．Ａｐｐｌ．Ｂｉｏｍｅｄ．３：１０１〜１０８；Ｋｏｍｏｒｉ  ｅｔ  ａｌ．、１９９５、Ｎｅｕｒｏｉｍｍｕｎｏｍｏｄｕｌａｔｉｏｎ２：１７４〜１８０）。別の例において、アロマセラピーは、鎮静作用を持ち、深い睡眠を促進することが判明している（Ｇｏｅｌ  ｅｔ  ａｌ．、２００５、Ｃｈｒｏｎｏｂｉｏｌｏｇｙ  Ｉｎｔｌ．２２：８８９〜９０４）。匂いの快適性は、心拍及び目覚めに影響することが判明している（皮膚コンダクタンスにより測定）（Ｂｅｎｓａｆｉ  ｅｔ  ａｌ．、２００２、Ｃｈｅｍ．Ｓｅｎｓｅｓ２７：７０３〜７０９）。実際、アロマセラピーは、ユーザに対して分子レベルで影響することも分かっている。Ｓｅｏ  ｅｔ  ａｌ．は、睡眠遮断によるストレスを受けたラットのトランスクリプトーム及びプロテオームへのコーヒー豆アロマによる影響について調査した（２００８、Ｊ．Ａｇｒｉｃ．ＦｏｏｄＣｈｅｍ．５６：４６６５〜４６７３）。コーヒー豆アロマによって上方調節されたタンパク質は、抗酸化物質、細胞レスキュー及びエネルギー代謝などの機能カテゴリーに属した。
【０２３５】
本明細書中に記載のシステムにより音声的及び／又は視覚的刺激と共に送達される嗅覚刺激は、ユーザの感情又は精神的状態を向上又は変化させるためにも用いられ得る。例えば、アロマセラピーは、認知症の患者の興奮及び挙動混乱を向上させることが判明している（Ｂａｌｌａｒｄ  ｅｔ  ａｌ．、２００２、Ｊ．Ｃｌｉｎ．精神医学６３：５５３〜８；Ｌｉｎ  ｅｔ  ａｌ．、２００７、Ｉｎｔ．Ｊ．Ｇｅｒｉａｔｒｉｃ  Ｐｓｙｃｈｉａｔｒｙ２２：４０５〜４１０；Ｓｍａｌｌｗｏｏｄ  ｅｔ  ａｌ．、２００１、Ｉｎｔｌ．Ｊ．Ｇｅｒｉａｔｒｉｃ  Ｐｓｙｃｈｉａｔｒｙ１６：１０１０〜１０１３）。アロマセラピーをマッサージと併用した場合、マッサージをエッセンシャルオイル無しで用いた場合よりも、抑鬱及び不安を大幅に向上させることが分かっている（Ｌｅｍｏｎ、２００４、Ｉｎｔ．Ｊ．Ａｒｏｍｔｈｒａｐｙ１４：６３〜６９）。Ｋｏｍｏｒｉ  ｅｔ  ａｌ．は、かんきつ類芳香による治療は、抑鬱の治療に必要な抗鬱剤の投与量を大幅に低下させることができることを実証している（Ｎｅｕｒｏｉｍｍｕｎｏｍｏｄｕｌａｔｉｏｎ１９９５２：１７４〜１８０）。
【０２３６】
本明細書中に記載されるシステムにより音声的及び／又は視覚的刺激と共に送達される嗅覚刺激は、ユーザの認知機能を向上させるために用いられ得る。例示目的のため、ラベンダーを用いたアロマセラピーは、ムード、注意力のＥＥＧパターン、及び算数の計算を迅速かつ正確に行う能力に良い影響を与えることが判明した（Ｄｉｅｇｏ  ｅｔ  ａｌ．、１９９８、Ｉｎｔ．Ｊ．Ｎｅｕｒｏｓｃｉ．９６：２１７〜２２４；Ｌｉｕ  ｅｔ  ａｌ．、２００４、Ｉｎｔ。Ｊ。アロマセラピー１４：１６９〜１７４）。別の例において、ペパーミントは、注意力を増強しまた記憶を改善させることが判明しており、一方イランイランは記憶を減少させ、処理速度を遅くさせるが、心の平穏を増大させる（Ｍｏｓｓ  ｅｔ  ａｌ．、２００８、Ｉｎｔｌ．Ｊ．Ｎｅｕｒｏｓｃｉ．１１８：５９〜７７）。
【０２３７】
本明細書中に記載されるシステムにより音声的及び／又は視覚的刺激と共に送達される嗅覚刺激は、ユーザの挙動修正にも用いられ得る。例えば、ブラックペッパー抽出蒸気は、タバコ渇望及び不安などの喫煙離脱症状を低減させることが判明している（Ｒｏｓｅ  ａｎｄ  Ｂｅｈｍ、１９９４、Ｄｒｕｇ  Ａｌｃｏｈｏｌ  Ｄｅｐｅｎｄ。３４：２２５〜２２９）。別の例において、米国特許公開第２００６／０２２２７２０号は、ヤンバルヒゴタイ蒸気の食欲抑制剤のとしての使用について記載している。グレープフルーツオイルを用いた嗅覚刺激は、ラットの食欲及び体重を低減させることが分かっている（Ｓｈｅｎ  ｅｔ  ａｌ．、２００５、Ｎｅｕｒｏｓｃｉ．Ｌｅｔｔ．３８０：２８９〜２９４）。ダークチョコレートの香りも、グレリンレベルの低減と相関する食欲抑制効果を持つことが分かっている（Ｍａｓｓｏｌｔ  ｅｔ  ａｌ．、２０１０、Ｒｅｇｕｌ．Ｐｅｐｔ．１６１：８１〜８６）。
【０２３８】
さらに、多数の匂いの感情、精神的、認知及び生理学的効果が当該分野において公知である。例えば、レモン、レモングラス、ペパーミン及びバジルは精神を刺激することが判明している一方、ラベンダー、ローズ、ベルガモット、カモミール及びサンダルウッドはリラックス効果がある（Ｍａｎｌｅｙ、１９９３、Ｃｒｉｔ．Ｒｅｖ．Ｆｏｏｄ  Ｓｃｉｅｎｃｅ  Ｎｕｔｒ．３３：５７〜６２；Ｔｏｎｏｉｋｅ  ｅｔ  ａｌ．、１９９６、Ｅｌｅｃｔｒｏｅｎｃｅｐｈ．Ｃｌｉｎ．Ｎｅｕｒｏｐｈｙｓｉｏｌ．４７：１４３〜１５０；Ｂｕｃｋｌｅ、２００１、Ｄｉａｂｅｔｅｓ  Ｓｐｅｃｔｒｕｍ１４：１２４〜１２６）。しかし、実験的証拠は、匂いに関連する挙動は、最初に匂いに出会ったときの感情のコンテキストに影響を受けることを示唆している。調査は、匂いの快楽評価（快適性）は、特定の経験を通じて学習され、新しい匂いが感情イベントと対にされた場合、その匂いの快楽評価は、関連付けられた感情に関連して変化することを示した（Ｈｅｒｚ、２００５、Ｃｈｅｍ．Ｓｅｎｓｅｓ３０：ｉ２５０〜ｉ２５１）。さらに、その匂いが再度受容者へ現れると、一貫したムードで挙動に影響し得る（Ｉｄ．）。
【０２３９】
視覚的刺激と組み合わせた本発明の使用に言及すると、調査は、匂いの感知及び経験が視覚的刺激による影響を受けることも実証している。色は、感知された匂いの強さに影響を与えることが分かっている（Ｚｅｌｌｎｅｒ  ａｎｄ  Ｋａｕｔｚ、１９９０、Ｊ．Ｅｘｐ．ＰＳｙｃｈｏｌ．ＨｕｍＰｅｒｃｅｐｔ．Ｐｅｒｆｏｒｍ．１６：３９１〜３９７）。色は、匂い特定及び好みの格付けにも影響することが分かっている（Ｚｅｌｌｎｅｒ  ｅｔ  ａｌ．、１９９１、Ａｍ．Ｊ．Ｐｓｙｃｈｏｌ．１０４：５４７〜５６１）。適切な匂い及び色（チェリー及び赤色）の組み合わせは、不適切な匂い及び色の組み合わせ（レモン及び赤色）よりもより高い特定精度及びより短い応答待ち時間を有し、正確に特定された匂いは、不正確に特定された匂いよりもより好まれた。実際、白ワインに加えられた無味赤着色料が、そのワインをワイン鑑定人により赤ワインに用いられる嗅覚用語を用いて記述させるように、色は、知覚嗅覚の錯覚も生成する。（Ｍｏｒｒｏｔ  ｅｔ  ａｌ．、２００１、Ｂｒａｉｎ  Ｌａｎｇ。７９：３０９〜３２０）。
【０２４０】
変形形態
要約に記載したものを含む例示の実施形態の上記記載は、網羅的なものではなく、また実施形態を開示の形態そのものに限定するものでもない。特定の実施形態及び例を本明細書中において例示目的のため記載しているが、関連分野の当業者であれば認識するように、多様な均等の変更が本開示の意図及び範囲から逸脱することなく可能であり得る。多様な実施形態の本明細書に記載される教示内容は、必ずしも上記に主に示した例示的なシステムだけでなく、他のシステムにも適用可能である。
【０２４１】
例えば、例示の及び／又は記載のもの以外のネットワーク及びさらには非ネットワークトポロジーが用いられ得る。
【０２４２】
上記の詳細な記載は、ブロック図、模式図及び例の使用を介してデバイス及び／又はプロセスの多様な実施形態を記載した。このようなブロック図、模式図及び例が１つ以上の機能及び／又は動作を含む限り、当業者であれば、広範囲のハードウェア、ソフトウェア、ファームウェア又は実質的にこれらお任意の組み合わせによりこのようなブロック図、フローチャート又は例内の各機能及び／又は動作を個々に及び／又は集合的に実行することが可能であることを理解する。一実施形態において、本発明は、特定用途向け集積回路（ＡＳＩＣ）又はプログラマブルゲートアレイを介して実行され得る。しかし、当業者であれば、本明細書中に開示される実施形態は、全体的又は部分的に、１つ以上のコンピュータ上において実行する１つ以上のコンピュータプログラム（例えば、１つ以上のコンピュータシステム上において実行する１つ以上のプログラム）として、１つ以上のコントローラ上において実行する１つ以上のプログラム（例えば、マイクロコントローラ）として、１つ以上のプロセッサ上において実行する１つ以上のプログラム（例えば、マイクロプロセッサ）として、ファームウェアとして又は実質的にこれらの任意の組み合わせとして標準的な集積回路において均等に実行可能であり、また、回路を設計すること及び／又はソフトウェア及び又はファームウェア用のコードを書くことは、当業者が本開示を鑑みれば為し得ることであることを理解する。
【０２４３】
多様な方法及び／又はアルゴリズムについて述べてきた。これらの方法及び／又はアルゴリズムのいくつか又は全ては、記載された行為又はステップのうち一部を省略し得、さらなる行為又はステップを含み得、行為又はステップを組み合わせ得、及び／又は、いくつかの行為又はステップを記載の順序と異なる順序で行い得る。方法又はアルゴリズムの一部は、ソフトウェアルーチンにおいて実行され得る。ソフトウェアルーチンの一部は、他のソフトウェアルーチンから呼び出され得る。ソフトウェアルーチンは、逐次的に又は一斉に実行し得、マルチスレッドアプローチを用い得る。
【０２４４】
上記した多様な実施形態は、さらなる実施形態を提供するように組み合わされ得る。米国仮特許出願番号第６１／７９２，７１６号（出願日：２０１３年３月１５日）及び米国仮特許出願番号第６１／８１７，１８０号（出願日：２０１３年４月２９日）の全体を本明細書中参考のため援用する。必要ならば、さらなる実施形態を提供するように多様な米国特許、出願及び公開文献のシステム、回路及びコンセプトを用いるために、実施形態の態様を変更することが可能である。
【０２４５】
上記の詳細の記載を鑑みれば、これらの変更及び他の変更が実施形態において可能である。一般的に、以下の特許請求の範囲において、用いられる用語は、特許請求の範囲を本明細書及び特許請求の範囲中に開示された特定の実施形態に制限するものとして解釈されるべきではなく、全ての可能な実施形態及びこのような特許請求の範囲が権利を持つ均等物の全範囲を含むものとして解釈されるべきである。よって、特許請求の範囲は、本開示によって限定されない。
【図１】
2016518165.tif 000006
【図２Ａ】
2016518165.tif 000007
【図２Ｂ】
2016518165.tif 000008
【図３Ａ】
2016518165.tif 000009
【図３Ｂ】
2016518165.tif 000010
【図４Ａ】
2016518165.tif 000011
【図４Ｂ】
2016518165.tif 000012
【図５Ａ】
2016518165.tif 000013
【図５Ｂ】
2016518165.tif 000014
【図５Ｃ】
2016518165.tif 000015
【図５Ｄ】
2016518165.tif 000016
【図５Ｅ】
2016518165.tif 000017
【図６Ａ】
2016518165.tif 000018
【図６Ｂ】
2016518165.tif 000019
【図６Ｃ】
2016518165.tif 000020
【図６Ｄ】
2016518165.tif 000021
【図６Ｅ】
2016518165.tif 000022
【図６Ｆ】
2016518165.tif 000023
【図６Ｇ】
2016518165.tif 000024
【図７Ａ】
2016518165.tif 000025
【図７Ｂ】
2016518165.tif 000026
【図８Ａ】
2016518165.tif 000027
【図８Ｂ】
2016518165.tif 000028
【図９Ａ】
2016518165.tif 000029
【図９Ｂ】
2016518165.tif 000030
【図９Ｃ】
2016518165.tif 000031
【図９Ｄ】
2016518165.tif 000032
【図９Ｅ】
2016518165.tif 000033
【図９Ｆ】
2016518165.tif 000034
【図９Ｇ】
2016518165.tif 000035
【図１０Ａ】
2016518165.tif 000036
【図１０Ｂ】
2016518165.tif 000037
【図１０Ｃ】
2016518165.tif 000038
【図１０Ｄ】
2016518165.tif 000039
【図１０Ｅ】
2016518165.tif 000040
【図１１】
2016518165.tif 000041
【国際調査報告】
2016518165.tif 000042
2016518165.tif 000043
2016518165.tif 000044
2016518165.tif 000045